(57)【要約】  磁気構造と磁極片と患者載置用テーブルとドライブとを備える磁気構造イメージング装置であって、磁気構造は、離間対向して配置される２つの磁極片及び該２つの磁極片を横断するように配されて該２つの磁極片を接続する壁面を備え、磁極片は患者の撮影可能な空間を定める２つの対向する壁面を固定し、該２つの対向する壁面は、鉛直方向平面に略平行であるとともに互いに略平行な平面に沿って延出し、患者載置用テーブルは、前記２つの磁極片の間の支持フレームに摺動可能に接続されるとともに、テーブル支持フレームは、磁極片の２つの対向する壁面の少なくとも一方又は両方に対して垂直な、中心を通る水平軸に沿って回転可能に支持される。ドライブは、軸回りに前記フレームを回転するために提供され、テーブルを備えるフレームは、テーブルが略水平な位置からテーブルが略鉛直な位置へと又はその逆方向に回転可能である。好ましくは、磁気構造の磁極片も、テーブル支持フレームとともにテーブルを横断する同一軸回りに回転可能である。【選択図】  図４
2007519451.tif 000002
【特許請求の範囲】
【請求項１】
磁気構造と被験者載置用テーブルと手動又は自動手段とロック手段とを備える磁気共鳴イメージング装置であって、
前記磁気構造は、離間対向して配置される２つの磁極片及び該２つの磁極片を横断するように配されて該２つの磁極片を接続する柱体又は壁面を備え、
前記磁極片は被験者の撮像空間を定める２つの対向する壁面を固定し、該２つの対向する壁面は、鉛直方向平面に略平行であるとともに互いに略平行な平面に沿って延出し、
前記被験者載置用テーブルは、前記２つの磁極片の間の支持フレームに摺動可能に接続されるとともに、
前記テーブルは、長手軸方向が前記磁極片の前記２つの対向する壁面に対して略平行になるように配置され、前記テーブルは、横断軸方向が前記２つの対向する壁面のうち少なくとも一方に対して略直角となるように配置され、
前記テーブルは前記磁気構造に対して、該テーブルの長手軸方向に平行な方向に摺動可能であって、
前記手動又は自動手段は、前記磁気構造に対して長手軸方向に沿って前記テーブルを変位させるために提供され、
前記ロック手段は前記磁気構造に対して前記テーブルを所定の位置にロックし、
前記手動又は自動手段は前記長手方向軸回りにフレームを回転するために提供され、
前記テーブルを備えるフレーム及び少なくとも磁極片又は磁気構造全体は同時に、該テーブルが略水平方向を向く位置から該テーブルが略鉛直方向を向く位置へ、若しくはその逆方向に回転可能であることを特徴とする磁気共鳴イメージング装置。
【請求項２】
前記テーブル支持フレームが更に、磁極片の２つの対向する壁面の少なくとも一方若しくは両方に対して直角な中央の水平方向軸回りに、前記磁極片及び／又は前記磁気構造に対して、少なくとも限られた角度の範囲については回転可能に支持されることを特徴とする請求項１記載の磁気共鳴イメージング装置。
【請求項３】
前記テーブル及び／又は前記テーブル支持フレーム及び／又は少なくとも前記磁極片及び／又は前記磁気構造全体が、略水平方向を向く位置と略鉛直方向を向く位置の間で両方向に回転可能でどの位置でもロック可能であることを特徴とする請求項１又は２記載の装置。
【請求項４】
前記磁気構造が回転可能でない間は、前記テーブル又は前記テーブル支持フレームのみが横断方向軸回りに回転可能に支持されることを特徴とする請求項１記載の磁気共鳴イメージング装置。
【請求項５】
前記磁気構造全体が前記テーブル支持フレームとともに前記テーブル支持フレームと同一の軸回りに回転されることを特徴とする請求項１記載の磁気共鳴イメージング装置。
【請求項６】
前記テーブル支持フレームが前記磁気構造により支持されることを特徴とする請求項１記載の磁気共鳴イメージング装置。
【請求項７】
前記テーブル支持フレーム及び少なくとも前記磁極片又は前記磁気構造全体の回転軸が、前記磁極片の中央軸と一致することを特徴とする請求項１記載の磁気共鳴イメージング装置。
【請求項８】
前記磁極片の前記回転軸において前記磁気構造が回転可能に接続される２つの側面壁を備える磁気構造支持ベースプレートが更に提供されるとともに、
前記磁極片がＵ字状継鉄の対応する自由端に提供され、その中央水平部が水平方向且つ回転軸に対して略平行な方向を向き、前記Ｕ字状磁気構造の中央水平部が前記テーブル支持フレームを前記テーブルの長手方向に沿って摺動可能な方法で支持し、前記Ｕ字状継鉄の２つの対向する側面が、その端部で前記磁極片を支持するとともに、前記磁気構造支持ベースプレートの側面壁に対して前記共通の回転軸回りに蝶番接続されることを特徴とする請求項１乃至７いずれかに記載の磁気共鳴イメージング装置。
【請求項９】
前記テーブルが更に、その中央の長手方向軸回りに又は前記中央の長手方向軸に平行な軸回りに回転可能な方法で、支持フレーム上に支持されるとともに、
ドライブが、該テーブルを前記磁気構造に対して中央の長手軸方向に沿って回転させるために提供され、
ロックが、該テーブルを所定の位置において前記磁気構造に対してロックすることを特徴とする請求項１乃至８いずれかに記載の磁気共鳴イメージング装置。
【請求項１０】
前記テーブル支持フレームが、延出エレメントにより形成されるとともに、前記Ｕ字状磁気継鉄の前記中央水平部に摺動可能に装着され、
前記テーブル支持フレームも同様に中央水平部を備えたＵ字形状を備え、前記テーブル支持フレームの中央水平部がテーブルの長手軸方向に延出するとともに、前記中央水平部から角をなして突出する分岐部は、テーブル幅の半分以上の長さを有し、前記テーブルの長手方向の両端が、前記テーブル支持フレームの分岐部の自由端において共通の回転軸回りに回転可能に固定されることを特徴とする請求項１乃至９いずれかに記載の磁気共鳴イメージング装置。
【請求項１１】
前記テーブルが、Ｕ字形状の第２テーブル支持フレームに固定されるとともに、
前記第２テーブル支持フレームが前記テーブルの後方に直接的に固定された延出した中央水平部を備えるとともに、分岐部は前記テーブルの長手方向の両端において前方へ突出し、
前記第２テーブル支持フレームの前記分岐部は、前記第１テーブル支持フレームの前記分岐部の長さに対して短い長さを有するとともに、その両端を前記第１支持フレームの前記分岐部の両端に固定させて回転可能であることを特徴とする請求項１０記載の磁気共鳴イメージング装置。
【請求項１２】
前記テーブルがテーブル・プレートを備えるとともに、少なくとも１つのシート・プレートが更に提供され、
該シート・プレートは前記テーブル・プレートに対して平行な位置から前記テーブル・プレートに対して直角な位置へ及び逆方向へ回動可能であるとともに、
回動位置では該テーブル・プレートの一部が該シート・プレートの背もたれを形成することを特徴とする請求項１乃至１１いずれかに記載の磁気共鳴イメージング装置。
【請求項１３】
前記シート・プレートは前記テーブル・プレートの一部により形成されるとともに、前記テーブル・プレートが蝶番接続された少なくとも２つの部品により形成されるとともに、該部品のうち少なくとも一方が回動可能なシート・プレートを形成することを特徴とする請求項１２記載の磁気共鳴イメージング装置。
【請求項１４】
前記テーブルの前記２つの部品及び最終的なテーブル支持フレームが前記プレートの横断軸方向に沿って蝶番接続された少なくとも２つの部品により形成されるとともに、前記テーブル及び最終的なテーブル支持フレームの前記２つの部品の少なくとも一方及び／又は両方が角をなす位置に回動可能であることを特徴とする請求項１乃至１３いずれかに記載の磁気共鳴イメージング装置。
【請求項１５】
前記テーブル及び最終的な前記テーブル支持フレームの前記２つの部品が、角をなす位置に回動可能であって、角度幅は前記２つの部品の間が１８０度以上の角度であって特に２７０度以上３６０度以下と、前記２つの部品の間０度以上９０度以下の角度とからなり、該角度幅は、前記被験者のテーブルに横たわる姿勢が背面を接しているか若しくは前面を接しているか、即ち仰向け姿勢か若しくはうつぶせ姿勢かに従って決定されることを特徴とする請求項１４記載の磁気共鳴イメージング装置。
【請求項１６】
前記テーブル及び最終的な前記テーブル支持フレームの前記２つの部品が、角を成す位置に回動可能であって、角度が略２７０度若しくは９０度であって、この角度は特にテーブルが、前記被験者が前傾姿勢をとるときに支持として機能する鉛直方向を向く部分と水平方向を向く部分とを備える位置にあるときに実行され、該角度は、前記被験者のテーブルに横たわる姿勢が背面を接しているか若しくは前面を接しているか、即ち仰向け姿勢か若しくはうつぶせ姿勢かに従って決定されることを特徴とする請求項１５記載の磁気共鳴イメージング装置。
【請求項１７】
前記テーブル及び／又は前記テーブル支持フレーム及び／又は前記磁極片及び／又は前記磁気構造全体を連続的又は段階的に回転するための手段が提供されることを特徴とする請求項１乃至１６いずれかに記載の磁気共鳴イメージング装置。
【請求項１８】
前記テーブル及び／又は前記テーブル支持フレーム及び／又は前記磁極片及び／又は前記磁気構造全体を、水平方向を向く位置と鉛直方向を向く位置の中間の角度位置、及び／又は水平方向を越えた位置又は鉛直方向を越えた位置の角度位置にロックするための取り外し可能なロック手段を備えることを特徴とする請求項１乃至１７いずれかに記載の磁気共鳴イメージング装置。
【請求項１９】
前記テーブル及び／又は前記テーブル支持フレームに対して装着される又は結合されるフットレストが提供されることを特徴とする請求項１乃至１８いずれかに記載の磁気共鳴イメージング装置。
【請求項２０】
ガイドによって支持され、該ガイドは、前記フットレスト及び／又は前記シート・プレートが、テーブル上に又はテーブル支持フレーム上に、前記フットレスト及び／又は前記シートを前記テーブル又は前記テーブル支持フレームに沿って、前記テーブル及び／又は前記テーブル支持フレームの長手軸方向に対して平行な両方向に摺動させることを特徴とする請求項１乃至１９いずれかに記載の磁気共鳴イメージング装置。
【請求項２１】
前記フットレスト及び／又は前記シート・プレートが、前記テーブル上で又は前記テーブル支持フレーム上で、横断方向の軸回りに特に前記テーブルの長手方向軸と直角な軸回りに枢動可能に支持されることを特徴とする請求項１乃至２０いずれかに記載の磁気共鳴イメージング装置。
【請求項２２】
前記テーブル及び／又は前記テーブル支持フレーム及び／又は前記磁気構造及び／又は前記機械フレームが前記被験者を前記テーブルに対して異なる姿勢に保持するための手段を備えることを特徴とする請求項１乃至２１いずれかに記載の磁気共鳴イメージング装置。
【請求項２３】
前記被験者保持手段が、前記被験者を前記テーブルに対して固定させるための取り外し可能な固定ベルトを１つ又は複数含むことを特徴とする請求項２２記載の磁気共鳴イメージング装置。
【請求項２４】
前記被験者保持手段は、腋窩支持手段、即ち前記被験者の腋窩に合わせて前記被験者を支持する手段を含むことを特徴とする請求項２２記載の磁気共鳴イメージング装置。
【請求項２５】
前記被験者保持手段が膝保持手段を含み、該膝保持手段に対して前記被験者が膝部及び／又は脚部をもたれさせて、テーブルに密着した姿勢を維持する力を加えられることを特徴とする請求項２２記載の磁気共鳴イメージング装置。
【請求項２６】
前記被験者保持手段がアームレストを備え、該アームレストはハンドル型の形状をなし、該アームレストに対して前記被験者が自分の身体をテーブルに押し付ける力を腕で加えて、姿勢の維持を補助することを特徴とする請求項２２記載の磁気共鳴イメージング装置。
【請求項２７】
前記被験者保持手段が前記テーブル又は前記テーブル支持フレームに沿ってそれらの長手方向及び／又は横断方向に摺動可能に固定されることを特徴とする請求項２２乃至２６いずれかに記載の磁気共鳴イメージング装置。
【請求項２８】
前記テーブル及び／又は前記テーブル支持フレーム及び／又は前記磁極片及び／又は前記磁気構造及び／又は前記機械フレームは、被験者保持手段についての複数の固定点を備え、該固定点は複数の位置の所定の範囲にかけて配置され、被験者保持手段は開放可能な固定手段を用いて固定されることを特徴とする請求項２２乃至２６いずれかに記載の磁気共鳴イメージング装置。
【請求項２９】
前記被験者保持手段が前記テーブル及び／又は前記テーブル支持フレーム及び／又は前記磁極片及び／又は前記磁気構造及び／又は前記機械フレームに対して、前記テーブルの横断方向軸回りに、特に前記テーブルの長手方向に直角な軸回りに角度を変位可能な方法で固定されることを特徴とする請求項２２乃至２８いずれかに記載の磁気共鳴イメージング装置。
【請求項３０】
前記膝保持手段、前記アームレスト、及び前記腋窩支持手段は、前記テーブル及び／又は前記テーブル支持フレームからの距離を調整可能であることを特徴とする請求項２２乃至２９いずれかに記載の磁気共鳴イメージング装置。
【請求項３１】
前記被験者固定ベルトはその長さを調整可能であることを特徴とする請求項２２乃至２９いずれかに記載の磁気共鳴イメージング装置。
【請求項３２】
前記被験者保持手段、前記フットレスト、前記シート・プレート、前記テーブル・プレートの前記回動可能な部分が、開放可能なロック手段を備え、該開放可能なロック手段はこれらの部品を一定位置で開放可能にロックを行うことを特徴とする請求項１乃至３１いずれかに記載の磁気共鳴イメージング装置。
【請求項３３】
磁気構造と被験者載置用テーブルと手動又は自動手段とロック手段とを備える磁気共鳴イメージング装置であって、
前記磁気構造は、離間対向して配置される２つの磁極片及び該２つの磁極片を横断するように配されて該２つの磁極片を接続する柱体又は壁面を備え、
前記磁極片は被験者の撮像空間を定める２つの対向する壁面を固定し、該２つの対向する壁面は、鉛直面と略平行な平面に沿って延出し、
前記被験者載置用テーブルは、前記２つの磁極片の間の支持フレームに摺動可能に接続されるとともに、
前記テーブルは、長手軸方向が前記磁極片の前記２つの対向する壁面に対して略平行になるように配置され、前記テーブルは、横断軸方向が前記２つの対向する壁面のうち少なくとも一方に対して略直角となるように配置され、
前記テーブルは前記磁気構造に対して、該テーブルの長手軸方向に平行な方向に摺動可能であって、
前記手動又は自動手段が、前記磁気構造に対して長手軸方向に沿って前記テーブルを変位させるために提供され、
前記ロック手段は前記磁気構造に対して前記テーブルを所定の位置にロックする磁気共鳴イメージング装置であって、
前記テーブル及び／又は前記テーブル支持フレームが前記柱体又は壁面に固定され、前記柱体又は壁面は、前記磁極片を横断する方向に配されるとともに、前記磁極片の間を接続することを特徴とする磁気共鳴イメージング装置。
【請求項３４】
前記磁極片が略鉛直方向を向くとともに、前記磁極片を接続する前記柱体は略水平方向を向くことを特徴とする請求項３３記載の磁気共鳴イメージング装置。
【請求項３５】
前記テーブルが前記テーブル・プレートを備えるとともに、前記テーブル・プレートに対して、平行な位置から前記プレートが前記角をなす位置、特に前記テーブル・プレートに対して直角な位置まで及びその逆方向に回動可能な少なくとも１つのシート・プレートを更に備えることを特徴とする請求項３３又は３４記載の磁気構造。
【請求項３６】
前記シート・プレートが前記テーブル・プレートの一部分により形成されるとともに、前記テーブル・プレートが少なくとも２つの蝶番接続された部品により形成され、該２つの部品のうち少なくとも一方が回動可能なシート・プレートを形成することを特徴とする請求項３３乃至３５いずれかに記載の磁気共鳴イメージング装置。
【請求項３７】
前記テーブル・プレート及び最終的な前記テーブル支持フレームが、横断軸方向に沿って蝶番接続された少なくとも２つの部品により形成されるとともに、前記テーブル及び最終的な前記テーブル支持フレームの前記２つの部品のうち少なくとも一方及び／又は両方が、ある程度の角度で傾斜する位置に回動可能であることを特徴とする請求項３３乃至３６いずれかに記載の磁気共鳴イメージング装置。
【請求項３８】
前記テーブル及び最終的な前記テーブル支持フレームの前記２つの部品が、角をなす位置に回動可能であって、角度幅は前記２つの部品間１８０度以上の角度であって特に２７０度以上３６０度以下と、前記２つの部品の間０度以上９０度以下の角度とからなり、該角度幅は、前記被験者のテーブルに横たわる姿勢が背面を接しているか若しくは前面を接しているか、即ち仰向け姿勢か若しくはうつぶせ姿勢かにより異なることを特徴とする請求項３７記載の磁気共鳴イメージング装置。
【請求項３９】
前記テーブル及び最終的な前記テーブル支持フレームの前記２つの部品が、角を成す位置に回動可能であって、角度幅が略２７０度若しくは９０度からなり、該角度幅は、前記被験者のテーブルに横たわる姿勢が背面を接しているか若しくは前面を接しているか、即ち仰向け姿勢か若しくはうつぶせ姿勢かにより異なり、特にテーブルが、前記被験者が前傾姿勢をとるときに支持として機能する鉛直方向部分及び水平方向部分を備える場合に実行されることを特徴とする請求項３８記載の磁気共鳴イメージング装置。
【請求項４０】
前記テーブル及び最終的な前記テーブル支持フレームの前記２つの部品が、一方の部品がもう一方の部品に対し角をなすとともにそれぞれの部品が略水平な位置に対して角をなす位置に回動可能であることを特徴とする請求項３８又は３９記載の磁気共鳴イメージング装置
【請求項４１】
前記テーブル・プレート及び／又は前記テーブル支持フレームに対して装着される又は結合されるフットレストが提供されることを特徴とする請求項３３乃至４０いずれかに記載の磁気共鳴イメージング装置。
【請求項４２】
前記フットレスト及び／又は前記シート・プレートが、テーブル上に又はテーブル支持フレーム上に、前記フットレスト及び／又は前記シート・プレートを前記テーブル又は前記テーブル支持フレームに沿って、前記テーブル及び／又は前記テーブル支持フレームの長手軸方向に対して平行な両方向に摺動させるガイドを用いて支持されることを特徴とする請求項３３乃至４１いずれかに記載の磁気共鳴イメージング装置。
【請求項４３】
前記フットレスト及び／又は前記シート・プレートが、前記テーブル上で又は前記テーブル支持フレーム上で、横断方向の軸回りに特に前記テーブルの長手方向軸と直角な軸回りに枢動可能に支持されることを特徴とする請求項３３乃至４２いずれかに記載の磁気共鳴イメージング装置。
【請求項４４】
前記テーブル及び／又は前記テーブル支持フレーム及び／又は前記磁気構造及び／又は前記機械フレームが前記被験者を前記テーブルに対して異なる姿勢に保持するための手段を備えることを特徴とする請求項３３乃至４３いずれかに記載の磁気共鳴イメージング装置。
【請求項４５】
前記被験者保持手段が、前記被験者を前記テーブルに対して固定させるための取り外し可能な固定ベルトを１つ又は複数含むことを特徴とする請求項４４記載の磁気共鳴イメージング装置。
【請求項４６】
前記被験者保持手段は、腋窩支持手段、即ち前記被験者の腋窩に合わせて前記被験者を支持する手段を含むことを特徴とする請求項４４記載の磁気共鳴イメージング装置。
【請求項４７】
前記被験者保持手段が膝保持手段を含み、該膝保持手段に対して前記被験者が膝部及び／又は脚部をもたれさせて、テーブルに密着した姿勢を維持する力を加えられることを特徴とする請求項４４記載の磁気共鳴イメージング装置。
【請求項４８】
前記被験者保持手段がアームレストを備え、該アームレストはハンドル型の形状をなし、該アームレストに対して前記被験者が自分の身体をテーブルに押し付ける力を腕で加えて、姿勢の維持を補助することを特徴とする請求項４４記載の磁気共鳴イメージング装置。
【請求項４９】
前記被験者保持手段が前記テーブル又は前記テーブル支持フレームに沿ってそれらの長手方向及び／又は横断方向に摺動可能に固定されることを特徴とする請求項４４記載の磁気共鳴イメージング装置。
【請求項５０】
前記テーブル及び／又は前記テーブル支持フレーム及び／又は前記磁極片及び／又は前記磁気構造及び／又は前記機械フレームは、被験者保持手段についての複数の固定点を備え、該固定点は複数の位置の所定の範囲にかけて配置され、前記被験者保持手段は開放可能な固定手段を用いて固定されることを特徴とする請求項４４乃至４８いずれかに記載の磁気共鳴イメージング装置。
【請求項５１】
前記被験者保持手段が前記テーブル及び／又は前記テーブル支持フレーム及び／又は前記磁極片及び／又は前記磁気構造及び／又は前記機械フレームに対して、前記テーブルの横断方向軸回りに、特に前記テーブルの長手方向に直角な軸回りに角度を変位可能な方法で固定されることを特徴とする請求項４４乃至５０いずれかに記載の磁気共鳴イメージング装置。
【請求項５２】
前記膝保持手段、前記アームレスト、及び前記腋窩支持手段は、前記テーブル及び／又は前記テーブル支持フレームからの距離を調整可能であることを特徴とする請求項４４乃至５１いずれかに記載の磁気共鳴イメージング装置。
【請求項５３】
前記被験者固定ベルトはその長さを調整可能であることを特徴とする請求項４４乃至５１いずれかに記載の磁気共鳴イメージング装置。
【請求項５４】
前記被験者保持手段、前記フットレスト、前記シート、前記テーブル・プレートの前記回動可能な部分が、開放可能なロック手段を備え、開放可能なロック手段はこれらの部品を一定位置で開放可能にロックを行うことを特徴とする請求項３３乃至５３いずれかに記載の磁気共鳴イメージング装置。
【請求項５５】
磁気共鳴イメージングのための方法であって、該磁気共鳴イメージングは磁気構造とテーブルを備え、
前記磁気構造は、互いに離間対向して配置されるとともに鉛直平面に対して平行で被験者の撮像空間を定める２つの磁極片を備え、
前記テーブルは、テーブル支持フレームに固定される被験者のためのテーブルであって、テーブル及び／又はテーブルを備えるテーブル支持フレームが、前記テーブルの略長手方向に前記磁気構造に対して前記２つの磁極片の間で摺動可能であって、
該テーブルは、前記磁極片の少なくとも一本に対して略直角方向を向くように配置されるとともに、その一端にフットレストを備え、前記磁気構造の磁極片及び前記テーブル支持フレーム及びテーブル及び／又は前記磁気構造が、前記テーブルの長手軸方向を横断する軸方向の軸回り並びに前記テーブルの長手方向に平行な軸回りに同時に回転可能な前記磁気共鳴イメージング装置であって、
前記方法は、
少なくとも前記磁気構造の前記磁極片と前記テーブルを備える前記テーブル支持フレームを、前記テーブルが略水平に配置される被験者検査位置まで回転する段階と、
前記テーブル及び／又は前記テーブルを備える前記テーブル支持フレームを、前記テーブルの一部が前記磁気構造の外側に出た、終端位置にテーブルを摺動する段階と、
前記テーブル上で被験者をうつぶせか若しくは仰向けで横たわる姿勢に載置する段階と、
前記テーブル及び／又は前記テーブルを備えるテーブル支持フレームを磁気構造に対して前記テーブルの長手方向軸に沿って、磁気構造の中心が被験者の被検査領域に正確に合致するように摺動する段階と、
前記テーブル及び／又は前記テーブルを備える前記テーブル支持フレームを前記磁気構造に対して、前記テーブルが水平に配置される位置にロックする段階と、
撮像手順を実行する段階と、
前記テーブル及び／又は前記テーブルを備える前記テーブル支持フレームを前記磁気構造から、ロック解除する段階と、
前記テーブル及び／又は前記テーブル支持フレームを前記被験者が、複数の解剖学的領域とともに前記磁気構造内の前記撮像ボリュームの中央に位置するように摺動及びロックを行い、撮像手順を実行する段階と、
前記テーブル及び／又は前記テーブルを備える前記テーブル支持フレームを前記テーブルの一部が前記磁気構造の外側に来る位置に摺動する段階と、前記被験者を前記テーブルから下ろす段階とを備えることを特徴とする磁気共鳴イメージングのための方法。
【請求項５６】
磁気共鳴イメージング装置を用いた方法であって、
該磁気共鳴イメージング装置の磁気構造は、１つ又は複数の被験者保持手段を備え、
前記被験者保持手段が、前記テーブルに対して異なる位置に及び／又は前記テーブルに対して異なる方向に固定可能である方法であって、
該方法は更に、
該１つ又は複数の被験者保持手段を特定の位置において及び／又は特定の方向で前記テーブルに対して固定する段階と、
撮像を実行する段階の前に、前記１つ又は複数の被験者保持手段を前記特定の位置で及び／又は前記特定の方向でテーブルに対してロックする段階と、
撮像を実行する段階と、
撮像を実行した後及びテーブルをロック解除する前に、前記１つ又は複数の被験者保持手段をテーブルの前記所定の位置及び／又は前記所定の方向からロック解除し取外す段階とを備えることを特徴とする請求項５５記載の方法。
【請求項５７】
テーブル・プレート及び最終的なテーブル支持フレームを備えるとともに、
該テーブル・プレート及び最終的なテーブル支持フレームはプレートの横断軸方向に沿って蝶番接続される少なくとも２つの部品からなり、該テーブル及び最終的なテーブル支持フレームの２つの部品のうち少なくとも一方及び／又は両方が、互いに及び／又はテーブルのメイン方向に対して角をなす位置に回動可能である方法であって、
該方法は、
前記テーブル及び／又はテーブル支持フレームの前記２つの部品の一方又は両方を角度変位する段階と、
撮像を実行する前に、前記角度変位を行った位置において前記部品をロックする段階と、
撮像を実行した後に、前記２つの部品をロック解除し、前記２つの部品の一方又は両方を前記テーブルのメイン方向へ回動し、戻す段階とを備えることを特徴とする請求項５５又は５６記載の方法。
【請求項５８】
前記テーブル・プレート及び／又は前記テーブル支持フレームを形成する部品の少なくとも一方を回動する前に、１つ又は複数の被験者保持手段がテーブルに固定されることを特徴とする請求項５７記載の方法。
【請求項５９】
テーブル及び／又はテーブルを備えるテーブル支持フレームが略長手方向軸回りに回転可能に支持される方法であって、
該方法は更に、
該テーブルを１つ又は複数の被験者保持手段を作動した後、且つ撮像を実行する前に、前記長手方向軸回りに回転し、前記テーブルを前記回転した位置にロックする段階と、
撮像を実行した後、且つ前記被験者保持手段を取外す前に、前記テーブルを前記回転した位置からロック解除し、前記テーブルを前記略水平位置に回転して戻す段階とを備えることを特徴とする請求項５５乃至５８いずれかに記載の方法。
【請求項６０】
前記被験者保持手段は少なくともフットレスト及び／又はシート及び／又は少なくとも固定ベルト及び／又は膝保持手段及び／又は腋窩支持手段及び／又はアームレストのうち何れかを若しくはこれらの組み合わせを含むことを特徴とする請求項５５乃至５９いずれかに記載の方法。
【請求項６１】
磁気共鳴イメージング装置を用いた方法であって、該磁気共鳴イメージング装置は磁気構造とテーブルを備え、
前記磁気構造は、互いに離間対向して配置されるとともに鉛直平面に対して平行で被験者の撮像空間を定める２つの磁極片を備え、
前記テーブルは、テーブル支持フレームに摺動可能な方法で前記テーブルの略長手方向に前記磁気構造に対して前記２つの磁極片の間で被験者を固定するためのテーブルであって、
該テーブルは、前記磁極片に対して少なくとも略直角方向を向くように配置されるとともに、その一端にフットレストを備え、少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能な前記磁気共鳴イメージング装置であって、
該方法は、
少なくとも前記磁気構造の前記磁極片と前記テーブルを備える前記支持フレームを、前記テーブルが略水平に配置される被験者検査位置まで回転する段階と、
前記テーブル及び／又は前記テーブルを備える前記テーブル支持フレームを、前記テーブルの一部が前記磁気構造の外側に出た、終端位置にテーブルを摺動する段階と、
前記テーブル上で被験者をうつぶせか若しくは仰向けで横たわる姿勢に載置する段階と、
前記テーブル及び／又は前記テーブルを備えるテーブル支持フレームを磁気構造に対して前記テーブルの長手方向軸に沿って、磁気構造の中心が被験者の被検査領域に正確に合致するように摺動する段階と、
前記テーブル及び／又は前記テーブル支持フレームを前記磁気構造の中心が撮像される部分に合致するような前記位置にロックする段階と、
少なくとも前記磁極片及び前記テーブルを備える前記テーブル支持フレームを前記テーブルが、水平方向を向く位置と鉛直方向を向く位置の中間の角度位置を向くか、若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直方向を向く位置においてロックする段階と、
撮像手順を実行する段階と、
前記磁極片及び／又は前記テーブル及び／又は前記テーブルを備える前記テーブル支持フレームを回転に対してロック解除する段階と、
少なくとも前記磁極片及び／又は前記テーブル及び／又は前記テーブル支持フレームを前記テーブルが略水平方向を向く位置に回転する段階と、
前記テーブル及び／又は前記テーブルを備える前記テーブル支持フレームを少なくとも前記磁極片に対してロック解除する段階と、
前記テーブルを、前記テーブルの一部分が前記磁気構造の外側に出る位置に摺動し、前記被験者を前記テーブルから下ろす段階とを備えることを特徴とする方法。
【請求項６２】
前記テーブル又は前記テーブル支持フレームが前記水平方向を向く位置及び前記磁気構造の中心が正確に前記被験者の被検査領域に合致する場合に、前記撮像手順が実行され、少なくとも前記磁極片及び前記テーブル及び／又は前記テーブルを備える前記テーブル支持フレームが、前記テーブルが前記水平位置と前記鉛直位置の中間の角度位置、又は前記テーブルが略鉛直方向を向く位置に回転され、ロックされる場合に、第２撮像手順が実行され、
前記撮像手順を実行する前に、少なくとも前記磁極片及び前記テーブル及び／又は前記テーブル支持フレームを前記水平方向から、前記略鉛直方向へ及び／又は中間角度位置へ、及びその逆方向へ毎回回転させることにより、
少なくとも一回又は複数回、前記テーブルの前記水平方向及び前記略鉛直方向及び／又は中間角度位置における撮像手順を繰り返す段階を備えることを特徴とする請求項６１記載の方法。
【請求項６３】
前記テーブルの前記水平位置で撮像された少なくとも一枚の画像又は複数の画像、並びに前記テーブルの前記略鉛直位置又は前記中間位置で撮像された少なくとも一枚の画像又は複数の画像が、互いに比較されることを特徴とする請求項６２記載の方法。
【請求項６４】
前記被験者がうつぶせ姿勢又は仰向け姿勢のいずれかで横たわる方法であって、
該方法は、
少なくとも前記磁気構造の前記磁極片及び前記テーブル及び／又は前記テーブルを備えるテーブル支持フレームを、前記鉛直位置を越えた角度位置、即ち前記テーブルの前記被験者が横たわる側が下方向へ向かう角度位置に回転する段階とを備え、
被験者保持手段が前記被験者を解剖学的に両立可能な望ましい位置に前記テーブル表面に対して保持するために提供されることを特徴とする請求項６１記載の方法。
【請求項６５】
前記テーブルに対して複数の位置に及び／又は前記テーブルに対して複数の方向に固定可能な１つ又は複数の被験者保持手段が提供される方法であって、
前記方法は、
前記１つ又は複数の被験者保持手段を一定の位置及び／又は一定の方向で前記テーブルに対して固定する段階と、
撮像を実行する前に、前記１つ又は複数の被験者保持手段を前記一定の位置及び／又は前記一定の方向で前記テーブルに対してロックする段階と、
撮像を実行した後に、且つ前記テーブルをロック解除する前に、前記テーブルの前記一定の位置及び／又は前記一定の方向から前記１つ又は複数の被験者保持手段をロック解除して取り外す段階とを備えることを特徴とする請求項６１又は６４記載の方法。
【請求項６６】
前記テーブルに対して複数の位置に、及び／又は前記テーブルに対して複数の方向に固定可能な１つ又は複数の被験者保持手段が提供される方法であって、
該方法は、
前記１つ又は複数の被験者保持手段を一定の位置及び／又は一定の方向で前記テーブルに対して固定する段階と、
少なくとも前記磁極片及び前記テーブルを備える前記テーブル支持フレームを、略水平位置から、前記テーブルが前記鉛直位置を越えて傾斜した位置を向くとともに前記テーブルの前記支持表面が下方向へ向かう位置に回転する前に、前記１つ又は複数の被験者保持手段を前記一定の位置及び／又は前記一定の方向で前記テーブルに対してロックする段階と、
少なくとも前記磁極片及び前記テーブルを備える前記テーブル支持フレームを前記略水平位置から、前記テーブルが前記鉛直位置を越えた傾斜した位置を向くとともに前記テーブルの前記支持表面が下方向へ向かう位置に、回転して戻した後に、前記所定の位置にある前記被験者保持手段をロック解除し、前記被験者を開放するために前記被験者支持及び／又は保持手段を作動解除する段階とを備えることを特徴とする請求項６５記載の方法。
【請求項６７】
磁気共鳴イメージングのための方法であって、該磁気共鳴イメージングは磁気構造とテーブルを備え、
前記磁気構造は、互いに離間対向して配置されるとともに鉛直平面に対して平行で被験者の撮像空間を定める２つの磁極片を備え、
テーブル支持フレームに固定される被験者のためのテーブルであって、テーブル及び／又はテーブルを備えるテーブル支持フレームが、前記テーブルの略長手方向に前記磁気構造に対して前記２つの磁極片の間で摺動可能であって、
該テーブルは、前記磁極片の少なくとも一本に対して略直角方向を向くように配置されるとともに、その一端にフットレストを備え、前記磁気構造の磁極片及び前記テーブル支持フレーム及びテーブル及び／又は前記磁気構造が、前記テーブルの長手軸方向の横断軸方向の軸回り並びに平行な軸回りに同時に回転可能な前記磁気共鳴イメージング装置であって、
前記テーブル及び／又は前記テーブルを備える前記テーブル支持フレームが、その長手方向軸回りに、前記支持フレーム及び前記磁気構造に対して回転可能であって、
前記方法は、
少なくとも前記磁気構造の前記磁極片と前記テーブルを備える前記支持フレームを、前記テーブルが略水平に配置される被験者検査位置まで回転する段階と、
前記テーブル及び／又は前記テーブルを備える前記テーブル支持フレームを、前記テーブルの一部が前記磁気構造の外側に出た、終端位置にテーブルを摺動する段階と、
前記テーブル上で被験者をうつぶせか若しくは仰向けで横たわる姿勢に載置する段階と、
前記テーブル及び／又は前記テーブルを備えるテーブル支持フレームを磁気構造に対して前記テーブルの長手方向軸に沿って、磁気構造の中心が被験者の被検査領域に正確に合致するように摺動する段階と、
前記テーブル及び／又は前記テーブル支持フレームを前記磁気構造の中心が撮像される部分に合致する位置にロックする段階と、
少なくとも前記磁極片及び前記テーブル及び／又は前記テーブルを備える前記支持フレームを、前記テーブルが前記水平位置及び前記鉛直位置の中間の角度位置若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直位置でロックする段階と、
前記テーブル及び／又は前記テーブルを備える前記テーブル支持フレームをその長手軸方向回りに前記テーブルが前記磁極片に対して略平行な位置又は前記磁極片に対して角を成す位置に回転する段階と、
前記テーブル及び／又は前記テーブルを備える前記テーブル支持フレームを、前記長手方向軸に対して平行又は略平行な軸回りに前記回転した位置からロック解除する段階と、
撮像手順を実行する段階と、
前記テーブル及び／又は前記テーブルを備える前記テーブル支持フレームを、前記長手方向軸に対して平行な軸又は略平行な軸回りに回転した位置からロック解除する段階と、
前記テーブル及び／又は前記テーブルを備える前記テーブル支持フレームを、前記テーブルが前記磁極片に対して略直角となる位置に長手方向軸回りに回転して戻す段階と、
前記テーブル及び／又は前記テーブルを備える前記テーブル支持フレームを、前記中間の角度位置又は前記略鉛直位置からロック解除する段階と、
少なくとも前記磁極片及び／又は前記磁気構造及び前記テーブル及び／又は前記テーブルを備える前記テーブル支持フレームを、前記テーブルが略水平方向を向く位置に回転して戻す段階と、
前記テーブル及び／又は前記テーブルを備える前記テーブル支持フレームを、前記摺動からロック解除する段階と、
前記テーブル及び／又は前記テーブルを備える前記テーブル支持フレームを、前記テーブルの一部が前記磁気構造の外側に出る位置に摺動し、前記被験者を前記テーブルから下ろす段階とを備えることを特徴とする方法。
【請求項６８】
１つ又は複数の被験者保持手段を備えるとともに、
前記被験者保持手段が、前記テーブルに対して異なる位置に及び／又は前記テーブルに対して異なる方向に固定可能である方法であって、
該方法は更に、
該１つ又は複数の被験者保持手段を特定の位置において及び／又は特定の方向で前記テーブルに対して固定する段階と、
撮像を実行する段階の前に、前記１つ又は複数の被験者保持手段を前記特定の位置で及び／又は前記特定の方向でテーブルに対してロックする段階と、
撮像を実行する段階と、
撮像を実行した後及びテーブルをロック解除する前に、前記１つ又は複数の被験者保持手段をテーブルの前記所定の位置及び／又は前記所定の方向からロック解除し取外す段階とを備えることを特徴とする請求項６７記載の方法。
【請求項６９】
テーブル・プレート及び最終的なテーブル支持フレームを備えるとともに、
該テーブル・プレート及び最終的なテーブル支持フレームはプレートの横断軸方向に沿って蝶番接続される少なくとも２つの部品からなり、該テーブル及び最終的なテーブル支持フレームの２つの部品のうち少なくとも一方及び／又は両方が、互いに及び／又はテーブルのメイン方向に対して角をなす位置に回動可能である方法であって、
該方法は、
前記テーブル及び／又はテーブル支持フレームの前記２つの部品の一方又は両方を角度変位する段階と、
撮像を実行する前に、前記角度変位を行った位置において前記部品をロックする段階と、
撮像を実行した後に、前記２つの部品をロック解除し、前記２つの部品の一方又は両方を前記テーブルのメイン方向へ回動し、戻す段階とを備えることを特徴とする請求項６７又は６８記載の方法。
【請求項７０】
前記テーブル・プレート及び／又は前記テーブル支持フレームを形成する部品の少なくとも一方を回動する前に、１つ又は複数の被験者保持手段がテーブルに固定されることを特徴とする請求項６９記載の方法。
【請求項７１】
テーブル及び／又はテーブルを備えるテーブル支持フレームが略長手方向軸回りに回転可能に支持される方法であって、
該方法は更に、
該テーブルを１つ又は複数の被験者保持手段を作動した後、且つ撮像を実行する前に、前記長手方向軸回りに回転し、前記テーブルを前記回転した位置にロックする段階と、
撮像を実行した後、且つ前記被験者保持手段を取外す前に、前記テーブルを前記回転した位置からロック解除し、前記テーブルを前記略水平位置に回転して戻す段階とを備えることを特徴とする請求項６７乃至７０いずれかに記載の方法。
【請求項７２】
前記被験者保持手段は少なくともフットレスト及び／又はシート及び／又は少なくとも固定ベルト及び／又は膝保持手段及び／又は腋窩支持手段及び／又はアームレストのうち何れかを若しくはこれらの組み合わせを含むことを特徴とする請求項５５乃至５９いずれかに記載の方法。
【請求項７３】
磁気共鳴イメージング装置を用いた方法であって、該磁気共鳴イメージング装置は磁気構造とテーブルを備え、
前記磁気構造は、互いに離間対向して配置されるとともに鉛直平面に対して平行で被験者の撮像空間を定める２つの磁極片を備え、
前記テーブルは、被験者を固定するためのテーブルであって、該テーブル又は該テーブル支持フレームは、前記テーブルの略長手方向に前記磁気構造に対して前記２つの磁極片の間で摺動可能であって、
該テーブルは、前記磁極片に対して少なくとも略直角方向を向くように配置されるとともに、その一端にフットレストを備え、少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能な前記磁気共鳴イメージング装置であって、
該方法は、
少なくとも前記磁極片と前記テーブルと前記テーブルを備える前記支持フレームを、前記テーブルが略水平に配置される被験者検査位置まで回転する段階と、
前記テーブルを、前記テーブルの一部が前記磁気構造の外側に出た、終端位置に前記テーブルを摺動する段階と、
検査中の被験者に望ましい所定の姿勢に応じて前記被験者保持手段を位置決めする段階と、
前記被験者保持手段を作動してロックする段階と、
前記テーブルを前記磁気構造に対して前記テーブルの長手方向軸に沿って、磁気構造の中心が被験者の被検査領域に正確に合致するように摺動する段階と、
前記テーブルを前記磁気構造の中心が撮像される部分に合致するような前記位置にロックする段階と、
少なくとも前記磁極片及び前記テーブルを備える前記テーブル支持フレームを、前記テーブルが、水平方向を向く位置と鉛直方向を向く位置の中間の角度位置を向くか、若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直方向を向く位置においてロックする段階と、
前記被験者が前記テーブル上に仰向けで横たわるか若しくはうつ伏せで横たわるかによって、前記テーブルの上半分又は前記下半分を形成する少なくとも前記第１部分又は少なくとも前記第２部分又は前記第１部分及び第２部分両方を、前記テーブルの前記第１及び第２部分が互いに角をなす位置に、前方又は後方に回動する段階と、
前記テーブルの前記２つの部品を前記互いに角をなす位置にロックする段階と、
前記テーブル及び／又は前記テーブルを備える前記テーブル支持フレームを、前記磁極片に対して角をなす位置に、若しくは前記テーブルが前記磁極片に対して略平行な位置に略長手方向軸回りに回転させ、前記位置に前記テーブルをロックする段階と、
撮像を実行する段階と、
前記テーブル及び／又は前記テーブルを備える前記テーブル支持フレームをその略長手方向軸回りの回転からロック解除し、前記テーブル及び／又は前記テーブルを備える前記テーブル支持フレームをその略長手方向軸回りに、前記テーブルが前記磁極片に対して略直角な位置に回転して戻す段階と、
前記テーブルの前記２つの部品を前記互いに角をなす位置からロック解除する段階と、
前記テーブルの上半分又は前記下半分を形成する少なくとも前記第１部分又は少なくとも前記第２部分又は前記第１部分及び第２部分両方を、前記テーブルの前記第１及び第２部分が互いに揃う元の位置に、回動して戻す段階と、
前記中間の角度位置又は前記略鉛直位置における少なくとも前記磁極片及び前記テーブル及び／又は前記テーブルを備える前記テーブル支持フレームをロック解除する段階と、
少なくとも前記テーブル及び前記支持フレームを前記テーブルが略水平な方向を向く位置に回転する段階と、
前記位置にある前記テーブルを摺動からロック解除する段階と、
前記テーブルを前記テーブルの一部分が前記磁気構造の外側に出る位置に摺動させて、前記被験者を前記テーブルから下ろす段階とを備えることを特徴とする請求項７３記載の方法。
【請求項７４】
磁気共鳴イメージング装置を用いた方法であって、該磁気共鳴イメージング装置は磁気構造とテーブルとロック手段と被験者保持手段を備え、
前記磁気構造は、互いに離間対向して配置されるとともに鉛直平面に対して平行で被験者の撮像空間を定める２つの磁極片を備え、
前記テーブルは、被験者を固定するためのテーブルであって、該テーブル又は該テーブル支持フレームは、前記テーブルの略長手方向に前記磁気構造に対して前記２つの磁極片の間で摺動可能であって、
該テーブルは、前記磁極片に対して少なくとも略直角方向を向くように配置されるとともに、その一端にフットレストを備え、少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能であって、該テーブルは該テーブルの前記２つの部品の少なくとも一方又は両方が、前記テーブル又は前記テーブル支持フレームの略横断方向軸に沿って、角をなす位置に又は前記テーブルのもう一方の部品に対して略直角な位置に角度変位可能な方法で、蝶番接続された第１及び第２部品により形成され、
ロック手段が前記テーブルの少なくとも一方若しくは第１及び第２部品の両方を、前記テーブルの他の部分に対して角をなす位置に、ロックするために提供され、
更に被験者保持手段が作動起動並びに作動解除が可能であって、前記テーブル及び／又は前記テーブル支持フレームに対して摺動及び／又は角度変位の何れかを行うことで変位可能であって、
該方法は、
少なくとも前記磁極片と前記テーブルと前記テーブルを備える前記支持フレームを、前記テーブルが略水平に配置される被験者検査位置まで回転する段階と、
前記テーブルを、前記テーブルの一部が前記磁気構造の外側に出た、終端位置に前記テーブルを摺動する段階と、
検査中の被験者に望ましい所定の姿勢に応じて前記被験者保持手段を位置決めする段階と、
前記被験者保持手段を作動してロックする段階と、
前記テーブルを前記位置において摺動に対してロックする段階と、
少なくとも前記磁極片及び前記テーブル及び／又は前記テーブルを備える前記テーブル支持フレームを、前記テーブルが略水平位置と略鉛直位置の中間の角度位置へ又は前記テーブルが略鉛直方向を向く位置へ回転する段階と、
少なくとも前記磁極片及び前記テーブル及び／又は前記テーブルを備えるテーブル支持フレームを前記中間の角度位置に又は前記略鉛直位置にロックする段階と、
前記被験者が前記テーブル上に仰向けで横たわるか若しくはうつぶせで横たわるかによって、前記テーブルの上半分又は下半分を形成する少なくとも前記第１部分又は少なくとも前記第２部分又は前記第１部分及び第２部分両方を、前記テーブルの前記第１及び第２部分が互いに角をなす位置に、前方又は後方に回動する段階と、
前記テーブルの前記２つの部品を前記互いに角をなす位置にロックする段階と、
撮像手順を実行する段階と、
前記テーブルの前記２つの部品を前記互いに角をなす位置からロック解除する段階と、
前記テーブルの上半分又は前記下半分を形成する少なくとも前記第１部分又は少なくとも前記第２部分又は前記第１部分及び第２部分の両方を、前記テーブルの前記第１及び第２部分が互いに揃う元の位置に、回動して戻す段階と、
前記中間の角度位置又は前記略鉛直位置における少なくとも前記磁極片及び前記テーブル及び／又は前記テーブルを備える前記テーブル支持フレームをロック解除する段階と、
少なくとも前記テーブル及び前記支持フレームを前記テーブルが略水平な方向を向く位置に回転する段階と、
前記位置にある前記テーブルを摺動からロック解除する段階と、
前記テーブルを前記テーブルの一部分が前記磁気構造の外側に出る位置に摺動させて、前記被験者を前記テーブルから下ろす段階とを備えることを特徴とする方法。
【請求項７５】
磁気共鳴イメージング装置を用いた方法であって、該磁気共鳴イメージング装置は磁気構造とテーブルを備え、
前記磁気構造は、互いに離間対向して配置されるとともに鉛直平面に対して平行で被験者の撮像空間を定める２つの磁極片を備え、
前記テーブルは、テーブル支持フレームに摺動可能な方法で前記テーブルの略長手方向に前記磁気構造に対して前記２つの磁極片の間で被験者を固定するためのテーブルであって、
該テーブルは、前記磁極片に対して少なくとも略直角方向を向くように配置されるとともに、
少なくとも前記磁気構造の磁極片及び前記テーブル支持フレーム及び前記テーブルが、前記テーブルの長手軸方向の横断方向の軸回り並びに略平行な軸回りに同時に回転可能であって、
該方法は、
前記磁極片及び前記テーブルを備える前記支持フレームを、前記テーブルが水平でない位置に回転する段階と、
傾斜した状態、特に前記テーブルに対して略直角な状態で固定されるシートを提供する段階と、
前記被験者を前記シート・プレートに座らせる段階と、
撮像手順を実行する段階と、
前記被験者を前記磁気構造から下ろす段階とを備えることを特徴とする方法。
【請求項７６】
前記テーブル及び／又は、前記シートを備える前記テーブル支持フレームの角度位置を調節する段階を更に備えることを特徴とする請求項７５記載の方法。
【請求項７７】
磁気共鳴イメージングを実行するための方法であって、
前記テーブル及び／又は前記テーブルを備える前記テーブル支持フレームが、それらの長手方向軸に対して一致する又は平行な軸回りに、前記支持フレーム及び前記磁気構造に対して回転可能であって、
少なくとも前記磁極片及び前記テーブルを備える前記支持フレームを前記テーブルが水平でない位置に回転する段階と、
前記テーブルを前記位置にロックする段階と、
前記テーブル及び／又は前記テーブル支持フレームに対して角を成す位置に固定されたシート・プレートを提供する段階と、
前記被験者を前記シート・プレートに座らせる段階と、
前記テーブル及び／又は前記テーブルを備える前記テーブル支持フレームを、それらの長手方向軸に対して一致する又は平行な軸回りに、前記テーブルが前記磁極片に対して平行な位置に又は前記磁極片に対して角を成す位置に、回転する段階と、
前記テーブルを前記位置でロックする段階と、
撮像手順を実行する段階と、
前記テーブルを、その長手方向軸に対して一致する又は平行な軸回りの前記回転から解除し、前記テーブル及び／又は前記テーブルを備える前記テーブル支持フレームを、前記テーブルが前記磁極片に対して略直角な位置へ回転して戻す段階と、
前記被験者を前記磁気構造から下ろす段階とを備えることを特徴とする請求項７５又は７６記載の方法。
【請求項７８】
磁気共鳴イメージング装置を用いた方法であって、磁気共鳴イメージング装置は磁気構造とテーブルを備え、
前記磁気構造は、互いに離間対向して配置されるとともに鉛直平面に対して平行で被験者の撮像空間を定める２つの磁極片を備え、
前記テーブルは、テーブル支持フレームに摺動可能な方法で前記テーブルの略長手方向に前記磁気構造に対して前記２つの磁極片の間で被験者を固定するためのテーブルであって、
該テーブルは、前記磁極片に対して少なくとも略直角方向を向くように配置されるとともに、
少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能であって、
１つ又は複数の被験者保持手段が提供され、該被験者保持手段は前記テーブル及び／又は前記テーブル支持フレーム及び／又は磁極片及び／又は磁気構造及び／又は機械フレームを前記テーブルに対して異なる位置に及び／又は前記テーブルに対して異なる方向に固定可能であって、
該方法は、
（ａ）少なくとも前記磁極片及び前記テーブル及び／又は前記テーブルを備える前記テーブル支持フレームを、前記テーブルが略水平な位置に回転する段階と、
（ｂ）傾斜した状態、特に前記テーブルに対して略直角な状態に固定したシート・プレートを提供する段階と、
（ｃ）１つ又は複数の被験者保持手段を被験者が所定の姿勢をとれるように、所定の位置且つ所定の方向に提供する段階と、
（ｄ）撮像手順を実行する段階と、
（ｅ）少なくとも前記磁極片及び前記テーブル及び／又は前記テーブルをともなった前記テーブル支持フレームを、前記テーブルが水平でない位置に回転し、ロックする段階と、
（ｆ）撮像手順を実行する段階と、
（ｇ）段階（ａ）乃至（ｆ）を複数回繰り返す段階と、
（ｈ）前記１つ又は複数の被験者保持手段及び／又は被験者シートを取り外し、作動解除する段階と、
（ｉ）前記被験者を前記磁気構造から下ろす段階と、
（ｊ）前記段階（ｄ）及び前記段階（ｆ）で得られた複数の画像の比較を行い、該画像の差異を強調表示する段階とを備えることを特徴とする方法。
【請求項７９】
前記画像はソフトウェア・ツールを用いて比較が行われることを特徴とする請求項７８記載の方法。
【請求項８０】
前記テーブル及び／又は前記テーブルを備える前記テーブル支持フレームが、それらの長手方向軸に対して一致する又は平行な軸回りに、前記支持フレーム及び前記磁気構造に対して回転可能であって、
該方法は、
前記テーブル及び／又は前記テーブルを備える前記テーブル支持フレームをその長手方向軸に対して一致する又は平行な軸回りに、前記テーブルが前記磁極片に対して平行な位置又は前記磁極片に対して角をなす位置に回転する段階と、
段階（ａ）又は段階（ｂ）又は段階（ｃ）を実行した後、及び／又は段階（ｅ）を実行した後に、前記テーブルを前記位置にロックする段階と、
段階（ａ）又は段階（ｂ）又は段階（ｃ）を実行した後、及び／又は段階（ｅ）を実行した後に、前記テーブルをその長手方向軸に対して一致する又は略平行な前記軸回りの回転に対して、ロック解除する段階と、前記テーブル及び／又は前記テーブルを備える前記テーブル支持フレームを、前記テーブルが前記磁極片に対して略直角な位置に回転して戻す段階とを更に備えることを特徴とする請求項７８又は７９記載の方法。
【請求項８１】
テーブル・プレート及び最終的なテーブル支持フレームを備えるとともに、
該テーブル・プレート及び最終的なテーブル支持フレームはプレートの横断軸方向に沿って蝶番接続される少なくとも２つの部品からなり、該テーブル及び最終的なテーブル支持フレームの２つの部品のうち少なくとも一方及び／又は両方が、互いに及び／又はテーブルのメイン方向に対して角をなす位置に回動可能である方法であって、
該方法は、
前記段階（ｇ）及び／又は前記段階（ｆ）による撮像を実行する前に、前記テーブル・プレート及び／又は前記テーブル支持プレートの前記２つの部品のうち一方若しくは両方の角度を変位し、該角度を変位した位置において前記部品をロックする段階と、
前記段階（ｇ）及び／又は前記段階（ｆ）による撮像を実行した後に、前記２つの部品をロック解除し、前記２つの部品のうち一方又は両方を、前記テーブルのメイン方向に回動して戻す段階とを備えることを特徴とする請求項７８乃至８０記載の方法。
【請求項８２】
前記被験者保持手段が少なくともフットレスト、及び／又は少なくともアームレスト及び／又は膝保持手段及び／又は腋窩支持手段を含むことを特徴とする請求項７８乃至８１いずれかに記載の方法。
【請求項８３】
磁気共鳴イメージングと組み合わせて診断を実行する方法であって、該撮像のための装置は、磁気構造とテーブルを備え、
前記磁気構造は、互いに離間対向して配置されるとともに鉛直平面に対して平行で被験者の撮像空間を定める２つの磁極片を備え、
前記テーブルは、被験者を固定するためのテーブルであって、該テーブル又は該テーブル支持フレームは、前記テーブルの略長手方向に前記磁気構造に対して前記２つの磁極片の間で摺動可能であって、
該テーブルは、前記磁極片に対して少なくとも略直角方向を向くように配置されるとともに、その一端にフットレストを備え、少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能であって、
該方法は、
少なくとも前記磁気構造の前記磁極片と前記テーブルを備える前記支持フレームを、前記テーブルが略水平に配置される被験者検査位置まで回転する段階と、
前記テーブル及び／又は前記テーブルを備える前記テーブル支持フレームを、前記テーブルの一部が前記磁気構造の外側に出る終端位置にテーブルを摺動する段階と、
前記テーブル上で被験者をうつぶせか若しくは仰向けで横たわる姿勢に載置する段階と、
前記テーブル及び／又は前記テーブルを備えるテーブル支持フレームを磁気構造に対して前記テーブルの長手方向軸に沿って、磁気構造の中心が被験者の被検査領域に正確にあうように摺動する段階と、
前記テーブル及び／又は前記テーブル支持フレームを前記磁気構造の中心が撮影される部分に合致する位置にロックする段階と、
撮像手順を実行する段階と、
前記テーブル及び／又は前記テーブルを備える前記テーブル支持フレームを前記磁気構造に対してロック解除する段階と、
前記テーブル及び／又は前記テーブルを備える前記テーブル支持フレームを、診断を行う必要がある解剖学的領域を載せた前記テーブルの一部分が前記磁気構造の外側に来る位置に摺動し、摺動後に前記テーブルを摺動後の位置でロックする段階と、
少なくとも診断の一部を実行するか又は診断を完了する段階と、
診断が完了するまで、以下の段階を１回又は複数回繰り返す段階とを備え、
該以下の段階が、
ロック解除し、前記テーブル及び／又は前記テーブルを備える前記テーブル支持フレームをその長手方向に沿って、前記磁気構造に対して、前記磁気構造の中心が前記被験者の被検査領域に正確に合致するように摺動して戻す段階と、
前記テーブル及び／又は前記テーブルを備える前記テーブル支持フレームを前記磁気構造に対して、前記テーブルが略水平な位置にロックする段階と、
撮像を実行する段階と、
更に前記テーブル及び／又は前記テーブルを備える前記テーブル支持フレームを前記磁気構造に対してロック解除する段階と、
前記テーブル及び／又は前記テーブルを備える前記テーブル支持フレームを、診断を行う必要がある解剖学的領域を載せた前記テーブルの一部分が前記磁気構造の外側に来る位置に摺動し、摺動後前記テーブルを摺動後の位置でロックする段階と、
少なくとも診断の部分的な段階を進めるか若しくは診断を完了する段階と、
診断完了時に前記被験者を前記テーブルから下ろす段階とを含むことを特徴とする方法。
【請求項８４】
１つ又は複数の被験者保持手段を備えるとともに、
前記被験者保持手段が、前記テーブルに対して異なる位置に及び／又は前記テーブルに対して異なる方向に固定可能である方法であって、
該方法は更に、
該１つ又は複数の被験者保持手段を特定の位置において及び／又は特定の方向で前記テーブルに対して固定する段階と、
撮像を実行する段階の前に、前記１つ又は複数の被験者保持手段を前記特定の位置で及び／又は前記特定の方向でテーブルに対してロックする段階と、
撮像を実行する段階と、
撮像を実行した後及びテーブルをロック解除する前に、前記１つ又は複数の被験者保持手段を、テーブルの前記所定の位置及び／又は前記所定の方向からロック解除し取外す段階とを備えることを特徴とする請求項８３記載の方法。
【請求項８５】
テーブル・プレート及び最終的なテーブル支持フレームを備えるとともに、
該テーブル・プレート及び最終的なテーブル支持フレームはプレートの横断軸方向に沿って蝶番接続される少なくとも２つの部品からなり、該テーブル及び最終的なテーブル支持フレームの２つの部品のうち少なくとも一方及び／又は両方が、互いに及び／又はテーブルのメイン方向に対して角をなす位置に回動可能である方法であって、
該方法は、
前記テーブル及び／又はテーブル支持フレームの前記２つの部品の一方又は両方を角度変位する段階と、
前記角度変位を行った位置において前記部品をロックする段階と、
前記ロックする段階の後に撮像を行う段階と、
撮像を行う段階の後に、前記２つの部品の一方又は両方を元の位置へ前記テーブルのメイン方向へ摺動する段階とを備えることを特徴とする請求項８３又は８４記載の方法。
【請求項８６】
前記テーブル・プレート及び／又は前記テーブル支持フレームを形成する部品の少なくとも一方を回動する前に、１つ又は複数の被験者保持手段がテーブルに固定されることを特徴とする請求項８５記載の方法。
【請求項８７】
テーブル及び／又はテーブルを備えるテーブル支持フレームが略長手方向軸回りに回転可能に支持される方法であって、
該方法は更に、
該テーブルを１つ又は複数の被験者保持手段を作動した後、前記長手方向軸回りに回転し、前記テーブルを前記回転した位置にロックする段階と、
撮像を実行した後、且つ前記被験者保持手段を取外す前に、前記テーブルを前記回転した位置からロック解除し、前記テーブルを前記略水平位置に回転して戻す段階とを備えることを特徴とする請求項８３乃至８６いずれかに複数記載の方法。
【請求項８８】
前記被験者保持手段は少なくとも１つのフットレスト及び／又はシート及び／又は少なくとも１つの固定ベルト及び／又は膝保持手段及び／又は腋窩支持手段及び／又はアームレストのうち何れかを若しくはこれらの組み合わせを含むことを特徴とする請求項８３乃至８７いずれかに記載の方法。
【請求項８９】
磁気共鳴イメージングと組み合わせて診断を行うための方法であって、該磁気共鳴イメージングは磁気構造とテーブルを備え、
前記磁気構造は、互いに離間対向して配置されるとともに鉛直平面に対して平行で被験者の撮像空間を定める２つの磁極片を備え、
前記テーブルは、被験者を固定するためのテーブルであって、該テーブル又は該テーブル支持フレームは、前記テーブルの略長手方向に前記磁気構造に対して前記２つの磁極片の間で摺動可能であって、
該テーブルは、前記磁極片に対して少なくとも略直角方向を向くように配置されるとともに、その一端にフットレストを備え、少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能な前記磁気共鳴イメージング装置であって、
該方法は、
少なくとも前記磁極片と前記テーブルと前記テーブルを備える前記支持フレームを、前記テーブルが略水平に配置される被験者検査位置まで回転する段階と、
前記テーブルを、前記テーブルの一部が前記磁気構造の外側に出る終端位置に前記テーブルを摺動する段階と、
前記テーブル上の被験者を仰向けで横たわる姿勢か若しくはうつぶせで横たわる姿勢に載置する段階と、
前記テーブル及び／又は前記テーブル支持フレームを、その長手方向軸に沿って、前記磁気構造に対して前記磁気構造の中心が被験者の被検査領域に正確に合致するように摺動する段階と、
前記テーブル及び／又は前記テーブル支持フレームを、前記磁気構造の中心が撮像される部分に合致するような前記位置にロックする段階と、
少なくとも前記磁極片及び前記テーブルを備える前記テーブル支持フレームを、前記テーブルが水平方向を向く位置と鉛直方向を向く位置の中間の角度位置を向く位置に、若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直方向を向く位置においてロックする段階と、
撮像手順を実行する段階と、
前記磁極片及び／又は前記テーブル及び／又は前記テーブルを備えるテーブル支持フレームを回転からロック解除する段階と、
少なくとも前記磁極片及び／又は前記テーブル及び／又は前記テーブル支持フレームを前記テーブルが略水平な位置に回転し、ロックする段階と、
前記第１診断段階を実行するか若しくは診断を完了する段階と、
診断が完了するまで、以下の段階を１回又は複数回実行する段階とを備え、
該以下の段階が、
ロック解除し、少なくとも前記磁極片及び／又は前記テーブル及び／又は前記テーブルを備える前記テーブル支持フレームをその長手方向に沿って、前記磁気構造に対して、前記テーブルが前記水平位置と前記鉛直位置の中間の角度を向く位置に、若しくは前記テーブルが略鉛直方向を向く位置に回転して戻す段階と、
撮像手順を実行する段階と、
少なくとも前記磁極片及び／又は前記テーブル及び／又は前記テーブルを備える前記テーブル支持フレームを回転から解除し、前記テーブルが略水平を向く位置に回転する段階と、
診察の段階を更に進めるか若しくは診察を完了する段階と、
前記診察を行った後に、前記テーブル及び／又は前記テーブルを備えるテーブル支持フレームを、少なくとも前記磁極片からロック解除する段階と、
前記テーブルを、前記テーブルの一部分が前記磁気構造の外側に出る位置に摺動させ、前記被験者を前記テーブルから下ろす段階とを含むことを特徴とする方法。
【請求項９０】
前記テーブル及び／又は前記テーブルを備える前記テーブル支持フレームを、撮像手順が実行される度に、前記診断が実行される解剖学的領域の中心が前記磁気構造の磁極片の間の撮像ボリューム内にあう位置に、若しくは前記診断が実行される解剖学的領域が、前記磁極片により定義される前記撮像ボリュームの外側に来る位置に、ロック解除、摺動、及びロックを行う段階を更に備えることを特徴とする請求項８９記載の方法。
【請求項９１】
前記被験者がうつぶせ姿勢又は仰向け姿勢のいずれかで横たわる方法であって、
該方法は、
少なくとも前記磁気構造の前記磁極片及び前記テーブル及び／又は前記テーブルを備えるテーブル支持フレームを、前記鉛直位置を越えた角度位置、即ち前記被験者の背面側が下方向へ向かう角度位置に回転する段階とを備え、
撮像が実行される際に、被験者保持手段が前記被験者を解剖学的に両立可能な望ましい位置に前記テーブル表面に対して保持するために提供されることを特徴とする請求項９０記載の方法。
【請求項９２】
前記テーブルに対して複数の位置に及び／又は前記テーブルに対して複数の方向に固定可能な１つ又は複数の被験者保持手段が提供される方法であって、
前記方法は、
前記１つ又は複数の被験者保持手段を一定の位置及び／又は一定の方向で前記テーブルに対して固定する段階と、
撮像を実行する前に、前記１つ又は複数の被験者保持手段を前記一定の位置及び／又は前記一定の方向で前記テーブルに対してロックする段階と、
撮像を実行した後に、且つ前記テーブルをロック解除する前に、前記テーブルの前記一定の位置及び／又は前記一定の方向から前記１つ又は複数の被験者保持手段をロック解除して取り外す段階とを備えることを特徴とする請求項８９乃至９１記載の方法。
【請求項９３】
前記テーブルに対して複数の位置に、及び／又は前記テーブルに対して複数の方向に固定可能な１つ又は複数の被験者保持手段が提供される方法であって、
該方法は、
前記１つ又は複数の被験者保持手段を一定の位置及び／又は一定の方向で前記テーブルに対して固定する段階と、
少なくとも前記磁極片及び前記テーブルを備える前記テーブル支持フレームを、略水平位置から、前記テーブルが前記鉛直位置を越えて傾斜した位置を向くとともに前記テーブルの前記支持表面が下方向を向かう位置に回転する前に、前記１つ又は複数の被験者保持手段を前記一定の位置及び／又は前記一定の方向で前記テーブルに対してロックする段階と、
少なくとも前記磁極片及び前記テーブルを備える前記テーブル支持フレームを前記略水平位置に回転して戻した後に、前記所定の位置にある前記被験者保持手段をロック解除し、前記被験者を開放するために前記被験者支持及び／又は保持手段を作動解除する段階とを備えることを特徴とする請求項９２記載の方法。
【請求項９４】
磁気共鳴イメージングと組み合わせて診断を行うための方法であって、該磁気共鳴イメージングは磁気構造とテーブルを備え、
前記磁気構造は、互いに離間対向して配置されるとともに鉛直平面に対して平行で被験者の撮像空間を定める２つの磁極片を備え、
前記テーブルは、テーブル支持フレームに固定される被験者のためのテーブルであって、テーブル及び／又はテーブルを備えるテーブル支持フレームが、前記テーブルの略長手方向に前記磁気構造に対して前記２つの磁極片の間で摺動可能であって、
該テーブルは、前記磁極片の少なくとも１本に対して略直角方向を向くように配置されるとともに、その一端にフットレストを備え、前記磁気構造の磁極片及び前記テーブル支持フレーム及びテーブル及び／又は前記磁気構造が、前記テーブルの長手軸方向の横断軸方向の軸回り並びに前記テーブルに平行な軸回りに同時に回転可能な前記磁気共鳴イメージング装置であって、
前記テーブル及び／又は前記テーブルを備える前記テーブル支持フレームが、その長手方向軸回りに、前記支持フレーム及び前記磁気構造に対して回転可能であって、
前記方法は、
少なくとも前記磁気構造の前記磁極片と前記テーブルを備える前記支持フレームを、前記テーブルが略水平に配置される被験者検査位置まで回転する段階と、
前記テーブル及び／又は前記テーブルを備える前記テーブル支持フレームを、前記テーブルの一部が前記磁気構造の外側に出る終端位置にテーブルを摺動する段階と、
前記テーブル上で被験者をうつぶせか若しくは仰向けで横たわる姿勢に載置する段階と、
前記テーブル及び／又は前記テーブルを備えるテーブル支持フレームを磁気構造に対して前記テーブルの長手方向軸に沿って、磁気構造の中心が被験者の被検査領域に正確に合致するように摺動する段階と、
前記テーブル及び／又は前記テーブル支持フレームを前記磁気構造の中心が撮像される部分に合致する位置にロックする段階と、
少なくとも前記磁極片及び前記テーブル及び／又は前記テーブルを備える前記支持フレームを、前記テーブルが前記水平位置及び前記鉛直位置の中間の角度位置若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直位置でロックする段階と、
前記テーブル及び／又は前記テーブルを備える前記テーブル支持フレームをその長手方向軸回りに前記テーブルが前記磁極片に対して略平行な位置又は前記磁極片に対して角を成す位置に回転する段階と、
前記テーブル及び／又は前記テーブルを備える前記テーブル支持フレームを前記長手方向軸に対して平行又は略平行な軸回りに回転した位置にロックする段階と、
撮像手順を実行する段階と、
前記テーブル及び／又は前記テーブルを備える前記テーブル支持フレームを、前記長手方向軸に対して平行又は略平行な軸回りに前記回転した位置からロック解除する段階と、
前記テーブル及び／又は前記テーブルを備える前記テーブル支持フレームを、前記テーブルが前記磁極片に対して略直角を向く位置に回転して戻す段階と、
少なくとも前記磁極片及び前記テーブル及び／又は前記テーブルを備えるテーブル支持フレームを前記中間の角度位置若しくは前記略鉛直位置から解除する段階と、
少なくとも前記磁極片及び／又は前記磁気構造及び前記テーブル及び／又は前記テーブルを備える前記テーブル支持フレームを、前記テーブルが略水平となる位置に回転して戻し、ロックする段階と
診断を更に進めるか若しくは診断を完了する段階と、
更に診断を進めるか若しくは診断を完了するために以下の段階を備え、
該以下の段階は、
ロック解除し、少なくとも前記磁極片及び前記テーブル及び／又は前記テーブルを備える前記テーブル支持フレームをその長手方向に沿って、前記磁気構造に対して、前記テーブルが前記水平位置と前記鉛直位置の中間の角度を向く位置に、若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直方向を向く位置においてロックする段階と、
前記テーブル及び／又は前記テーブルを備えるテーブル支持フレームを、その長手方向軸回りに、前記テーブルが前記磁極片に対して略平行な位置に、若しくは前記磁極片に対して角をなす位置に回転する段階と、
前記テーブル及び／又は前記テーブルを備える前記テーブル支持フレームをその長手方向軸に対して平行な又は略平行な前記軸回りの回転に対して、ロックする段階と、
撮像手順を実行する段階と、
前記テーブル及び／又は前記テーブルを備える前記テーブル支持フレームをその長手方向軸に対して平行な又は略平行な前記軸回りの回転から、ロック解除する段階と、
前記テーブル及び／又は前記テーブルを備える前記テーブル支持フレームを、前記テーブルが前記磁極片に対して略直角な位置に回転して戻す段階と、
少なくとも前記磁極片及び前記テーブル及び／又は前記テーブルを備える前記テーブル支持フレームを前記中間の角度位置又は前記略鉛直方向を向く位置からロック解除する段階と、
少なくとも前記磁極片及び／又は前記磁気構造及び前記テーブル及び／又は前記テーブルを備える前記テーブル支持フレームを、前記テーブルが略水平となる位置に回転して戻し、ロックする段階と
診断を更に進めるか若しくは診断を完了する段階と、
前記診断が完了した後、前記テーブル及び／又は前記テーブルを備える前記テーブル支持フレームを、前記摺動に対して、ロック解除する段階と、
前記テーブル及び／又は前記テーブルを備える前記テーブル支持フレームを前記テーブルの一部分が前記磁気構造の外側に出るように摺動させ、前記被験者を前記テーブルから下ろす段階とを含むことを特徴とする方法。
【請求項９５】
前記テーブル及び／又は前記テーブルを備える前記テーブル支持フレームを、撮像手順が実行される度に、前記診断が実行される解剖学的領域の中心が前記磁気構造の磁極片の間の撮像ボリューム内に合致する位置に、若しくは前記診断が実行される解剖学的領域が、前記磁極片により定義される前記撮像ボリュームの外側に来る位置に、ロック解除、摺動、及びロックを行う段階を更に備えることを特徴とする請求項９４記載の方法。
【請求項９６】
前記テーブルに対して複数の位置に及び／又は前記テーブルに対して複数の方向に固定可能な１つ又は複数の被験者保持手段が提供される方法であって、
前記方法は、
前記１つ又は複数の被験者保持手段を一定の位置及び／又は一定の方向で前記テーブルに対して固定する段階と、
撮像を実行する前に、前記１つ又は複数の被験者保持手段を前記一定の位置及び／又は前記一定の方向で前記テーブルに対してロックする段階と、
撮像を実行した後に、且つ前記テーブルをロック解除する前に、前記テーブルの前記一定の位置及び／又は前記一定の方向から前記１つ又は複数の被験者保持手段をロック解除して取り外す段階とを備えることを特徴とする請求項９４又は９５記載の方法。
【請求項９７】
テーブル・プレート及び最終的なテーブル支持フレームを備えるとともに、
該テーブル・プレート及び最終的なテーブル支持フレームはプレートの横断軸方向に沿って蝶番接続される少なくとも２つの部品からなり、該テーブル及び最終的なテーブル支持フレームの２つの部品のうち少なくとも一方及び／又は両方が、互いに及び／又はテーブルのメイン方向に対して角をなす位置に回動可能である方法であって、
該方法は、
前記テーブル及び／又はテーブル支持フレームの前記２つの部品の一方又は両方を角度変位する段階と、
撮像を実行する前に、前記角度変位を行った位置において前記部品をロックする段階と、
撮像を実行した後に、前記２つの部品をロック解除し、前記２つの部品の一方又は両方を前記テーブルのメイン方向へ回動し、戻す段階とを備えることを特徴とする請求項９４乃至９６記載の方法。
【請求項９８】
前記テーブル・プレート及び／又は前記テーブル支持フレームを形成する部品の少なくとも一方を回動する前に、１つ又は複数の被験者保持手段がテーブルに固定されることを特徴とする請求項９７記載の方法。
【請求項９９】
テーブル及び／又はテーブルを備えるテーブル支持フレームが略長手方向軸回りに回転可能に支持される方法であって、
該方法は更に、
該テーブルを１つ又は複数の被験者保持手段を作動した後、且つ撮像を実行する前に、前記長手方向軸回りに回転し、前記テーブルを前記回転した位置にロックする段階と、
撮像を実行した後、且つ診断を実行する前に、前記テーブルを前記回転した位置からロック解除し、前記テーブルを前記略水平位置に回転して戻す段階とを備えることを特徴とする請求項９４乃至９８いずれかに記載の方法。
【請求項１００】
前記被験者保持手段は少なくともフットレスト及び／又はシート及び／又は少なくとも固定ベルト及び／又は膝保持手段及び／又は腋窩支持手段及び／又はアームレストのうち何れかを若しくはこれらの組み合わせを含むことを特徴とする請求項９４乃至９９いずれかに記載の方法。
【請求項１０１】
磁気共鳴イメージング装置を用いて診断を実行するための方法であって、該磁気共鳴イメージング装置は磁気構造とテーブルとロック手段と被験者保持手段を備える装置を備え、
前記磁気構造は、互いに離間対向して配置されるとともに鉛直平面に対して平行で被験者の撮像空間を定める２つの磁極片を備え、
前記テーブルは、被験者を固定するためのテーブルであって、該テーブル又は該テーブル支持フレームは、前記テーブルの略長手方向に前記磁気構造に対して前記２つの磁極片の間で摺動可能であって、
該テーブルは、前記磁極片に対して少なくとも略直角方向を向くように配置されるとともに、その一端にフットレストを備え、少なくとも前記磁気構造の磁極片、前記テーブル支持フレーム及び前記テーブルが、前記テーブルの長手軸方向の横断方向の軸回り並びに前記テーブルに略平行な軸回りに同時に回転可能であって、該テーブルは該テーブルの前記２つの部品の少なくとも一方又は両方が、前記テーブル又は前記テーブル支持フレームの略横断方向軸に沿って、角をなす位置に又は前記テーブルのもう一方の部品に対して略直角な位置に角度変位可能な方法で、蝶番接続された第１及び第２部品により形成され、
ロック手段が前記テーブルの少なくとも一方若しくは第１及び第２部品の両方を、前記テーブルの他の部分に対して角をなす位置に、ロックするために提供され、
更に被験者保持手段が作動起動並びに作動解除が可能であって、前記テーブル及び／又は前記テーブル支持フレームに対して摺動及び／又は角度変位の何れかを行うことで変位可能であって、
該方法は、
少なくとも前記磁極片と前記テーブルと前記テーブルを備える前記支持フレームを、前記テーブルが略水平に配置される被験者検査位置まで回転する段階と、
前記テーブルを、前記テーブルの一部が前記磁気構造の外側に出る終端位置に前記テーブルを摺動する段階と、
前記被験者を前記テーブル上で仰向け姿勢又はうつぶせ姿勢で横たわるように載置する段階と、
検査中の被験者に望ましい所定の姿勢に応じて前記被験者保持手段を位置決めする段階と、
前記被験者保持手段を作動してロックする段階と、
前記テーブルを前記磁気構造に対して前記テーブルの長手方向軸に沿って、磁気構造の中心が被験者の被検査領域に正確に合致するように摺動する段階と、
前記テーブルを前記磁気構造の中心が撮像される部分に合致するような前記位置にロックする段階と、
少なくとも前記磁極片及び前記テーブルを備える前記テーブル支持フレームを、前記テーブルが、水平方向を向く位置と鉛直方向を向く位置の中間の角度位置を向くか、若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直方向を向く位置においてロックする段階と、
前記被験者が前記テーブル上に仰向けで横たわるか若しくはうつぶせで横たわるかによって、前記テーブルの上半分又は前記下半分を形成する少なくとも前記第１部分又は少なくとも前記第２部分又は前記第１部分及び第２部分両方を、前記テーブルの前記第１及び第２部分が互いに角をなす位置に、前方又は後方に摺動する段階と、
前記テーブルの前記２つの部品を前記互いに角をなす位置にロックする段階と、
前記テーブル及び／又は前記テーブルを備える前記テーブル支持フレームを、前記磁極片に対して角をなす位置に、若しくは前記テーブルが前記磁極片に対して略平行な位置に略長手方向軸回りに回転させ、前記位置に前記テーブルをロックする段階と、
撮像を実行する段階と、
前記テーブル及び／又は前記テーブルを備える前記テーブル支持フレームをその略長手方向軸回りの回転からロック解除し、前記テーブル及び／又は前記テーブルを備える前記テーブル支持フレームをその略長手方向軸回りに、前記テーブルが前記磁極片に対して略直角な位置に回転して戻す段階と、
前記テーブルの前記２つの部品を前記互いに角をなす位置からロック解除する段階と、
前記テーブルの上半分又は前記下半分を形成する少なくとも前記第１部分又は少なくとも前記第２部分又は前記第１部分及び第２部分の両方を、前記テーブルの前記第１及び第２部分が互いに略水平面上で揃う位置に、回動して戻す段階と
前記中間の角度位置又は前記略鉛直位置における少なくとも前記磁極片及び前記テーブル及び／又は前記テーブルを備える前記テーブル支持フレームをロック解除する段階と、
少なくとも前記テーブル及び前記支持フレームを前記テーブルが略水平な方向を向く位置に回転し、ロックする段階と、
最初の診断工程を始めるか又は診断を完了する段階と、
前記診断を実行する若しくは完了するために繰り返し実施される以下の段階を更に備え、
以下の段階は、
少なくとも前記磁極片及び前記テーブル及び／又は前記テーブルを備える前記テーブル支持フレームをロック解除し、前記テーブルが略水平位置と略鉛直位置の中間の角度位置へ又は前記テーブルが略鉛直方向を向く位置へ回転する段階と、
少なくとも前記磁極片及び前記テーブル及び／又は前記テーブルを備えるテーブル支持フレームを前記中間の角度位置に又は前記略鉛直位置にロックする段階と、
前記被験者が前記テーブル上に仰向けで横たわるか若しくはうつぶせで横たわるかによって、前記テーブルの上半分又は前記下半分を形成する少なくとも前記第１部分又は少なくとも前記第２部分又は前記第１部分及び第２部分両方を、前記テーブルの前記第１及び第２部分が互いに角をなす位置に、前方又は後方に摺動する段階と、
前記テーブルの前記２つの部品を前記互いに角をなす位置にロックする段階と、
前記テーブル及び／又は前記テーブルを備える前記テーブル支持フレームを前記磁極片に対して角をなす位置に、又は前記テーブルが前記磁極片に対して略平行な位置に、その略長手方向軸回りに回転し、前記テーブルを前記位置にロックする段階と、
撮像を実行する段階と、
前記テーブル及び／又は前記テーブルを備える前記テーブル支持フレームをその略長手方向軸回りの回転からロック解除し、前記テーブル及び／又は前記テーブルを備える前記テーブル支持フレームをその略長手方向軸回りに、前記テーブルが前記磁極片に対して略直角な位置に回転して戻す段階と、
前記テーブルの前記２つの部品を前記互いに角をなす位置からロック解除する段階と、
前記テーブルの上半分又は前記下半分を形成する少なくとも前記第１部分又は少なくとも前記第２部分又は前記第１部分及び第２部分の両方を、前記テーブルの前記第１及び第２部分が互いに略水平面上で揃う元の位置に、回動して戻す段階と
前記中間の角度位置又は前記略鉛直位置における少なくとも前記磁極片及び前記テーブル及び／又は前記テーブルを備える前記テーブル支持フレームをロック解除する段階と、
少なくとも前記テーブル及び前記支持フレームを前記テーブルが略水平となる位置に回転する段階と、
更に診断工程を進めるか若しくは診断を完了する段階と、
前記位置にあるテーブルをロック解除する段階と、
前記テーブルを前記テーブルの一部が前記磁気構造の外側に出る位置に摺動し、前記被験者を前記テーブルから下ろす段階とを備えることを特徴とする方法。
【請求項１０２】
前記テーブル及び／又は前記テーブルを備える前記テーブル支持フレームを、撮像手順が実行される度に、前記診断が実行される解剖学的領域の中心が前記磁気構造の磁極片の間の撮像ボリューム内に合致する位置に、若しくは前記診断が実行される解剖学的領域が、前記磁極片により定義される前記撮影ボリュームの外側に来る位置に、ロック解除、摺動、及びロックを行う段階を更に備えることを特徴とする請求項９４記載の方法。
【請求項１０３】
磁気共鳴イメージングと組み合わせて診断を実行するための方法であって、該磁気共鳴撮像装置は磁気構造とテーブルとロック手段と被験者保持手段を備える装置を備え、
前記磁気構造は、互いに離間対向して配置されるとともに鉛直平面に対して平行で被験者の撮像空間を定める２つの磁極片を備え、
前記テーブルは、被験者を固定するためのテーブルであって、該テーブル又は該テーブル支持フレームは、前記テーブルの略長手方向に前記磁気構造に対して前記２つの磁極片の間で摺動可能であって、
該テーブルは、前記磁極片に対して少なくとも略直角方向を向くように配置されるとともに、その一端にフットレストを備え、少なくとも前記磁気構造の磁極片及び前記テーブル支持フレーム及び前記テーブルが、前記テーブルの長手軸方向の横断方向の軸回り並びに前記テーブルの長手方向に略平行な軸回りに同時に回転可能であって、該テーブルは、該テーブルの前記２つの部品の少なくとも一方又は両方が、前記テーブル又は前記テーブル支持フレームの略横断方向軸に沿って、角をなす位置に又は前記テーブルのもう一方の部品に対して略直角な位置に角度変位可能な方法で、蝶番接続された第１及び第２部品により形成され、
ロック手段が前記テーブルの少なくとも一方若しくは第１及び第２部品の両方を、前記テーブルの他の部分に対して角をなす位置に、ロックするために提供され、
更に被験者保持手段が作動起動並びに作動解除が可能であって、前記テーブル及び／又は前記テーブル支持フレームに対して摺動及び／又は角度変位の何れかを行うことで変位可能であって、
該方法は、
少なくとも前記磁極片と前記テーブルと前記テーブルを備える前記支持フレームを、前記テーブルが略水平に配置される被験者検査位置まで回転する段階と、
前記テーブルを、前記テーブルの一部が前記磁気構造の外側に出た、終端位置に前記テーブルを摺動する段階と、
前記被験者を前記テーブル上で仰向け姿勢又はうつぶせ姿勢で横たわるように載置する段階と、
検査中の被験者に望ましい所定の姿勢に応じて前記被験者保持手段を位置決めする段階と、
前記被験者保持手段を作動してロックする段階と、
前記テーブルを前記磁気構造に対して前記テーブルの長手方向軸に沿って、磁気構造の中心が被験者の被検査領域に正確に合致するように摺動する段階と、
前記磁気構造の中心が撮像される部分に合致するような前記位置に前記テーブルをロックする段階と、
少なくとも前記磁極片及び前記テーブルを備える前記テーブル支持フレームを、前記テーブルが、水平方向を向く位置と鉛直方向を向く位置の中間の角度位置を向くか、若しくは前記テーブルが略鉛直方向を向く位置に回転する段階と、
少なくとも前記磁極片及び前記テーブル及び／又は前記テーブルを備える前記テーブル支持フレームを前記中間の角度位置又は前記略鉛直方向を向く位置においてロックする段階と、
前記被験者が前記テーブル上に仰向けで横たわるか若しくはうつ伏せで横たわるかによって、前記テーブルの上半分又は前記下半分を形成する少なくとも前記第１部分又は少なくとも前記第２部分又は前記第１部分及び第２部分両方を、前記テーブルの前記第１及び第２部分が互いに角をなす位置に、前方又は後方に摺動する段階と、
前記テーブルの前記２つの部品を前記互いに角をなす位置にロックする段階と、
撮像を実行する段階と、
前記テーブルの前記２つの部品を前記互いに角をなす位置からロック解除する段階と、
前記テーブルの上半分又は前記下半分を形成する少なくとも前記第１部分又は少なくとも前記第２部分又は前記第１部分及び第２部分両方を、前記テーブルの前記第１及び第２部分が互いに略水平面上で揃う位置に、回動して戻す段階と
前記中間の角度位置又は前記略鉛直位置における少なくとも前記磁極片及び前記テーブル及び／又は前記テーブルを備える前記テーブル支持フレームをロック解除する段階と、
少なくとも前記テーブル及び前記支持フレームを前記テーブルが略水平な方向を向く位置に回転する段階と、
診断工程を実行するか又は診断を完了する段階と、
前記診断が完了するまで、前記診断の複数の工程又はそれぞれの工程を更に実行するために繰り返される以下の段階を更に備え、
該以下の段階は、
少なくとも前記磁極片及び前記テーブル及び／又は前記テーブルを備える前記テーブル支持フレームを、前記テーブルが略水平位置と略鉛直位置の中間の角度位置へ又は前記テーブルが略鉛直方向を向く位置へ回転する段階と、
少なくとも前記磁極片及び前記テーブル及び／又は前記テーブルを備えるテーブル支持フレームを前記中間の角度位置に又は前記略鉛直位置にロックする段階と、
前記被験者が前記テーブル上に仰向けで横たわるか若しくはうつ伏せで横たわるかによって、前記テーブルの上半分又は前記下半分を形成する少なくとも前記第１部分又は少なくとも前記第２部分又は前記第１部分及び第２部分両方を、前記テーブルの前記第１及び第２部分が互いに角をなす位置に、前方又は後方に摺動する段階と、
前記テーブルの前記２つの部品を前記互いに角をなす位置にロックする段階と、
撮像を実行する段階と、
前記テーブルの前記２つの部品を前記互いに角をなす位置からロック解除する段階と、
前記テーブルの上半分又は前記下半分を形成する少なくとも前記第１部分又は少なくとも前記第２部分又は前記第１部分及び第２部分両方を、前記テーブルの前記第１及び第２部分が互いに略水平面上で揃う元の位置に、回動して戻す段階と、
前記中間の角度位置又は前記略鉛直位置における少なくとも前記磁極片及び前記テーブル及び／又は前記テーブルを備える前記テーブル支持フレームをロック解除する段階と、
少なくとも前記テーブル及び前記支持フレームを前記テーブルが略水平となる位置に回転する段階と、
更に診断工程を進めるか若しくは診断を完了する段階と、
前記位置にあるテーブルをロック解除する段階と、
前記テーブルを前記テーブルの一部が前記磁気構造の外側に出る位置に摺動し、前記被験者を前記テーブルから下ろす段階とを備えることを特徴とする方法。
【請求項１０４】
前記テーブル及び／又は前記テーブルを備える前記テーブル支持フレームを、撮像手順が実行される度に、前記診断が実行される解剖学的領域の中心が前記磁気構造の磁極片の間の撮像ボリューム内に合う位置に、若しくは前記診断が実行される解剖学的領域が、前記磁極片により定義される前記撮像ボリュームの外側に来る位置に、ロック解除、摺動、及びロックを行う段階を更に備えることを特徴とする請求項１０３記載の方法。
【請求項１０５】
磁気共鳴イメージングと組み合わせて診断を実行するための方法であって、磁気共鳴イメージング装置は磁気構造とテーブルを備え、
前記磁気構造は、互いに離間対向して配置されるとともに鉛直平面に対して平行で被験者の撮像ボリュームを定める２つの磁極片を備え、
前記テーブルは、テーブル支持フレームに摺動可能な方法で前記テーブルの略長手方向に前記磁気構造に対して前記２つの磁極片の間で被験者を固定するとともに、前記磁極片に対して少なくとも略直角方向を向くように配置され、
少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能であって、
該方法は、
前記磁極片及び前記テーブルを備える前記支持フレームを、前記テーブルが水平でない位置に回転する段階と、
傾斜した状態、特に前記テーブルに対して略直角な状態で固定されるシートを提供する段階と、
前記被験者を前記シート・プレートに座らせる段階と、
撮像手順を実行する段階と、
前記磁極片及び前記テーブルを備える前記テーブル支持フレームを、前記テーブルが略水平な位置に回転して戻し、ロックする段階と、
前記シート・プレートを取り外し、前記被験者に負担のかからない手脚を伸ばせる姿勢をとらせる段階と、
診断の工程を更に進めるか若しくは診断全体を完了する段階とを備え、
該方法は更に前記診断が完了するまでに、診断の工程を進めるために繰り返される以下の段階を備え、
該以下の段階は、
前記磁極片及び前記テーブルを備える前記支持フレームをロック解除し、前記テーブルが水平でない位置に回転する段階と、
傾斜した状態、特に前記テーブルに対して略直角な状態で固定されるシートを提供する段階と、
前記被験者を前記シート・プレートに座らせる段階と、
撮像手順を実行する段階と、
前記磁極片及び前記テーブルを備える前記テーブル支持フレームを、前記テーブルが略水平な位置に回転して戻し、ロックする段階と、
前記シート・プレートを取り外し、前記被験者に負担のかからない手脚を伸ばせる姿勢をとらせる段階と、
診断の工程を更に進めるか又は診断全体を完了し、前記被験者を前記磁気構造から下ろす段階とを含むことを特徴とする方法。
【請求項１０６】
前記テーブル及び／又は前記テーブルを備える前記テーブル支持フレームを、撮像手順が実行される度に、前記診断が実行される解剖学的領域の中心が前記磁気構造の磁極片の間の撮像ボリューム内にあう位置に、若しくは前記診断が実行される解剖学的領域が、前記磁極片により定義される前記撮像ボリュームの外側に来る位置に、ロック解除、摺動、及びロックを行う段階を更に備えることを特徴とする請求項１０５記載の方法。
【請求項１０７】
前記ステップが前記テーブルの角度位置及び／又は前記テーブルを備えるテーブル支持フレーム及び／又は前記シートを調節する段階とを備えることを特徴とする請求項１０５又は１０６記載の方法。
【請求項１０８】
前記テーブル及び／又は前記テーブルを備える前記テーブル支持フレームが、前記支持フレーム及び前記磁気構造に対して、その長手方向軸に一致する又は略平行な軸回りに回転可能であって、
前記テーブル及び前記テーブルを備える前記支持フレームを、前記テーブルが水平でない位置に回転し、ロックした後に、且つ撮像手順を実行する前に、テーブルに対して傾斜した状態、特に前記テーブルに対して略直角な状態で固定されるシートを提供し、前記被験者を前記シート・プレートに座らせた後に、
前記テーブル及び／又は前記テーブルを備える前記テーブル支持フレームを、その長手方向軸に一致する又は略平行な軸回りに、前記テーブルが前記磁極片に対して平行となるか又は前記磁極片に対して角をなす位置に回転する段階と、
前記テーブルを前記位置にロックする段階と、
前記画像手順を実行した後に、及び前記シート・プレートを取り外した後に、且つ前記診断の工程を実行する前に、
前記テーブル及び／又は前記テーブルを備える前記テーブル支持フレームを前記その長手方向軸に一致する又は略平行な軸回りに、前記テーブルが前記磁極片に対して略直角となる位置に回転して戻し、ロックする段階と、
少なくとも前記磁極片及び前記テーブルを備える前記支持フレームを、前記テーブルが略水平となる位置に回転し、ロックする段階とを備えることを特徴とする請求項１０５記載の方法。
【請求項１０９】
磁気共鳴イメージング装置を用いて診断を実行するための方法であって、該磁気共鳴イメージング装置は磁気構造とテーブルを備え、
前記磁気構造は、互いに離間対向して配置されるとともに鉛直平面に対して平行で被験者の撮像空間を定める２つの磁極片を備え、
前記テーブルは、テーブル支持フレームに摺動可能な方法で前記テーブルの略長手方向に前記磁気構造に対して前記２つの磁極片の間で被験者を固定するとともに、前記磁極片に対して少なくとも略直角方向を向くように配置され、
少なくとも前記磁気構造の磁極片及び前記テーブル支持フレーム及び前記テーブルが、前記テーブルの長手軸方向の横断方向の軸回り並びに前記テーブルに略平行な軸回りに同時に回転可能であって、
１つ又は複数の被験者保持手段が提供され、該被験者保持手段は前記テーブル及び／又は前記テーブル支持フレーム及び／又は磁極片及び／又は磁気構造及び／又は機械フレームを前記テーブルに対して異なる位置に及び／又は前記テーブルに対して異なる方向に固定可能であって、
該方法は、
（ａ）少なくとも前記磁極片及び前記テーブル及び／又は前記テーブルを備える前記テーブル支持フレームを、前記テーブルが略水平な位置に回転する段階と、
（ｂ）前記テーブルに対して傾斜した状態、特に前記テーブルに対して略直角な状態に固定したシート・プレートを提供する段階と、
（ｃ）１つ又は複数の被験者保持手段を被験者が所定の姿勢をとれるように、所定の位置且つ所定の方向に提供する段階と、
（ｄ）撮像手順を実行する段階と、
（ｅ）少なくとも前記磁極片及び前記テーブル及び／又は前記テーブルをともなった前記テーブル支持フレームを、前記テーブルが水平でない位置に回転し、ロックする段階と、
（ｆ）撮像手順を実行する段階と、
（ｇ）段階（ａ）乃至（ｆ）を複数回繰り返す段階と、
（ｈ）前記１つ又は複数の被験者保持手段及び／又はプレート・シートを取り外し、作動解除する段階と、
（ｉ）前記段階（ｄ）及び前記段階（ｆ）で得られた複数の画像の比較を行い、該画像の差異を強調表示する段階と、
（ｊ）前記磁極片及び前記テーブル及び／又は前記テーブルを備える前記テーブル支持フレームを、前記テーブルが略水平な位置に回転する段階と、
（ｋ）前記シート・プレートを取り外す段階と、
（ｌ）前記被験者保持手段を取り外し、作動解除する段階と、
（ｍ）診断の１工程を進めるか若しくは、診断を完了する段階と、
（ｎ）更に診断の工程を進める場合は、前記段階（ａ）乃至（ｍ）を繰り返す段階と、
（ｏ）診断が完了した場合は、前記被験者を前記磁気構造から下ろす段階とを備えることを特徴とする方法。
【請求項１１０】
前記複数の画像がソフトウェア・ツールを用いて比較が行われることを特徴とする請求項１０９記載の方法。
【請求項１１１】
磁気共鳴イメージング装置を用いた方法であって、
前記テーブル及び／又は前記テーブルを備える前記テーブル支持フレームが、それらの長手方向軸に対して一致する又は平行な軸回りに、前記支持フレーム及び前記磁気構造に対して回転可能であって、
前記方法は更に、
前記テーブル及び／又は前記テーブルを備える前記テーブル支持フレームをその長手方向軸に対して一致する又は平行な軸回りに、前記テーブルが前記磁極片に対して平行な位置又は前記磁極片に対して角をなす位置に回転する段階と、
段階（ａ）又は段階（ｂ）又は段階（ｃ）を実行した後、及び／又は段階（ｅ）を実行した後に、前記テーブルを前記位置にロックする段階と、
段階（ａ）又は段階（ｂ）又は段階（ｃ）を実行した後、及び／又は段階（ｅ）を実行した後に、前記テーブルをその長手方向軸に対して一致する又は略平行な前記軸回りの回転に対して、ロック解除する段階と、前記テーブル及び／又は前記テーブルを備える前記テーブル支持フレームを、前記テーブルが前記磁極片に対して略直角な位置に回転して戻す段階とを更に備えることを特徴とする請求項１０９又は１１０記載の方法。
【請求項１１２】
磁気共鳴イメージング装置を用いた方法であって、
該磁気共鳴イメージング装置は、
テーブル・プレート及び最終的なテーブル支持フレームを備えるとともに、
該テーブル・プレート及び最終的なテーブル支持フレームはプレートの横断軸方向に沿って蝶番接続される少なくとも２つの部品からなり、該テーブル及び最終的なテーブル支持フレームの２つの部品のうち少なくとも一方及び／又は両方が、互いに及び／又はテーブルのメイン方向に対して角をなす位置に回動可能で、
該方法は、
前記段階（ｇ）及び／又は前記段階（ｆ）による撮像を実行する前に、前記テーブル・プレート及び／又は前記テーブル支持プレートの前記２つの部品のうち一方若しくは両方の角度を変位し、該角度を変位した位置において前記部品をロックする段階と、
前記段階（ｇ）及び／又は前記段階（ｆ）による撮像を実行した後に、前記２つの部品をロック解除し、前記２つの部品のうち一方又は両方を、前記テーブルのメイン方向に回動して戻す段階とを備えることを特徴とする請求項１０９乃至１１０いずれか１つ又は複数記載の方法。
【請求項１１３】
１つ又は複数の位置決めする段階又は方向付けする段階が、被験者に対して実行され、
該被験者が撮像手順を実行可能な複数の姿勢をとることが可能であって、その姿勢に応じて前記被験者に前記手段を適用可能であって、痛みが生じるときの姿勢で画像が得られることを特徴とする請求項５４乃至１１２記載の方法。
【請求項１１４】
前記テーブルにのった前記被験者を、前記テーブルを回転開始時の角度位置に且つ前記テーブルが部分的に前記磁気構造の外側に出る位置に位置決めする段階と、
撮像される解剖学的領域の中心が、前記磁気構造の磁極片の間で提供される撮影領域にあうように撮像領域に摺動する段階と、
前記磁極片又は前記磁気構造全体及び／又は前記テーブル及び／又は前記テーブルを備える支持フレームを前記テーブルの横断方向軸回りに、特に前記テーブルの長手方向軸に対して直角な軸回りに回転し、続いて異なる角度位置において前記テーブルを前記角度位置のそれぞれにおいて前記テーブルをロックし、前記角度位置それぞれにおいて撮像手順を実行する段階と、
前記磁極片又は前記磁気構造全体及び／又は前記テーブル及び／又は前記テーブルを備える前記テーブル支持フレームを前記回転開始時の角度位置に回転して戻す段階と、前記テーブルが部分的に前記磁気構造の外側に出る位置に摺動する段階とを備えることを特徴とする請求項５４乃至１１３いずれかに記載の方法。
【請求項１１５】
前記磁極片又は前記磁気構造全体及び／又は前記テーブル及び／又は前記テーブルを備える支持フレームを前記テーブルの横断方向軸回りに、特に前記テーブルの長手方向軸に対して直角な軸回りに回転する段階を、少なくとも１回行った後に、又は複数回行う場合は１回ごとに、異なる角度位置において、前記テーブルを前記長手方向軸に対して平行な軸又は一致する軸回りに、回転開始時の角度位置から、複数の角度位置に段階的に回転し、角度位置それぞれにおいてロックし、撮像手順を実行する段階とを備えることを特徴とする請求項１１４記載の方法。
【請求項１１６】
前記磁極片又は前記磁気構造全体及び／又は前記テーブル及び／又は前記テーブルを備える支持フレームを前記テーブルの横断方向軸回りに、特に前記テーブルの長手方向軸に対して直角な軸回りに回転する段階を、少なくとも１回又は複数回行った後に、及び／又は、前記テーブルを前記長手方向軸に対して平行な軸又は一致する軸回りに、複数の連続的な角度位置の、回転開始時の角度位置から回転する段階を１回行った後に、前記テーブル・プレートの一部分及び／又は前記テーブル・プレートの少なくとも一部分及び／又は２つの部品を、前記テーブルの前記２つの部品が互いに揃う回転開始時の位置から、前記テーブルの前記２つの部品が互いに角をなす複数の角度位置に、及び／又は前記テーブルの２つの部品により定義される前記プレートが揃う位置に、連続して段階的に回転し、前記テーブル・プレートの少なくとも１部分又は両部分の角度位置それぞれにおいて、前記プレートを前記位置にロックし、撮像を実行することを特徴とする請求項１１３又は１１５記載の方法。
【請求項１１７】
前記磁極片又は前記磁気構造全体及び／又は前記テーブル及び／又は前記テーブルを備える支持フレームを前記テーブルの横断方向軸回りに、特に前記テーブルの長手方向軸に対して直角な軸回りに回転する段階を、少なくとも１回又は複数回行った後に、及び／又は、前記テーブルを前記長手方向軸に対して平行な軸又は一致する軸回りに、複数の連続的な角度位置の、回転開始時の角度位置から回転する段階を１回行った後に、及び／又は、前記テーブル・プレートの少なくとも１部分及び／又は２つの部分の角度変位の１段階又は複数の段階をそれぞれ終了した後に、
前記被験者支持又は回転手段を位置決めする各段階において、該手段をその位置にロックし、撮像手順を実行することを特徴とする請求項１１３乃至１１６いずれかに記載の方法。
【請求項１１８】
得られた連続的な画像は、連続的な撮像手順をあらわす時間記録に一義的に対応して、メモリーに記憶され、
前記連続的な画像は、前記正確な時系列的に表示されることを特徴とする請求項１１３乃至１１７いずれかに記載の方法。
【請求項１１９】
テーブル・プレートと、少なくとも磁気共鳴イメージング装置のフレームの装着手段を補完的に取り付ける装着手段を備えたテーブル支持フレームを備えた特に磁気共鳴イメージング装置のためのテーブルであって、
該テーブル・プレート及び最終的なテーブル支持フレームはプレートの横断軸方向に沿って蝶番接続される少なくとも２つの部品からなり、該テーブル及び最終的なテーブル支持フレームの２つの部品のうち少なくとも一方及び／又は両方が角をなす位置に回動可能であることを特徴とするテーブル。
【請求項１２０】
前記テーブル及び最終的な前記テーブル支持フレームの前記２つの部品が、角をなす位置に回動可能であって、角度幅は前記２つの部品間１８０度以上の角度であって特に２７０度以上３６０度以下と、前記２つの部品の間０度以上９０度以下の角度とからなり、該角度幅は、前記被験者がテーブルに背面を接しているか若しくは前面を接しているか、即ち仰向け姿勢か若しくはうつぶせ姿勢かにより異なることを特徴とする請求項１１９記載のテーブル。
【請求項１２１】
前記テーブル及び最終的な前記テーブル支持フレームの前記２つの部品が、角を成す位置に回動可能であって、特にテーブルが、前記被験者が前傾姿勢をとるときに支持として機能する鉛直方向部分及び水平方向部分を備える場合に、角度略２７０度若しくは９０度からなり、該角度は、前記被験者のテーブルに横たわる姿勢が背面を接しているか若しくは前面を接しているか、即ち仰向け姿勢か若しくはうつぶせ姿勢かにより異なることを特徴とする請求項１２０記載のテーブル。
【請求項１２２】
前記テーブル及び最終的な前記テーブル支持フレームの前記２つの部品が、一方の部品がもう一方の部品に対し角をなすとともにそれぞれの部品が略水平な位置に対して角をなす位置に回動可能であることを特徴とする請求項１２０又は１２１記載のテーブル。
【請求項１２３】
テーブル・プレートと、少なくとも磁気共鳴イメージング装置のフレームの装着手段を補完的に取り付ける装着手段を備えたテーブル支持フレームを備えた特に磁気共鳴イメージング装置のためのテーブルであって、
該テーブルは被験者の身体の複数の解剖学的領域に対応した１つ又は複数の被験者支持及び／又は保持手段を備えることを特徴とするテーブル。
【請求項１２４】
前記被験者保持及び／又は支持手段が前記テーブル・プレート及び／又は前記テーブル支持フレームに固定されることを特徴とする請求項１２３記載のテーブル。
【請求項１２５】
前記被験者保持及び／又は支持手段が前記テーブル表面を定義する２つの方向のうち少なくとも１つの方向に対して平行な方向に沿って摺動可能であることを特徴とする請求項１２３又は１２４記載のテーブル。
【請求項１２６】
前記被験者保持及び／又は支持手段が前記テーブルに対して前記テーブル表面を定義する２つの方向のうち一方に対して平行な軸回りに回動可能な方法で固定されることを特徴とする請求項１２３乃至１２５いずれかに記載のテーブル。
【請求項１２７】
前記テーブル及び／又は前記テーブル支持フレーム及び／又は前記磁極片及び／又は前記磁気構造及び／又は前記機械フレームは、被験者保持手段についての複数の固定点を備え、該固定点は複数の位置の所定の範囲にかけて分配され、被験者保持手段は開放可能な固定手段を用いて固定されることを特徴とする請求項１２３乃至１２６いずれかに記載のテーブル。
【請求項１２８】
前記テーブル・プレート及び／又は前記テーブル支持フレーム及び／又はシート・プレートに対して装着される又は結合されるフットレストが提供されることを特徴とする請求項１２３乃至１２７いずれかに記載のテーブル。
【請求項１２９】
前記フットレスト及び／又は前記シート・プレートが、テーブル上に又はテーブル支持フレーム上に、前記フットレスト及び／又は前記シートを前記テーブルに沿って又は前記テーブル支持フレームに沿って、前記テーブル及び／又は前記テーブル支持フレームの長手方向軸に対して平行な両方向に摺動させるガイドを用いて支持されることを特徴とする請求項１２８記載のテーブル。
【請求項１３０】
前記フットレスト及び／又はシート・プレートが、前記テーブル上で又は前記テーブル支持フレーム上で、横断方向の軸回りに特に前記テーブルの長手方向軸と直角な軸回りに枢動可能に支持されることを特徴とする請求項１２８又は１２９記載のテーブル。
【請求項１３１】
前記被験者保持手段が、前記被験者を前記テーブルに対して固定させる取り外し可能な固定ベルトを１つ又は複数含むことを特徴とする請求項１２３乃至１３０いずれかに記載のテーブル。
【請求項１３２】
前記被験者保持手段は、腋窩支持手段、即ち前記被験者の腋窩に合わせて前記被験者を支持する手段を含むことを特徴とする請求項１２３乃至１３１いずれかに記載のテーブル。
【請求項１３３】
前記被験者保持手段が膝保持手段を含み、前記被験者が自身の膝部及び／又は脚部を該膝保持手段に対してもたれさせて、膝部及び／又は脚部をテーブルに密着した姿勢を維持するのを補助する力により、前記被験者が運動可能なことを特徴とする請求項１２３乃至１３２いずれかに記載のテーブル。
【請求項１３４】
前記被験者保持手段がアームレストを備え、該アームレストはハンドル型の形状をなし、該アームレストに対して前記被験者がテーブルに密着した姿勢を維持するのを補助する力により、前記被験者が運動可能なことを特徴とする請求項１２３乃至１３３いずれかに記載のテーブル。
【請求項１３５】
前記被験者保持手段が前記テーブル又は前記テーブル支持フレームに沿ってそれらの長手方向及び／又は横断方向に摺動可能に固定されることを特徴とする請求項１２３乃至１３４いずれかに記載のテーブル。
【請求項１３６】
請求項１１９乃至１２２いずれかに記載の特徴を備えることを特徴とする請求項１乃至１３５いずれかに記載のテーブル。
【請求項１３７】
テーブル・プレートと、少なくとも磁気共鳴イメージング装置及び／又は該装置の前記磁気構造のフレームの装着手段を補完的に取り付ける装着手段を備えたテーブル支持フレームを備えた特に磁気共鳴イメージング装置のためのテーブルであって、
少なくとも前記テーブル・プレート及び最終的な前記テーブル支持フレームの第１部品は、前記テーブル支持フレームの第２部品に回転可能に支持されるとともに、該第２部品が磁気共鳴イメージング装置及び／又は該装置の前記磁気構造のフレームの装着手段を補完的に取り付ける装着手段を備えるとともに、
前記テーブル・プレート及び／又は前記テーブルを備える前記テーブル支持プレートの前記第１部品が、前記テーブル支持フレームの前記第２部品に対して、一定の軸回りに回転可能であることを特徴とするテーブル。
【請求項１３８】
前記テーブル・プレート及び／又は前記テーブルを備える前記テーブル支持フレームの前記第１部品が、前記テーブル支持フレームの前記第２部品に対して、前記テーブル・プレートの長手方向軸及び／又は横断方向軸に一致するか又は平行な少なくとも１つの軸回りに回転可能であることを特徴とする請求項１３７記載のテーブル。
【請求項１３９】
請求項１１９乃至１３６いずれかに記載の特徴を備えることを特徴とする請求項１３７又は１３８記載のテーブル。
【請求項１４０】
磁気構造を支持する機械フレームを備える磁気共鳴イメージング装置であって、
該磁気構造が撮像ボリュームを定義する少なくとも２つの磁極片を備えるとともに、
該撮像ボリューム内で被験者を支持するためのテーブルとを備え、
複数の位置のうちいずれかの位置で前記機械フレーム及び／又は前記磁気構造に装着される、１つ又は複数の被験者支持及び／又は保持手段が提供されることを特徴とする装置。
【請求項１４１】
１つ又は複数の被験者支持又は保持手段が、前記機械フレーム及び／又は前記磁気構造に開放可能に装着されることを特徴とする請求項１４０記載の磁気共鳴イメージング装置。
【請求項１４２】
被験者支持又は保持手段が、少なくとも１方向、好ましくは２又は３方向に沿って摺動可能であることを特徴とする請求項１４０又は１４１記載の磁気共鳴イメージング装置。
【請求項１４３】
前記被験者支持又は保持手段が一定の軸回りに回動可能であることを特徴とする請求項１４０乃至１４２記載の磁気共鳴イメージング装置。
【請求項１４４】
前記機械フレーム及び／又は前記磁気構造は、被験者支持又は保持手段についての複数の固定点を備え、該固定点は複数の位置の所定の範囲にかけて分配され、被験者支持又は保持手段は開放可能な固定手段を用いて固定されることを特徴とする請求項１４０乃至１４３記載のテーブル。
【請求項１４５】
前記被験者支持又は保持手段が前記機械フレーム及び／又は前記磁気構造に一体化されることを特徴とする請求項１４０乃至１４４記載の磁気共鳴イメージング装置。
【請求項１４６】
前記被験者を少なくとも２つ若しくは複数の連続的な姿勢のいずれか１姿勢及び／又は少なくとも２つ若しくは複数の連続的なスペース内の複数の方向のいずれか１方向に位置決めする段階と、前記被験者の検査される領域が磁気共鳴イメージング装置の撮像ボリューム内にあって、前記被験者の各姿勢において及び前記被験者のスペース内の各方向を向いて、前記被験者の前記解剖学的領域の撮像手順を実行する段階を備えることを特徴とする原子核磁気共鳴イメージング方法。
【請求項１４７】
前記少なくとも２つの姿勢のうち少なくとも１姿勢及び／又はスペース中の前記被験者の少なくとも２方向のうち少なくとも１方向において、外科的又は治療的診断が実行される姿勢及び方向であることを特徴とする請求項１４６記載の方法。
【請求項１４８】
前記被験者が前記少なくとも２つ又は複数の姿勢及び／又は前記少なくとも２つ又は複数のスペース中の方向において、それぞれの姿勢及び方向で、撮像手順と外科的及び／又は治療的診断を実行することを特徴とする請求項１４６又は１４７記載の方法。
【請求項１４９】
前記少なくとも２つ又は複数の姿勢が、横たわる被験者が手脚を伸ばした状態の仰向け姿勢又はうつぶせ姿勢、被験者が横たわり腰をかがめた姿勢、複数のシートの高さで前記被験者を座らせる姿勢、及び／又は２つ又は複数の被験者の方向が、略水平及び／又は略鉛直及び／又は前記略水平及び略鉛直方向の中間の方向及び／又は略水平方向と組み合わせた前記被験者の高さに横断する鉛直方向及び／又は略鉛直方向と組み合わせた前記略水平及び略鉛直方向の中間の方向から選択されることを特徴とする請求項１４６乃至１４８いずれかに記載の方法。
【請求項１５０】
前記被験者がうつぶせ姿勢又は仰向け姿勢及び／又は前屈み姿勢及び／又は手脚を伸ばした姿勢及び／又は座位であって、水平方向を向き、前記被験者が上記複数の姿勢いずれかをとり上記方向を向いた状態で撮像が実行される場合、
及び／又は前記被験者が連続的にうつぶせ姿勢又は仰向け姿勢及び／又は前屈み姿勢及び／又は手脚を伸ばした姿勢及び／又は座位であって、略鉛直方向及び／又は略水平方向と略鉛直方向の間の方向を向き、前記姿勢及び方向においても撮像が実行される場合、前記位置決め段階が少なくとも２回又は複数回繰り返され、繰り返される各段階において撮像が実行されることを特徴とする請求項１４６乃至１４９いずれかに記載の方法。
【請求項１５１】
前記被験者がうつぶせ姿勢又は仰向け姿勢及び／又は前屈み姿勢及び／又は手脚を伸ばした姿勢及び／又は座位であって、水平方向を向き、前記被験者が上記複数の姿勢いずれかをとり上記方向を向いた状態で撮像が実行される場合、及び／又は前記被験者が連続的にうつぶせ姿勢又は仰向け姿勢及び／又は前屈み姿勢及び／又は手脚を伸ばした姿勢及び／又は座位であって、略鉛直方向及び／又は略水平方向と略鉛直方向の間の方向を向き、前記姿勢及び方向においても撮像が実行される場合、
前記被験者が水平位置又は略水平位置であって診断が実行され、
前記位置決め段階が少なくとも２回又は複数回繰り返され、繰り返される各段階ごとに撮像と外科的及び／又は治療的手順が実行されることを特徴とする請求項１４６乃至１４９いずれかに記載の方法。
【請求項１５２】
前記複数の姿勢及び／又は複数の方向で得られる画像において、前記被験者の方向が互いに比較されることを特徴とする請求項１４６乃至１５１いずれかに記載の方法。
【発明の詳細な説明】
【技術分野】
【０００１】
本発明は、磁気共鳴イメージング（MRI）装置に関し、より詳しくは、脊柱領域を異なる負荷条件下で撮像するために改良を加え、多目的に利用可能な撮像装置に関する。
【背景技術】
【０００２】
脊柱領域を撮影するには、脊柱に被験者の体重による負荷を加えるために、被験者が直立姿勢をとることが必要となる。水平方向を向いたベッド又はテーブル上で被験者が普通に横たわる状態では、脊柱には負荷が加わらない理想（現実的でない）条件下にある。これにより、病状が明確に現れず、被験者が脊柱疾患の典型的な症状を有しているとしても、検査の診断結果が不明確若しくは陰性となる。
【０００３】
多くの脊椎脊髄疾患は、被験者が様々な姿勢、特に座位や前傾姿勢のような身体を曲げる姿勢をとった状態で解剖学的領域を撮影することで最適な検査が可能となる。更に、解剖学的領域を最適に撮影するためには、複数の方向を向く撮影面にしたがった脊柱の画像の撮影を可能とすることが有用とされる。撮影面は、被験者の身体の前部／後部又は被験者の側面部の面に平行で、様々な方向を向く静磁場に対応している。撮像プロセス中に診断が行われる場合には、磁気共鳴イメージング装置の磁極片内で複数の位置をとらせることも重要となる。この場合、磁気構造に対する被験者の位置は、診断が行われる解剖学的領域に医療関係者が処置を行えるように、十分な空間を空けておくことが重要である。
【０００４】
被験者が長時間、ある姿勢をとると痛みを感じる病状も考えられるため、被験者に様々な位置を強いることに対しては細心の注意が必要である。連続式の撮像は通常、長時間を要する。診断目的に有用な解剖学的領域の画像を提供するには、被験者は長時間にわたり全く動かずに一定の姿勢をとらなければならない。このことは、撮影中の姿勢が当該被験者の痛みを感じる姿勢と関連している場合は、実行不可能若しくは少なくとも実行は不適切である。
【０００５】
更に、当該撮像装置及び同一の装置を用いて、できるだけ幅広い範囲の様々な解剖学的領域を撮像の実現性を確保することも課題である。
【０００６】
実際、既知の磁気共鳴イメージング装置はいわゆる全身スキャナを使用している。全身スキャナでは磁気構造が、全身を覆うか、若しくは磁気構造により定義される被験者検査空間内の身体の重要な部分を覆う。
【０００７】
米国特許第６４１４４９０号及び米国特許第６５０４３７１号は、上記のような種類の磁気共鳴イメージング装置を開示している。この開示技術の磁気装置では、水平方向に磁場を形成するよう設計されている。被験者は、キャリッジ上に取り付けられたベッド又はテーブルなどの被験者位置決め装置により検査空間内部に搬入される。ベッド又はテーブルは更に水平方向軸回りに傾斜可能であって、これにより鉛直方向に対してベッド又はテーブルの位置を変化させる。更に、被験者の身体の撮像される領域にフォーカスを絞るために、ベッド又はテーブル又はキャリッジは、磁気構造の磁極片の間で検査領域に対して被験者を上下に移動させるエレベータと連結されてもよい。
【０００８】
また、被験者位置決め装置は比較的高価である。なぜなら該装置は、被験者を磁気構造の撮像空間を基準にして変位させるための、傾斜式又は回動式のベッド又はテーブル又はエレベータをキャリッジ上に備えるためである。
【０００９】
一方で、たとえ脊柱の解剖学的領域が非常に大きなものであったとしても、通常、撮像を用いて診断が行われる領域は、脊柱の特定の一部分に過ぎない。
【００１０】
米国特許第５６８９１９０号及び米国特許第５６６６０５６号は、磁気構造の磁極片が対向する表面を備え、該対向する表面が撮像空間を定める。該対向する表面は互いに平行であるとともに、該表面は、被験者が横たわるベッド又はテーブルに対してある角度をなして配置される。ベッド又はテーブルは、２つの直角方向の軸に沿って変位可能であって、この２つの軸は自身により定義される平面に対して平行である。
【００１１】
またこの場合では、磁気構造が非常に大きい。そのため被験者に横たわる姿勢や座位など様々な姿勢をとらせるには、別の被験者支持装置が必要となる。
【００１２】
米国特許第６０１１３９６号では、変位可能な磁気共鳴イメージング装置を開示している。この磁気共鳴イメージング装置はキャリッジ上に取り付けられるとともに、磁気構造を有し、該磁気構造には２本の対向する磁極片が備えられ、該２つの磁極片は撮像ボリュームを定める表面を持ち、この表面は互いに平行で鉛直方向に設置されている。２つの磁極片は共に該鉛直平面に沿って傾向可能である。また２つの磁極片の間には相対的な距離があり、その間隔内でテーブル、ベッド、シートなどの被験者を支持する手段を作動させることが可能である。
【００１３】
この磁気共鳴イメージング装置のサイズは、実際はかなり小さい。それでも被験者を複数の姿勢で、特に直立姿勢で撮影するから、比較的重量のある磁気構造のためのエレベータが必要である。従って装置を強固に構築することも必要になる。被験者支持及び／又は保持手段とするものは、ベッド、シートなどの一般的な装置とし、特別な装置を用いるわけではない。この被験者支持及び／保持手段は、磁気構造に機械的に接続され、被験者並びに磁気構造の正確且つ制御可能な相対的な位置決め（ポジショニング）を行う。
【００１４】
米国特許第５４２３３１５号では、薄い環状の磁気構造を備えた磁気共鳴イメージング装置を開示している。該磁気共鳴イメージング装置は支持フレームの上に取り付けられ、第１直径軸及び冠状磁気構造の中心軸と一致する第２軸回りに傾向することが可能である。更に環状構造は鉛直方向軸上で変位可能である。
【００１５】
この技術の場合は、環状磁気構造は、医療関係者が撮影中の被験者の解剖学的領域に適宜処置を行えるように、非常に大きな直径であることが要求される。
【００１６】
現存の装置の多くは非常に大型で、重量があり、高額である。大型且つ重量のある磁気構造は、設置に際し問題が生じる。つまり撮像装置が設置されるスペースは、撮像装置の重量に耐えうる床面を備えなければならない。更に、設置が可能な十分な広さを持つスペースであることも必要である。
【００１７】
【特許文献１】米国特許第６４１４４９０号明細書
【特許文献２】米国特許第６５０４３７１号明細書
【特許文献３】米国特許第５６８９１９０号明細書
【特許文献４】米国特許第５６６６０５６号明細書
【特許文献５】米国特許第６０１１３９６号明細書
【特許文献６】米国特許第５４２３３１５号明細書
【発明の開示】
【発明が解決しようとする課題】
【００１８】
本発明の目的は、従来のものより小型の全身装置と呼ばれる磁気構造を備えるとともに、様々な条件下で、つまりは磁気共鳴イメージング装置の磁気構造に対して被験者が様々な位置で様々な姿勢をとった状態で脊柱を撮影可能な、磁気共鳴イメージング装置を提供することである。
【００１９】
本発明の目的は更に、磁気構造の検査空間で被験者を支持するための手段として、より単純な構造でコストのかからない手段を備えた磁気撮像装置を提供することにある。
【００２０】
本発明の目的は更に、被験者の身体の他の解剖学的領域を検査することも可能な磁気共鳴イメージング装置を提供することである。これは、検査領域内で所望の解剖学的領域又は一定の限定領域を撮影できるように、簡便な方法で磁気構造の検査領域に対して被験者を変位させることにより行われる。
【００２１】
本発明の目的として更に、被験者がどのような姿勢であれ大抵の場合は、医療関係者が撮影中の被験者の解剖学的領域に、自由にアクセス可能となる。これにより画像取得中若しくは取得前後に被験者に診療行為を行うことができる。
【００２２】
本発明の目的として更に、被験者及び磁気構造の相対的な位置の制御並びにその十分な正確性を維持するとともに、撮影中の被験者に対して痛みを感じさせない、若しくは痛みの緩和された姿勢をとるのを可能にすることにある。
【課題を解決するための手段】
【００２３】
本発明の実施形態は、磁気構造と被験者載置用テーブルと、手動又は自動手段とロック手段とを備える磁気共鳴イメージング装置を備え、磁気構造は、離間対向して配置される２つの磁極片及び該２つの磁極片を横断するように配されて該２つの磁極片を接続する柱体又は壁面を備え、磁極片は被験者の撮影可能な空間を定める２本の対向する壁面を固定し、２つの対向する壁面は、鉛直面と略平行な平面に沿って延出し、被験者載置用テーブルは、２つの磁極片の間の支持フレームに摺動可能に接続されるとともに、テーブルは、長手軸方向が磁極片の２つの対向する壁面に対して略平行になるように配置され、テーブルは、横断軸方向が２つの対向する壁面のうち少なくとも一方に対して略直角となるように配置され、テーブルは磁気構造に応じて、テーブルの長手軸方向に平行な方向に摺動可能であって、手動又は自動手段は、磁気構造に関連して長手軸方向に沿ってテーブルを変位させるために提供され、ロック手段は前記磁気構造に関連してテーブルを所定の位置にロックし、手動又は自動手段は長手方向軸回りにフレームを回転させるために提供され、フレームはテーブルおよび少なくとも磁極片又は磁気構造全体のいずれかとともに、テーブルが略水平な位置からテーブルが略垂直になる位置へ、若しくはその逆方向に回転可能であることを特徴とする磁気共鳴イメージング装置を提供する。
【００２４】
好ましくは、磁気構造の磁極片のみが、テーブル支持フレームとともに、テーブルを横断する軸回りに回転可能に支持される。
【００２５】
変更形態においては、テーブルを備えるテーブル支持フレームのみが、横断軸回りに回転可能である。
【００２６】
別の実施形態において、テーブルを備えるテーブル支持フレームと磁気構造は、同一若しくは異なる回転軸回りに互いに独立して回転可能としてもよい。回転を駆動させる独立したドライブ及び独立した回転式のロック手段が、テーブル支持フレーム及び磁気構造のために提供される。
【００２７】
本出願書類内において「略平行」との語の意味する内容は、テーブル又はベッドが対向する磁極片の向かい合う表面の間で回転軸上に並ぶように配置される状態か、若しくは向かい合う磁極片表面の距離により許容される程度であれば、及び／又はテーブル又はベッドが磁気構造の磁極片と接触しない程度であれば、僅かな位置のずれ、横方向への平行移動、横方向への傾斜も許容される状態と定義する。
【００２８】
本出願書類内における、「略水平」及び「略鉛直」という語は、テーブル又はベッドが正確に水平方向又は鉛直方向を向く位置に配置される状態、及びテーブル又はベッドの鉛直方向又は水平方向に対して僅かに傾斜して配置される状態を指す。
【００２９】
「略直角」「略一致」との語に関しても、「略」という語が同様に用いられている。
【００３０】
特定の実施形態において、テーブル支持フレームの回転軸と磁極片の回転軸は、磁極片の中心軸と略一致する。
【００３１】
回転は連続的に行われても段階的に行われてもよく、また回転式ロック手段は、テーブル及び／又はテーブル支持フレーム及び／又は磁気構造に対して一定の角度位置にロックを行う。ロックされる角度位置は、水平位置と鉛直位置の中間の角度位置、及び／又は水平位置又は鉛直位置を越えた角度位置である。
【００３２】
更に改良を加え、装置に磁気構造支持ベースプレートを加える。磁気構造支持ベースプレートは側面に２つの壁面を備える。２つの壁面には磁気構造が磁極片軸回りに回転可能に接続される。磁極片はＵ字状継鉄の２つの対向する端部に配される。Ｕ字状継鉄の中央水平部は水平方向に配置されるとともに回転軸に対して略平行に配置される。Ｕ字状磁気構造の中央水平部は、テーブルの長手方向に沿って摺動可能な方法でテーブル支持手段を支持する。Ｕ字状継鉄の２つの対向する側面部は、端部で磁極片を支持する。磁気構造は、磁気構造の支持ベースプレートの側面の壁面に蝶番接続された磁極片により、共通の回転軸回りに回転可能に支持される。
【００３３】
上記した実施形態に改良を加えた形態によると、テーブルはテーブル中央を通る長手方向軸回りに回転可能な方法で支持フレーム上に支持される。磁気構造に対してテーブルを中央長手軸方向に沿って回転させるためにドライブが提供される。また、磁気構造に対して所定の位置にテーブルをロックするための着脱可能なロックが提供される。
【００３４】
構造的な観点からの説明として、テーブル支持フレームはＵ字状磁気継鉄の中央水平部に摺動可能に取り付けられる延出したエレメントにより成形される。テーブル支持フレームもまたＵ字状の形状である。このＵ字状のテーブル支持フレームはテーブルの長手方向に延出した中央水平部と、中央水平部から突出した分岐部を備える。この分岐部は中央水平部に対して傾斜しており、分岐部はテーブルの幅の少なくとも半分より大きい長さを有する。このときテーブルの長手方向の両端は、テーブル支持フレームの分岐部の自由端において、共通の回転軸回りに回転可能に固定される。
【００３５】
他の実施形態では、テーブルはＵ字状の第２テーブル支持フレームに固定される。第２テーブル支持フレームは延出した中央フレームを備え、テーブルの後側の面に直接固定され、分岐部の終端はテーブルの長手方向の両端でテーブル前面へ突出する。第２テーブル支持フレームの両端の突出部の長さは、第１テーブル支持フレームの長さよりも短い。また第２テーブル支持フレームの突出部の端部が前記第１テーブル支持フレームの突出部の端部に対して、回転可能に固定される。
【００３６】
他の実施形態では、この技術的特徴を両方若しくは少なくとも一つを更に加えて、テーブルはテーブル・プレートを有し、更に少なくとも１つのシート・プレートを備える。シート・プレートは、前記テーブル・プレートと平行な位置から前記テーブル・プレートと直角な位置へと回動可能であって、回動後の位置ではテーブル・プレートの一部がシートの背面を形成する。
【００３７】
他の実施形態では、シート・プレートはテーブル・プレートの一部をなすものとする。この場合テーブル・プレートは少なくとも２つの部品を蝶番接続することにより形成され、これら部品のうち少なくとも一方が回動可能なシート・プレートを形成する。
【００３８】
他の形態においては、テーブル・プレートは少なくとも２つの部品がテーブルの横方向の軸回りに回動可能となるように、これらの部品を互いに直角な位置で蝶番接続して形成される。これによりテーブルが角をなす形状とすることが可能となる。鉛直方向を向く部品及び水平方向を向く部品は、被験者が前傾姿勢又は後方に反るような姿勢をとるときに支持として働く。前傾姿勢となるか後方にそる姿勢となるかは、被験者がテーブルに仰向けで横たわるかうつ伏せで横たわるかによる。本形態は別個で実施されても上記の実施形態と組み合わされてもよい。
【００３９】
フットレスト及び／又はシート・プレートは、テーブル上又はテーブル支持フレーム上にガイドにより支持されてもよい。フットレスト及び／又はシート・プレートはテーブル又はテーブル支持フレームに沿って、テーブル及び／又はテーブル支持フレームの長手方向軸に平行に両方向へ摺動可能である。
【００４０】
テーブル及び／又はテーブル支持フレームは、被験者を複数の位置でテーブルに対して保持する手段を備える。
【００４１】
一実施形態にしたがうと、テーブル又はテーブル支持フレームは、一つ又は複数の着脱可能な固定ベルトを備えて、被験者をテーブルに対して固定してもよい。
【００４２】
被験者保持手段の実施形態として更に、上述の固定ベルトの代替手段として又は組み合わせて提供するものとして、被験者の腋窩を支持する手段を形成してもよい。
【００４３】
上述の保持手段と組み合わせるか又は単独で提供可能な代替手段として、膝保持手段を備える。この膝保持手段に対して被験者は膝及び／又は脚を据えることができ、膝保持手段は、被験者がテーブル又はベッドに密着した姿勢を維持するのを補助する。
【００４４】
膝保持手段は、テーブル又はテーブル支持フレームに沿って長手方向に摺動可能であって、テーブル又はテーブル支持フレームに対して傾斜を加えて膝保持手段の角度を変位させることも可能である。
【００４５】
こういった構成を導入するために、様々な方策の適用が考えられる。例えば、膝保持手段をテーブル又はテーブル支持フレームの長手方向に摺動するスライド部品をガイド上に備えることができる。膝保持手段は、ブラケットなどの回転可能な支持手段によりスライド部品に固定されてもよい。この場合、ブラケットは、テーブル又はテーブル支持フレームに対して略横断する方向の共通軸回りに回転可能な方法で、ガイドに蝶番接続される。
【００４６】
フットレスト及び／又はシート及び／又はベルト及び／又は腋窩保持手段もまた、テーブル又はテーブル支持フレーム上のガイドに接続されたスライド部品上に装着されてもよい。また、これらの部品は、蝶番接続でスライド部品に固定されてもよく、テーブル及び／又はテーブル支持フレームに対して横断する方向の少なくとも１つの軸に沿って、少なくとも角度を変位させることが可能である。
【００４７】
後述する発明を実施するための最良の形態で詳細に説明するが、上述の摺動可能且つ角度変位可能なフットレスト、膝保持手段、シート、固定ベルト及び／又は摺動可能で角度変位可能な腋窩保持手段を用いることで、検査中の被験者は非常に広範な様態の姿勢をとることが可能になる。その被験者の姿勢は、撮像対象となる解剖学的領域に対する多様な構造的負担又は負荷に関連することが想定されたものである。本発明は特に脊柱の病変の検査を想定したものであるが、この種類の検査に限定するものではない。
【００４８】
上述の摺動可能且つ角度変位可能なフットレスト、膝保持手段、シート、固定ベルト、及び／又は摺動可能且つ角度変位可能な腋窩保持手段はロック手段を備えてもよい。ロック手段はこれらの部品を所定の摺動後の位置又は回転後の位置にブロックする。
【００４９】
更に改良を加え、フットレスト、膝保持手段、シート、固定ベルト、及び／又は摺動可能且つ角度変位可能な腋窩保持手段の摺動及び／又は角度変位の摺動と角度変位の動作は、手動で行われるか、若しくは電気モータ及び／又は油圧モータ又はアクチュエータなどの電動式手段により行われてもよい。
【００５０】
フットレスト、膝保持手段、シート、固定ベルト、及び／又は摺動可能且つ角度変位可能な腋窩保持手段は、機械的に又は電気機械的に又は電気的に、摺動動作又は角度変位動作に対して連結し、これら部品のうち少なくとも２つ、又はこれら部品から選択される群、又はこれら部品の全てにつき、異なる位置にあるものを相互に関連付ける。部品の位置関係は、被験者の解剖学的に定義された位置又は被験者に対しても適用可能な一又は複数の位置にしたがう。
【００５１】
その他の保持手段は、例えば、本装置のフレーム及び／又はテーブル及び／又はテーブル支持フレーム及び／又は磁気構造に固定されたハンドル又は類似部品を備える。ハンドルは被験者に握られてもよい。またハンドルは、テーブル及び／又はテーブル支持フレームの位置に対して異なる方向を向くように変位可能としてもよい。
【００５２】
本発明は更に磁気共鳴イメージング装置を用いた方法を提供する。磁気共鳴イメージング装置は磁気構造とテーブルを備える。該磁気構造は、互いに離間対向して配置され、鉛直面に対して平行で且つ被験者の撮像ボリュームを定める。該テーブルは被験者を載置するテーブルであって、テーブル支持フレームに、磁気構造に対して及び磁気構造の２つの磁極片の間で、テーブルの略長手方向に摺動可能な方法で固定されるとともに、磁極片の少なくとも一本に対して略直角方向を向くように配置されるとともに、その一端にフットレストを備え、磁気構造の磁極片及びテーブル支持フレーム及びテーブル及び／又は磁気構造が、テーブルの長手方向を横断する方向の軸回り並びにテーブルに平行な軸回りに同時に回転可能である。
本実施形態による方法は、少なくとも磁気構造の磁極片とテーブルを備える支持フレームを、テーブルが略水平に配置される被験者検査位置まで回転する段階と、テーブルの一部が磁気構造の外側に出た、終端位置にテーブルを摺動する段階と、テーブル上で被験者を横たわる姿勢に載置する段階と、テーブルを磁気構造に対してテーブルの長手方向軸に沿って、磁気構造の中心が検査される被験者の身体の一部分に正確に合致するように摺動する段階と、テーブル又はテーブルを備えるテーブル支持フレームを磁気構造に対して、テーブルが水平に配置される位置にロックする段階と、撮像手順を実行する段階と、テーブル又はテーブルを備えるテーブル支持フレームを磁気構造に対して、ロック解除する段階と、テーブルの一部分が磁気構造の外側に出る位置にまでテーブルを摺動し、被験者をテーブルから下ろす段階とを備える。
【００５３】
被験者は仰向け姿勢又はうつぶせ姿勢でテーブルの上に載置されてもよい。
【００５４】
本発明の別の実施形態において、磁気共鳴イメージング装置を用いた方法を提供する。磁気共鳴イメージング装置は少なくとも磁気構造とテーブルを備える。磁気構造は、互いに離間対向して配置され、鉛直面に対して平行で且つ被験者の撮像ボリュームを定める。テーブルは被験者を載置するテーブルであって、テーブル支持フレームに、磁気構造に対して及び磁気構造の２つの磁極片の間で、テーブルの略長手方向に摺動可能な方法で固定されるとともに、磁極片に対して少なくとも略直角方向を向くように配置されるとともに、その一端にフットレストを備え、磁気構造の磁極片及びテーブル支持フレーム及びテーブルが、テーブルの長手方向を略横断する方向の軸回り並びにテーブルと略平行な軸回りに同時に回転可能である。
本実施形態による方法は、少なくとも磁気構造の磁極片とテーブルを備える支持フレームを、テーブルが略水平に配置される被験者検査位置まで回転する段階と、テーブルの一部が磁気構造の外側で出た、終端位置にテーブルを摺動する段階と、テーブル上で被験者を横たわる姿勢に載置する段階と、テーブル及び／又はテーブル支持フレームを磁気構造に対してテーブルの長手方向軸に沿って、磁気構造の中央が正確に検査される被験者の身体の一部分に合うように摺動する段階と、磁気構造の中央が撮像部に合致する上述した位置に、テーブル及び／又はテーブル支持フレームをロックする段階と、磁極片及びテーブル支持フレームをともにテーブルが水平位置と鉛直位置の中間の角度にある位置に向くように、若しくはテーブルが略鉛直位置方向を向くように配置されるように回転する段階と、少なくとも磁極片及びテーブル及び／又はテーブルを備えるテーブル支持フレームを上記中間角度位置又は略鉛直位置でロックする段階と、撮像手順を実行する段階と、磁極片及び／又はテーブル及び／又はテーブルを備えるテーブル支持フレームを回転に対してロック解除する段階と、少なくとも及び／又はテーブル及び／又はテーブル支持フレームをテーブルが略水平方向に配置される位置に回転する段階と、テーブル及び／又はテーブルを備えるテーブル支持フレームを少なくとも磁極片に対してロック解除する段階と、テーブルの一部分が磁気構造の外側に出る位置にまでテーブルを摺動し、被験者をテーブルから降ろす段階とを備える。
【００５５】
上記した方法は、被験者がテーブル上で仰向け姿勢の状態で実行してもよい。
【００５６】
上記した方法は、被験者がテーブル上でうつぶせ姿勢の状態で実行してもよい。
【００５７】
更に上記した方法は、磁気構造の磁極片及びテーブル及び／又はテーブルを備えるテーブル支持フレームを、鉛直位置を越えた角度の位置に回転することで、被験者がうつぶせ姿勢又は仰向け姿勢の何れの姿勢でも実行可能である。即ち、鉛直位置を越えた角度の位置とは、被験者の背面側が下方向の成分を伴って移動する位置である。被験者支持及び／又は保持手段は被験者をテーブル表面に対して、解剖学的にふさわしい所望の位置に保持するために提供される。
【００５８】
この場合、被験者支持及び／又は保持手段は、例えば、摺動可能及び角度変位可能なフットレスト、膝保持手段、シート、固定ベルト、及び／又は摺動可能且つ角度変位可能な腋窩保持手段により、検査中の被験者に対して非常に広範な様態の姿勢をとることが可能となる。被験者の姿勢は、撮像対象となる解剖学的領域に対する多様な構造的負担又は負荷に関連づけされてもよい。本発明は特に脊柱の病変の検査を想定したものであるが、この種類の検査に限定するものではない。これらの保持手段は被験者が能動的な保持する力を働かせるように要求する手段か若しくは、被験者に全く能動的な関与を要求しない手段である。
【００５９】
上記の如く、これらの手段は手動式又は電動式アクチュエータを用いて変位されるか、若しくはロック手段及びロック解除手段を摺動動作又は角度変位動作に連動させてもよい。またこれらの手段は機械的に、電気機械的に、又は電気的に連結されてもよい。
【００６０】
このようにして、上記した方法は更に、被験者の所定の姿勢に従って、被験者支持及び／又は保持手段を位置決めする段階と、所定の位置に被験者支持及び／又は保持手段をロックする段階と、少なくとも磁極片及びテーブルを備えたテーブル支持フレームを、略水平な位置から、テーブルの支持面が下方向へ向かいテーブルが鉛直位置を越えて傾斜する位置まで回転させる段階の前に、被験者をテーブルに保持するために被験者支持及び／又は保持手段を作動させる段階と、所定の位置の被験者支持及び／又は保持手段をロック解除する段階と、少なくとも磁極片及びテーブルを備えるテーブル支持フレームを略水平な位置から、テーブルの支持面が下方向に向かいテーブルが鉛直位置を越えて傾斜する位置まで回転させる段階が完了した後に、被験者を解放するために被験者支持及び／保持手段の作動を停止する段階とを含む。
【００６１】
本発明の別の実施形態において、磁気共鳴イメージング装置を用いた方法を提供する。磁気共鳴イメージング装置は少なくとも磁気構造とテーブルを備える。磁気構造は、互いに離間対向して配置され、鉛直面に対して平行で且つ被験者の撮像ボリュームを定める。テーブルは被験者を載置するテーブルであって、テーブル支持フレームに、磁気構造に対して及び磁気構造の２つの磁極片の間で、テーブルの略長手方向に摺動可能な方法で固定されるとともに、磁極片に対して略直角方向を向くように配置されるとともに、その一端にフットレストを備え、少なくとも磁気構造の磁極片及びテーブル支持フレーム及びテーブルが、テーブルの長手方向を略横断する方向の軸回り並びにテーブルと略平行な軸回りに同時に回転可能であって、テーブルは支持フレーム及び磁気構造に対してその長手方向軸回りに回転可能である。
本実施形態による方法は、少なくとも磁気構造の磁極片とテーブルを備える支持フレームを、テーブルが略水平に配置される被験者検査位置まで回転する段階と、テーブルの一部が磁気構造の外側で出る終端位置にテーブルを摺動する段階と、テーブル上で被験者を仰向け又はうつぶせで横たわる姿勢に載置する段階と、テーブル及び／又はテーブル支持フレームを磁気構造に対してそれらの長手方向軸に沿って、磁気構造の中央が正確に被験者の身体の被検査領域に合致するように摺動する段階と、磁気構造の中央が撮像部分に合致する上述した位置に、テーブル及び／又はテーブル支持フレームをロックする段階と、磁極片及びテーブル支持フレームをともにテーブルが水平位置と鉛直位置の中間の角度にある位置に向くように、若しくはテーブルが略鉛直位置方向を向くように回転する段階と、少なくとも磁極片及びテーブル及び／又はテーブルを備えるテーブル支持フレームを上記した中間角度位置又は略鉛直位置でロックする段階と、テーブルを該テーブルが磁気構造に対して平行になる位置、若しくは少なくとも一方の磁極片に対して平行となる角度に回転させる段階と、テーブルをテーブル支持フレーム及び／又は磁気構造に対して前記平行になる角度位置において、又は少なくとも一方の磁極片に対して平行となる角度位置においてロックする段階と、撮像手順を実行する段階と、テーブルをテーブル支持フレーム及び／又は磁気構造に対してロック解除する段階と、テーブルをテーブルが磁極片の少なくとも一方に対して直角方向を向く位置に長手方向軸回りに回転して戻す段階と、磁極片及び／又はテーブル及び／又はテーブルを備えるテーブル支持フレームを回転に対してロック解除する段階と、少なくとも磁極片及び／又はテーブル及び／又はテーブル支持フレームをテーブルが略水平方向に配置される位置に回転する段階と、テーブル及び／又はテーブルを備えるテーブル支持フレームを少なくとも磁極片に対してロック解除する段階と、テーブルの一部分が磁気構造の外側に出る位置にテーブルを摺動し、被験者をテーブルから下ろす段階とを備える。
【００６２】
前の実施形態と同様に、上記の実施形態の場合では、被験者支持及び／又は保持手段が提供されてもよい。被験者支持及び／又は保持手段は被験者が検査中に様々な姿勢をとる際の補助として機能する。
【００６３】
本発明の別の実施形態において、磁気共鳴イメージング装置を用いた方法を提供する。磁気共鳴イメージング装置は少なくとも磁気構造とテーブルを備える。磁気構造は、互いに離間対向して配置され、鉛直面に対して平行で且つ被験者の撮像空間を定める。テーブルは被験者を載置するテーブルであって、テーブル支持フレームに、磁気構造に対して及び磁気構造の２つの磁極片の間で、テーブルの略長手方向に摺動可能な方法で固定されるとともに、磁極片に対して略直角方向を向くように配置されるとともに、その一端にフットレストを備え、少なくとも磁気構造の磁極片及びテーブル支持フレーム及びテーブルが、テーブルの長手方向を略横断する方向の軸回り並びにテーブルと略平行な軸回りに同時に回転可能である。
方法は、少なくとも磁気構造の磁極片とテーブルを備える支持フレームを、テーブルが略水平に配置される被験者検査位置まで回転する段階と、テーブルの一部が磁気構造の外側で出る終端位置にテーブルを摺動する段階と、テーブル上で被験者を横たわる姿勢に載置する段階と、テーブル及び／又はテーブル支持フレームを磁気構造に対してテーブルの長手方向軸に沿って、磁気構造の中央が正確に被験者の身体の被検査領域に合うように摺動する段階と、磁気構造の中央が撮影される部分に合うような上述した位置に、テーブル及び／又はテーブル支持フレームをロックする段階と、少なくとも磁極片及びテーブル及び／又は支持フレームをともにテーブルが水平位置と鉛直位置の中間の角度にある位置に向くように、若しくはテーブルが略鉛直位置方向を向くように回転する段階と、少なくとも磁極片及びテーブル及び／又はテーブルを備えるテーブル支持フレームを上記した中間角度位置又は略鉛直位置でロックする段階と、撮像手順を実行する段階と、磁極片及び／又はテーブル及び／又はテーブルを備えるテーブル支持フレームを回転に対してロック解除する段階と、少なくとも磁極片及び／又はテーブル及び／又はテーブル支持フレームをテーブルが略水平方向に配置される位置に回転する段階と、テーブル及び／又はテーブルを備えるテーブル支持フレームを少なくとも磁極片に対してロック解除する段階と、テーブルの一部分が磁気構造の外側に出る位置にまでテーブルを摺動し、被験者をテーブルから降ろす段階とを備える。
【００６４】
先の実施形態と同様に、上記の実施形態の場合でも、被験者が検査中に様々な姿勢をとる際に補助として機能する被験者支持及び／又は保持手段を備えてもよい。
【００６５】
本発明の他の実施形態において、磁気共鳴イメージング装置を用いた方法を提供する。磁気共鳴イメージング装置は、少なくとも磁気構造とテーブルとロック手段を備える。磁気構造は、互いに離間対向して配置され、鉛直面に対して平行で且つ被験者の撮像空間を定める。テーブルは被験者を載置するテーブルであって、テーブル支持フレームに、磁気構造に対して及び磁気構造の２つの磁極片の間で、テーブルの略長手方向に摺動可能な方法で固定されるとともに、磁極片に対して略直角方向を向くように配置されるとともに、その一端にフットレストを備え、少なくとも磁気構造の磁極片及びテーブル支持フレーム及びテーブルが、テーブルの長手方向を略横断する方向の軸回り並びにテーブルと略平行な軸回りに同時に回転可能である。テーブルは更に支持フレーム及び磁気構造に対してその長手方向軸回りに回転可能である。テーブルは第１及び第２部分により形成され、第１及び第２部分はテーブルの第１部分がテーブルの第２部分に対してある程度の傾斜を持つ位置か、若しくは略直角となる位置に、テーブル又はテーブル支持フレームを略横断する軸に沿って、角度変位が行えるように蝶番接続されている。ロック手段は、テーブルの第２部分に対して傾斜した位置に、テーブルの第１及び第２部分をロックする。
本実施形態による方法は、少なくとも磁気構造の磁極片とテーブルを備える支持フレームを、テーブルが略水平に配置される被験者検査位置まで回転する段階と、テーブルの一部が磁気構造の外側で出た、終端位置にテーブルを摺動する段階と、テーブル上で被験者を横たわる姿勢に載置する段階と、テーブル及び／又はテーブル支持フレームをテーブルの長手方向軸に沿って、磁気構造の中央が正確に被験者の被検査領域にあうように磁気構造に対して摺動する段階と、磁気構造の中央が撮影される部分にあうような上述した位置に、テーブルを摺動に対してロックする段階と、少なくとも磁極片及びテーブル及び／又は支持フレームをともにテーブルが略水平位置と略鉛直位置の中間の角度にある位置に向くように、若しくはテーブルが略鉛直位置方向を向くように回転する段階と、少なくとも磁極片及びテーブル及び／又はテーブルを備えるテーブル支持フレームを上記中間角度位置又は略鉛直位置でロックする段階と、鉛直方向を向いたテーブルの上半分を形成するテーブルの第１部分を、該テーブルの第１部分がテーブルの後方に角をなす位置に、又は水平となる位置に、後方へ回動する段階と、後方へ回動した位置における前記テーブルの第１部分を、略鉛直方向を向いたテーブルの第２部分に対してロックする段階と、撮像手順を実行する段階と、後方へ回動した位置における前記テーブルの第１部分をテーブルの第２部分に対してロック解除する段階と、テーブルの第１部分を、第１部分が前記テーブルの第２部分と揃う位置に前方へ回動する段階と、少なくとも磁極片及びテーブル及び／又はテーブルを備えるテーブル支持フレームを中間角度位置又は略鉛直位置においてロック解除する段階と、少なくともテーブル及び支持フレームをテーブルが略平行な位置に回転する段階と、略平行な位置におけるテーブルを摺動動作に対してロック解除する段階と、テーブルをテーブルの一部分が磁気構造の外側に出る位置に摺動して、被験者をテーブルから下ろす段階とを備える。
【００６６】
他の実施形態として、上記した方法は被験者をテーブルに仰向け姿勢で横たわらせ、被験者支持及び／又は保持手段は、テーブルの２つの部分が互いに角をなすように回動される場合、被験者をテーブルに対して一定の位置に保持するために提供する。
【００６７】
被験者支持及び／又は保持手段はどのような種類でも実施可能であり、上述の手段を用いて上記した実施形態を実施可能である。
【００６８】
このようにして、上記した本発明の技術的特徴によれば、磁気共鳴イメージング装置を用いた方法を提供する。磁気共鳴イメージング装置は、磁気構造とテーブルとロック手段と被験者支持及び／又は保持手段を備える。磁気構造は、互いに離間対向して配置され、鉛直面に対して平行で且つ被験者の撮像ボリュームを定める。テーブルは被験者を載置するテーブルであって、テーブル支持フレームに、磁気構造に対して及び磁気構造の２つの磁極片の間で、テーブルの略長手方向に摺動可能な方法で固定されるとともに、磁極片に対して略直角方向を向くように配置されるとともに、その一端にフットレストを備え、少なくとも磁気構造の磁極片及びテーブル支持フレーム及びテーブルが、テーブルの長手方向を略横断する方向の軸回り並びにテーブルと略平行な軸回りに同時に回転可能である。テーブルは更に支持フレーム及び磁気構造に対してその長手方向軸回りに回転可能である。テーブルは第１及び第２部分により形成され、第１及び第２部分はテーブルの第１部分がテーブルの第２部分に対して角をなす位置か、若しくは略直角となる位置に、テーブル又はテーブル支持フレームを略横断する軸に沿って、角度変位が行えるように蝶番接続されている。ロック手段は、テーブルの第２部分に対して傾斜した位置に、テーブルの第１及び第２部分をロックする。被験者支持及び／又は保持手段は、作動開始及び作動停止が切り替えられ、テーブル及び／又はテーブル支持フレームに対して摺動動作及び／又は角度変位のいずれかにより変位可能である。
本実施形態による方法は、少なくとも磁極片及びテーブル及び／又はテーブルを備えるテーブル支持フレームをテーブルが略水平方向を向く被験者検査位置まで回転する段階と、テーブルの一部が磁気構造の外側で出る終端位置にテーブルを摺動する段階と、テーブル上で被験者を仰向け又はうつぶせで横たわる姿勢に載置する段階と、被験者支持及び／又は保持手段を作動開始及びロックする段階と、テーブルを磁気構造に対してテーブルの長手方向軸に沿って、磁気構造の中央が正確に被験者の被検査領域にあう位置に摺動する段階と、磁気構造の中央が正確に検査される被験者の身体の一部分にあう位置に摺動に対してテーブルをロックする段階と、少なくとも磁極片及びテーブル及び／又は支持フレームをともにテーブルが略水平位置と略鉛直位置の中間の角度にある位置に向くように、若しくはテーブルが略鉛直位置方向を向くように回転する段階と、少なくとも磁極片及びテーブル及び／又はテーブルを備えるテーブル支持フレームを、中間の角度にある位置又は略鉛直位置にロックする段階と、被験者が仰向け姿勢で横たわるか又はうつぶせ姿勢で横たわるかによって、テーブルの上半分又は下半分を形成する第１部分又は第２部分に対して、少なくとも第１部分又は少なくとも第２部分又はテーブルの第１及び第２部分を、テーブルの第１及び第２部分を互いに角をなす位置へ後方又は前方に回動する段階と、テーブルの２つの部分を前記ある程度の角度で傾斜する位置においてロックする段階と、撮像手順を実行する段階と、テーブルの第２部分を、角をなした位置に対してロック解除する段階と、少なくとも第１部分又は少なくとも第２部分又はテーブルの第１及び第２部分を、テーブルの第１及び第２部分が再び互いに揃う位置へ回動して戻す段階と、少なくとも磁極片及びテーブル及び／又はテーブルを備えるテーブル支持フレームを中間角度位置又は略鉛直位置においてロック解除する段階と、少なくともテーブル及び支持フレームをテーブルが略水平な位置に回転する段階と、テーブルを略水平な位置において摺動動作からロック解除する段階と、テーブルをテーブルの一部が磁気構造の外側に出る位置にまで摺動し、被験者を前記テーブルから下ろす段階とを備える。
【００６９】
上記した方法は、検査中に被験者に対して診断を行う必要がある場合は、非常に有用となる。この場合、診断が被験者に対して（少なくとも診断が行われる解剖学的領域に対しては）緊張や負担を強いることのない条件下で行われる。
【００７０】
このようにして、撮像が検査中に必要となるか、又は別の機会に行われるかによるが、テーブルを略水平位置に回転して戻す段階が完了した後、テーブル又はテーブルを備えるテーブル支持フレームを少なくとも磁気構造の磁極片とともに摺動する代わりに、テーブル及び／又はテーブルを備えるテーブル支持フレームは、磁気構造の磁極片により定義され診断が行われる被検査領域が撮像ゾーンに対して中央に来る位置に保持されてもよい。この場合、撮像は診断中に実行可能である。
【００７１】
他の実施形態において、テーブル又はテーブルを備えるテーブル支持フレームは、その長手方向軸に沿って、磁気構造の磁極片に対して、撮像される領域に摺動することで、診断の必要となる領域と、診断が行われる領域が、撮像される領域の位置においてオフセットとなり、診断が実行される領域が磁気構造の磁極片の境界付近（磁極片間の撮像ボリューム内に残るか、磁極片内の撮像ボリューム外になるかのいずれか）となり、診断が行われる領域にアクセスしやすくなる。
【００７２】
この場合、診断中に、制御画像の実行が必要な場合、診断を中断させることが可能である。テーブル又はテーブルを備えるテーブル支持フレームは、診断が行われる領域が磁気構造の２つの磁極片の間の撮像される領域と一致する位置に再び配置される。
【００７３】
更に、本発明の別の実施形態において、磁気共鳴イメージング装置を実行するための方法を備える。磁気共鳴イメージング装置は、磁気構造とテーブルを備える。磁気構造は、互いに離間対向して配置され、鉛直面に対して平行で且つ被験者の撮像空間を定める。テーブルは被験者を載置するテーブルであって、テーブル支持フレームに、磁気構造に対して及び磁気構造の２つの磁極片の間で、テーブルの略長手方向に摺動可能な方法で固定されるとともに、磁極片に対して略直角方向を向くように配置され、その一端にフットレストを備え、少なくとも磁気構造の磁極片及びテーブル支持フレーム及びテーブルが、テーブルの長手方向を略横断する方向の軸回り並びにテーブルの長手方向と略平行な軸回りに同時に回転可能である。
本発明による方法は、少なくとも磁極片及び支持フレームをテーブルとともに、テーブルが水平でない位置へ回転する段階と、テーブルに対して角度をなすように固定されたシート・プレートを提供する段階と、被験者をシート・プレートに座らせる段階と、撮像を実行する段階と、被験者を磁気構造から下ろす段階とを備える。
【００７４】
更に、本発明の他の実施形態において、磁気共鳴イメージング装置を用いた方法を備える。磁気共鳴イメージング装置は、磁気構造とテーブルを備える。磁気構造は、互いに離間対向して配置され、鉛直面に対して平行で且つ被験者の撮影空間を定める。テーブルは被験者を載置するテーブルであって、テーブル支持フレームに、磁気構造に対して及び磁気構造の２つの磁極片の間で、テーブルの略長手方向に摺動可能な方法で固定されるとともに、磁極片に対して略直角方向を向くように配置され、その一端にフットレストを備え、少なくとも磁気構造の磁極片及びテーブル支持フレーム及びテーブルが、テーブルの長手方向を略横断する方向の軸回り並びにテーブル長手方向と略平行な軸回りに同時に回転可能であるとともに、テーブルは支持フレーム及び磁気構造に対してその長手方向軸回りに回転可能である。
本発明による方法は、少なくとも磁極片及び支持フレームをテーブルとともにテーブルが水平でない位置へ回転する段階と、テーブルに対して角度をなして固定されたシート・プレートを提供する段階と、被験者をシート・プレートに座らせる段階と、テーブルをその長手方向軸回りにテーブルが磁気構造に対して平行となるか若しくは、磁極片に対して角度をなす位置に回転する段階と、撮像を実行する段階と、テーブルをその長手方向軸回りにテーブルが磁極片に対して直角となる位置に戻るように回転する段階と、被験者を磁気構造から下ろす段階とを備える。
【発明の効果】
【００７５】
本発明による磁気共鳴イメージング装置により、非常に高速且つ簡便な方法で、大型で重量のある機体の製造を必要とせずに、被験者に対し多様な解剖学的領域の撮像を実行可能となる。被検査領域となる解剖学的領域の例としては、脊椎、肩、手、手首、肘、腰、膝、足首が挙げられる。被験者が複数の姿勢及び位置をとることにより、頚椎及び腰椎などの様々な脊椎領域に対して撮像ボリュームの中心を合わせることが出来る。被験者が様々な位置及び姿勢をとることが可能となることで、本発明による磁気共鳴イメージング装置は、被験者の頚椎、腰椎、膝、腰といった身体の解剖学的領域を負荷なしで撮像することも、負荷が加えられた状態で撮像することも可能となる。
【発明を実施するための最良の形態】
【００７６】
図１乃至図９は、本発明のＭＲＩ撮影装置を示す概略図である。
【００７７】
本発明の磁気共鳴イメージング装置は、支持ベースプレート（１）を備え、支持ベースプレート（１）は２つの平行な鉛直壁（１０１）からなる。鉛直壁（１０１）は互いから離間して配置される。２つの鉛直壁（１０１）の間には、磁気構造（２）が配される。磁気構造（２）はＵ字状継鉄からなり、このＵ字状継鉄は、ベースプレート（１）により２つの鉛直壁（１０１）の間に支持される。このＵ字状継鉄は、中央水平部（１０２）と２つの平行な側面部（２０２）からなる。中央水平部（１０２）は水平に配されるとともに、支持ベースプレート（１）の２つの鉛直壁の間を横断するように配される。また、中央水平部（１０２）は、２つの側面部（２０２）を接続する。２つの側面部（２０２）は、支持ベースプレート（１）の２つの対向する鉛直壁（１０１）と平行な平面上に配される。Ｕ字状継鉄の２つの側面部（２０２）のそれぞれは、その中央部と接続されない側の端部に、磁極片（３０２）を備える。２つの磁極片（３０２）は互いに離間対向して配される。２つの磁極片（３０２）のそれぞれは、鉛直方向に延出した壁面（４０２）を備える。これら２つの磁極片（３０２）の互いに離間対向して配置される２つの壁面（４０２）は、撮影可能な体積或いは空間を水平方向に定める。これら壁面はまた、水平であるとともに、磁極片（３０２）の壁面（４０２）及び／又はベースプレート（１）の鉛直壁（１０１）の間を横断する中心軸に沿って配される。
【００７８】
磁極片を備える磁気構造（２）のＵ字状継鉄はベースプレートの鉛直壁（１０１）の上端に回転可能に支持される。この回転軸は水平方向に延びる軸であり、支持ベースプレート（１）の対向する２つの鉛直壁（１０１）に直角な軸と平行、及び／又は２つの対向する磁極片（３０２）の対向する２つの壁面（４０２）と平行である。この回転軸はまた、Ｕ字状継鉄の中央部（２０１）の長手方向の軸と平行となることもある。好適な構造においては、磁極片（３０２）、特に磁極片（３０２）の壁面（４０２）の中心軸は、ベースプレート（１）の壁面（４０２）と壁面（１０１）の両方に対して直角である。この中心軸はまた、上記の回転軸と一致する。
【００７９】
テーブル（３）が磁気構造（２）の磁極片（３０２）の間に配される。テーブル（３）は、テーブル（３）の長手方向軸（図１乃至図９中、符号Ｓにより示される）と平行な方向に摺動可能に磁極片に対して支持される。第１テーブル支持フレーム（４）は細長い形状のエレメント（１０４）を備える。細長い形状のエレメント（１０４）はテーブル（３）の中心長手方向軸に平行であるとともに、Ｕ字状継鉄の中央水平部（１０２）内のパッセージ内に摺動可能に取付けられる。細長い形状のエレメント（１０４）を異なる装置により変位することが可能である。例えば、このような装置として、Ｕ字状継鉄と関連付けられた電動式ピニオンが挙げられる。このＵ字状継鉄は、細長い形状のエレメント（１０４）に固定されたラックに取り付けられる。若しくは空気式或いは液圧式のアクチュエータを用いて、細長い形状のエレメント（１０４）をＵ字状継鉄に対して変位させてもよい。この作動装置は当業者に周知であり、特定の種類の変位アクチュエータを選択することは当業者の通常の技術範囲内に含まれるから、この作動装置は詳しく図示されない。
【００８０】
テーブル支持フレーム（４）の細長い形状のエレメント（１０４）は、テーブル支持フレーム（４）の長手方向に沿って配されるとともに、Ｕ字形状を有する。細長い形状のエレメント（１０４）の磁気構造（２）と接続されない側の端部は、テーブル（３）の上端上方及び下端下方に延出する。この端部それぞれは、細長い形状の分岐部（２０４）を備え、分岐部（２０４）はエレメント（１０４）に対して傾斜しており、例えばエレメント（１０４）に対して直角である。分岐部（２０４）は、テーブル（３）が磁極片（３０２）の壁面（４０２）と直角に配置されるとき、テーブルの前後方向に延出するとともに、テーブル前面より前方に延出する。テーブル支持フレーム（４）の傾斜した分岐部（２０４）は、テーブル（３）の幅の少なくとも半分より大きい長さを有する。テーブル（３）の背面は、更に別の細長い形状のエレメント（１０３）に固定される。細長い形状のエレメント（１０３）はテーブル（３）の長手方向軸と平行であるとともに、テーブル（３）の中心長手方向軸に沿って配される。細長い形状のエレメント（１０３）はテーブル（３）の上下端を終端部とする。テーブル（３）の上下端それぞれにおいて、細長い形状のエレメント（１０３）は、細長い形状のエレメント（１０３）に対して傾斜した突出部（２０３）を備える。突出部（２０３）はテーブル（３）の前後方向に沿って、テーブル（３）の前面より前方へ延出する。突出部（２０３）のそれぞれは、テーブル（３）の中心長手方向軸と平行な回転軸回りに回転可能に支持される。この回転軸はテーブル支持フレーム（４）の端部に配される傾斜した分岐部（２０４）と共通の回転軸である。
【００８１】
テーブル（３）をその中心長手方向軸と平行な軸回りに回転させると同時に、磁気構造（２）の継鉄と磁極片（３０２）をテーブル（３）の長手方向軸と直角の軸回りに回転させるためには、従来既知の装置を用いることができる。このような装置として例えば、磁気構造（２）の回転軸と同軸であるとともに、継鉄と関連付けられた鋸歯状クラウンと噛合う１つの電動式ギアと、テーブル（３）の回転軸と同軸であるとともに、テーブル（３）と関連付けられた鋸歯状クラウンと噛合う別の１つの電動式ギアを用いる。モータを継鉄或いはテーブルと直接接続したり、或いはベルトなどを用いて動力を伝達してもよい。このような作動装置は、当業者の通常の知識の範囲内であるので、ここでもこれら装置を図示していない。
【００８２】
上記の磁気共鳴イメージング装置の構造にしたがうと、テーブルは、磁極片（３０２）に対しても変位可能であってもよい。磁気構造（２）が継鉄全体及び磁極片（３０２）とともに水平軸周囲で回転可能であるとともに、テーブル支持フレーム（４）がテーブル（３）とともに水平軸回りに回転可能である。この水平軸は、磁極片（３０２）と、テーブル（３）の長手方向軸に対して直角である。この第１の回転は、図３、図４、図５、図７乃至図９の矢印Ｒ１により示される。図１乃至図９に示すごとく、この回転により、テーブル（３）を水平位置から鉛直位置に変位できる。
【００８３】
更に、テーブル（３）はその長手方向中心軸回りに、或いはこの軸と平行な軸回りに矢印Ｒ２、Ｒ３、Ｒ４、Ｒ５、Ｒ７、及びＲ９が示すように回転可能である。したがってテーブルは、壁面（３０２）に略直角である位置から、磁極片（３０２）の壁面（４０２）に略平行な位置まで変位可能である。明らかに、テーブルが鉛直位置にあるとき、テーブルは回転だけを行う。
【００８４】
上記した互いに直角な２つの軸回りの回転に加えて、テーブル支持フレームは更にその長手方向に沿って、磁気構造（２）と磁極片（３０２）に対して変位可能である。この変位は、テーブル（３）の向きに関係なく、鉛直平面或いは水平平面に沿って、或いはこの鉛直平面或いは水平平面の中間にある平面に沿って可能である。
【００８５】
特に図示しないが、テーブル（３）の一端はフットレストを備える。このフットレストは、テーブル（３）に固定された細長い形状のエレメント（１０３）が備える対応する突出部（２０３）により支持或いは形成可能である。更に、磁気構造（２）、フレーム（４）、及びテーブル（３）を異なる回転位置、或いは異なるスライド位置にブロックするためのロック手段を設けてもよい。
【００８６】
テーブル（３）を異なる位置に変位することにより、同一の磁気共鳴イメージング装置を用いて、被験者の身体の多数の解剖学的領域を、異なる条件下で（例えば負荷が加わった状態で、或いは負荷が加わらない状態で）撮影可能である。
【００８７】
図１乃至図３に示すごとく、テーブル（３）が水平位置にあるとき、脊椎、ひざ、足首のそれぞれの解剖学的領域を負荷が加わらない状態で撮影することが可能である。脊椎の対応する領域（例えば、頚椎或いは腰椎）、膝、足首を２つの磁極片（３０２）の間の撮影空間の中心に位置決めすることが可能である。このような位置決めは、テーブル（３）とフレーム（４）を磁気構造に対して、矢印Ｓに従ってテーブルの長手方向に沿って摺動させることにより行われる。
【００８８】
テーブル（３）を水平位置から鉛直位置に回転させ、テーブル（３）を磁極片（３０２）の壁面（４０２）と直角な位置、或いはテーブル（３）、テーブル支持フレーム（４）、及び磁気構造（２）と共通の水平方向の回転軸と平行な位置に保つことにより、テーブルは図５、図８、及び図９に示す位置に達する。テーブル（３）は、更にその長手方向に沿って磁極片（３０２）に対して変位されてもよい。この変位は、テーブル（３）が水平状態のままであるとき、或いはテーブル（３）が鉛直状態であるときにも可能である。この状態において、本発明の装置は、特に次の解剖学的領域を撮影可能である。すなわち、テーブル（３）の磁極片（３０２）に対する長手方向の変位にしたがって、負荷を受けた状態の腰椎、及び負荷を受けた状態の膝を撮影する。尚、本発明の装置により撮影可能な領域はこれら領域には限定されない。図５乃至図９は、特に腰椎の撮影を行う位置を示すが、この位置で撮影可能な領域は腰椎には限定されない。図８は、特に膝の撮影を行う場合における磁気構造（２）及び磁極片（３０２）に対するテーブルの位置を示すが、この位置で撮影可能な領域は膝には限定されない。
【００８９】
テーブルが鉛直位置にあるとき、テーブル（３）は更に、その中心長手方向軸或いはこの軸と平行な軸回りに回転可能である。このとき、テーブル（３）は図５に示す形態となる。この形態において、テーブルがその長手方向軸に沿って磁極片（３０２）に対して変位することにより、次の解剖学的領域を撮影可能である。即ち、肩、手、肘、及び手首を負荷のない状態で、腰を負荷を受けた状態で撮影可能である。
【００９０】
図６及び図７に概略的に示すごとく、本発明の別の実施形態では、テーブル（３）はシート（５）を備えてもよい。シート（５）は、テーブルが鉛直位置に変位された後に、テーブル（３）に取付けられる。或いはシート（５）は、シート・プレートをテーブル（３）の前面に蝶番接続して形成されてもよい。このシート・プレートは、テーブル（３）に平行な位置から、テーブル（３）に直角な位置まで回動可能であり、テーブル（３）に直角な位置でロック可能である。シート・プレートはテーブル（３）の一部をなすものであってもよい。この場合シート・プレートは、少なくとも２つの部分がテーブル（３）の横方向の軸回りに回動可能となるように、これら部分を互いに蝶番接続することにより形成される。
【００９１】
鉛直位置にあるテーブルに、シートを取付けるか、或いはテーブルの一部を変形させてシートとして用いると、特に負荷を受けた状態の頚椎を撮影可能であるが、このようにして撮影可能な領域は頚椎には限定されない。
【００９２】
更に別の実施形態では、テーブル支持フレームとテーブルは２つの部分からなり、これら２つの部分が横方向の軸回りに回動可能となるように互いに蝶番接続されてもよい。このようにすると、テーブルが鉛直位置にあるとき、テーブルの上部分と支持フレームの上部分を、それぞれの下部分に対して傾斜した位置まで変位可能となる。この状態では、図１０に示すごとく、被験者はテーブル上にうつ伏せに横たわることができる。このような姿勢をとることにより、負荷を受けた状態の頚椎を撮影できる。また、このような姿勢で撮影を行うと、被験者が脊椎を患っている場合にも痛みが少ない。
【００９３】
更に、本発明の磁気共鳴イメージング装置は、被験者の姿勢に応じて位置を調節できるから、各種の処置を行うために撮影中の解剖学的領域に対して医療従事者がアクセスするための十分な空間が確保される。
【００９４】
磁気構造の磁極片（３０２）間の距離がテーブルの幅より大きいとき、テーブル支持フレーム（４）が、分岐部（２０４）において、横方向に摺動することが可能である。これにより、テーブルはその横方向の軸回りにも変位可能となる。
【００９５】
フットレスト（６）とシート（５）は、テーブル（３）の長手方向に沿って摺動可能にテーブル（３）或いはテーブル支持フレーム（４）に取付けられる。更に、フットレスト（６）及びシート（５）のいずれか一方或いは両方が、横方向の軸回りに、特にテーブル（３）の長手方向に直角の軸回りに回動可能に取り付けられてもよい。したがって、被験者が撮影セッション中に異なる姿勢をとり、膝、腰、脊椎などの解剖学的領域に対して異なる負荷を加えることが可能である。摺動可能なフットレスト （６）は、撮影する解剖学的領域にしたがって或いは被験者ごとに異なる被験者の身長にしたがって、磁気構造の磁極片（３０２）間に定義される撮影空間に対する被験者の位置を調節することも可能である。摺動可能なシート（５）とフットレスト（６）を組み合わせて用いることにより可能になる被験者の様々な姿勢を図１３乃至図１５に示す。フットレスト（６）とシート（５）は、開放可能な固定手段を備えてもよい。これによりフットレスト（６）とシート（５）を、必要なときにテーブル或いはテーブル支持フレームに取付けることと、或いは不要になったときに取りはずすことが可能になる。
【００９６】
テーブル及び／又は磁気構造の位置が、テーブル（３）が水平とならない位置であるとき、特にテーブル（３）が略鉛直となる位置であるとき、被験者を異なる姿勢に保つための手段が提供される。
【００９７】
図１０乃至図１２に示す第１の例において、本発明の磁気共鳴イメージング装置は、膝支持手段（１０）を備える。膝支持手段（１０）は、磁気共鳴イメージング装置のどの部分に固定されてもよいが、好ましくは膝支持手段（１０）は、テーブル（３）或いはテーブル支持フレーム（４）に固定される。図１０乃至図１２に示す実施形態では、膝支持手段（１０）は膝レストの形態であり、プレート状の膝サポート（１１０）を備える。膝サポート（１１０）はテーブル（３）の長手方向軸を横断する方向に沿って配される。膝サポート（１１０）は２つの横方向アーム（２１０）の一方或いは両方の一端に取付けられる。横方向アーム（２１０）の他端は、テーブル（３）及び／又はテーブル支持フレーム（４）に固定される。一つの好適な実施形態においては、膝支持手段（１０）はテーブル（３）にその長手方向に摺動可能に固定される。膝支持手段は単独で用いられてもよく、或いはフットレスト（６）又はシート（５）と組み合わせて用いられても、また或いはフットレスト（６）及びシート（５）の両方と組み合わせて用いられてもよい。
【００９８】
図１０乃至図１２から明らかなように、膝支持手段（１０）とフットレスト（６）及び／又はシート（５）を組み合わせて用いると、特にテーブルが水平位置にないとき、或いは略鉛直位置にあるときに、被験者が異なる姿勢をとることが可能になる。このように被験者が異なる姿勢をとることにより、異なる負荷条件下の様々な解剖学的領域の撮影を行うことができる。このような解剖学的領域としては、例えば、膝、脊椎、腰などが挙げられる。
【００９９】
特に、膝レスト（１０）、フットレスト（６）、及びシート（５）を組み合わせて用いると、被験者が、様々な角度に膝を曲げた姿勢をとることが可能になる。このとき被験者の膝は非水平位置或いは略鉛直位置にある。膝が略鉛直位置にある状態とは即ち、被験者が略直立した状態のことをいう。
【０１００】
特に、被験者が略直立位置にあるとき、即ちテーブル（３）が略鉛直位置にあるときには、本発明の装置は、図１６乃至図１９に示す被験者支持及び／又は保持手段を備える。テーブル（３）が略鉛直位置にあるときとは、テーブル（３）が完全に鉛直ではないが、水平平面に対して９０°以上傾斜しているとき、及び／又はテーブル（３）が２つの部分からなり、この２つの部分が互いに対して異なる角度位置を取ることが可能であり、テーブル（３）の上部分が水平平面に対して９０°以上の角度で傾斜しているときのことをいう。これらの複数の被験者支持及び／又は保持手段は、どのような組み合わせ又はサブコンビネーションで用いられても、或いはフットレスト（６）、膝レスト（１０）、及びシート（５）を構成する被験者支持及び／又は保持手段の１つ若しくは複数、或いは全ての手段と組み合わせて用いられてもよい。
【０１０１】
図１６に示すごとく、被験者支持及び／又は保持手段はアームレスト（１１）により形成される。このアームレスト（１１）に対して、自分の身体をテーブル（３）に対して押し付ける力を被験者は腕により加える。図１６に示す例においては、アームレストの構造は、膝レストの構造と略同一である。これらの構造の相違点は、膝支持表面（１１０）が手のための把握エレメント（１１１）と置き換わっている点である。把握エレメント（１１１）は１もしくは２つのアーム（２１１）により支持される。把握エレメント（１１１）の一側に１つのアーム（２１１）が配される。アーム（２１１）はその長さ方向において相対的に制御可能であり、これにより被験者の腕の長さが調節される。支持アーム（２１１）は、テーブル（３）の長さ方向に沿って、テーブル（３）の長さの少なくとも一部において摺動可能に、及び／又は横軸回り、特にテーブル（３）の長手方向軸に対して直角である軸回りに回動可能に固定できる。支持アーム（２１１）の長さを変化させるための実施形態においては、これらアームは入れ子式アームとして形成されてもよい。
【０１０２】
図１７に示すごとく、本発明の装置は、更に別の被験者支持及び／又は保持手段として、被験者固定ベルト（１２）を備えてもよい。図１７に示す固定ベルト（１２）は被験者の胸部に使用される。明らかに２以上の固定ベルトを被験者の身体の異なる部位に用いることが可能である。フットレスト、シート、膝レスト、及びアームレストと同様に、固定ベルト（１２）はテーブル（３）或いはテーブル支持フレームに対して開放可能に固定可能である。固定ベルト（１２）が、テーブル（３）の長手方向軸を横断する方向、特に長手方向軸と直角の方向の軸回りに回動可能とするための固定手段を設けることもできる。固定ベルトの場合もまた、このベルトをテーブルに固定するための固定手段が、ベルト（１２）をテーブル（３）の長手方向に摺動可能に固定してもよい。
【０１０３】
テーブル（３）或いはテーブル支持フレームに対して摺動手段により固定される代わりに、フットレスト（６）、シート（５）、膝レスト（１０）、アームレスト（１１）、固定ベルト（１２）は、テーブル及び／又はテーブル支持フレーム上に、特にテーブル支持フレームの長さ方向に沿って存在する複数の固定ポイントに対応する固定手段により、テーブル（３）或いはテーブル支持フレームに対して固定されてもよい。このようにすると、連続的な位置調節の代わりに、段階的な位置調節が可能になる。
【０１０４】
被験者支持及び／又は保持手段の別の実施形態を図１８及び図１９に示す。この実施形態において、被験者支持及び／又は保持手段は、少なくとも１つの、好ましくは２つの腋窩支持手段（１３）を備える。腋窩支持手段（１３）は、ブラケット（１１３）として形成される。ブラケット（１１３）は、テーブル（３）から略直角に突出するように、テーブル（３）或いはテーブル支持フレーム（４）に固定される。ブラケット（１１３）は、テーブルの長手方向において、丸みを帯びた細長い断面形状を有し、腋窩の形状と対応した解剖学的形状を有する腋窩支持表面を形成する。ブラケット（１１３）のテーブル（３）と接続されない側の端部には、側方に広がった形状のヘッド部（２１３）が設けられる。ヘッド部（２１３）は、腋窩周辺の領域において、腕及び胸部の前面を支持する表面を形成する。被験者が怪我をすることがないように、ヘッド部もまた丸みを帯びた形状を有する。上記した他の被験者支持及び／又は保持手段と同様に腋窩支持手段（１３）はテーブル（３）或いはテーブル支持フレーム（４）に開放可能に固定される。腋窩支持手段（１３）はテーブル（３）表面に沿って、テーブル（３）の長手方向の少なくとも一部において摺動可能とされてもよい。好ましくは、腋窩支持手段（１３）はテーブル（３）の横軸方向においても摺動可能とされる。テーブル（３）に対して摺動可能に取付けられる代わりに、テーブル（３）表面上の異なる複数の点に対して固定可能とされてもよい。この複数の点には、固定ポイントが設けられる。腋窩支持手段（１３）はテーブル（３）に対して傾斜可能に取り付けられてもよい。この場合、腋窩支持手段（１３）はテーブル（３）を定義する２方向のうち一方向或いは両方向に傾斜する。
【０１０５】
被験者が腋窩支持手段（１３）をより簡単に且つ快適に使用できるようにするためには、腋窩支持手段（１３）のヘッド部をブラケット（１１３）の端部に開放可能に取付ける。若しくは腋窩支持手段（１３）は対応するブラケット（１１３）の軸と平行な軸回りに回転可能に及び／又は偏心した位置に変位されてもよい。この場合、被験者がテーブル（３）上に載った後にヘッド部（２１３）を取付けたり、或いは被験者の動きを著しく妨げない位置にヘッド部（２１３）を移動することが可能であるから、被験者はテーブル（３）上において、腋窩支持手段により、更に快適に固定される。明らかに、腋窩支持手段（１３）をテーブルに対して固定する開放可能な固定手段を用いると、被験者がテーブル（３）に載った後にのみ腋窩支持手段（１３）をテーブルに取付けることも可能である。
【０１０６】
被験者支持及び／又は保持手段について上記で説明したように、腋窩支持手段は１もしくはそれ以上の上記した他の被験者支持及び／又は保持手段（例えばフットレスト（６）、シート（５）、膝レスト（１０）、アームレスト（１１）、及びベルト（１２））と組み合わせて用いられてもよい。或いはこれら被験者支持及び／又は保持手段の全てと組み合わせて用いられてもよい。
【０１０７】
異なる被験者支持及び／又は保持手段を開放可能に固定したり、及び／又はこの被験者支持及び／又は保持手段をテーブル（３）を定義する１方向或いは両方向に沿って変位させたり、及び／又はこの被験者支持及び／又は保持手段を更に特定の軸回りに回動可能とするための固定手段及び機構について説明する。この固定手段及び機構は、開放可能な手段を備える。一旦被験者支持及び／又は保持手段を所望の位置と向きに位置決めすると、この開放可能な手段は被験者支持及び／又は保持手段を一定の位置にロックする。
【０１０８】
この固定手段及び機構は、当業者に基礎的技術知識の一部として知られる多数の構造のうちから適宜選択される。
【０１０９】
更に別の実施形態では、被験者の位置を変えるためのテーブル（３）は少なくとも２つの部分（２３）及び（３３）からなる。これら２つの部分（２３）及び（３３）はテーブル（３）の長手方向軸を横断する方向の軸、特にテーブル（３）の長手方向軸と直角の軸回りに回動可能である。テーブル（３）の例を図２０乃至図２４に示す。この実施形態は、単独で実施されても、上記した実施形態の１若しくはそれ以上と組み合わせて実施されてもよい。
【０１１０】
図２０乃至図２４に示す実施形態において、テーブル（３）はテーブル・プレートを備え、このテーブル・プレートは、２つの部分（２３）及び（３３）からなる。２つの部分（２３）及び（３３）のそれぞれは、テーブル・プレートの半分の長さを有する。これら２つの部分（２３）及び（３３）は中心軸Ｈにおいて蝶番接続される。中心軸Ｈはテーブル（３）の長手方向軸と直角である。テーブル・プレート（２３）及び（３３）を支持するフレーム（４３）は、フレーム（４３）に取付けられたスライド又はローラ（１６）により、ガイド（１５）に対して摺動可能に取付けられる。スライド又はローラ（１６）は、フレーム（４３）長手方向に延出する面のうち、テーブル（３）と接続する面と反対側の面に取付けられる。フレーム（４３）のこの長手方向の面の同じ場所に、２つの平行な長手方向ガイド（１５）が取付けられる。２つのガイド（１５）は継鉄、特に２つの磁極片（３０２）を接続する継鉄の横断部（１０２）に直接取り付けられる。磁極片（３０２）と横断部（１０２）はテーブル（３）とともに水平軸回りに回転可能である。この水平軸は、テーブル（３）の長手方向を横断する方向の軸であり、横断部（１０２）と略平行な軸である。
【０１１１】
更に別の実施形態において、２つのガイド（１５）はキャリッジに取り付けられてもよい。キャリッジは、１若しくはそれ以上のガイドに対して摺動可能に取付けられる。このガイドは、テーブル（３）の横軸及び／又は磁気構造（２）がテーブル（３）とともに回転するときの回転軸に対して平行に配される。これら２つの横軸方向ガイドを、磁気構造（２）の横断部（１０２）に固定してもよい。このようにすると、テーブル（３）も、２つの対向する磁極片（３０２）間で偏心した位置に変位可能となる。
【０１１２】
図２４に示すごとく、テーブル・プレートの回動可能部分（２３）及び（３３）は、フレーム（４３）に対して変位可能であるとともに、それぞれ独立して互いからの角度位置を変えることができる。テーブル・プレートの回動可能部分（２３）及び（３３）を回動させたり、所望の角度位置にこれら２つの回動可能部分（２３）及び（３３）をロックするための手段が設けられる。このような手段が、手動メカニズムであり、手動でテーブル・プレートの回動可能部分（２３）及び（３３）を回動させるとともに、所望の角度位置にロック及びロック解除するものであってもよい。若しくはこのような手段がアクチュエータを備える手段であり、自動的に２つの回動可能部分（２３）及び（３３）を回動させるとともに、所望の角度位置にロック及びロック解除するものであってもよい。
【０１１３】
図２０乃至図２４は、上記の手動メカニズムの例を示す。回動可能部分（２３）及び（３３）それぞれは、互いに独立したフレーム（５３）を備える。フレーム（５３）は少なくとも２つの長手方向エレメントを備える。これら長手方向エレメントは、フレーム（４３）の長手方向の面に平行に配される。回動可能部分（２３）及び（３３）それぞれのフレームが備える長手方向エレメント（５３）のそれぞれは、レバー（１７）によりフレーム（４３）の対応する長手方向の面に接続される。レバー（１７）はフレーム（４３）の長手方向エレメントの内表面に回転可能に取付けられる。レバー（１７）の回転軸は、フレーム（４３）の長手方向エレメントに対して固定されている。レバー（１７）のフレーム（４３）と接続する端部と反対側の端部は、長手方向スロット（１５３）に回転可能且つ摺動可能に取付けられる。この長手方向スロット（１５３）は、テーブル・プレートの回動可能部分（２３）及び（３３）の長手方向エレメント（５３）に、対応するフレーム（４３）に対向する面上に設けられる。スロット（１５３）の長手方向の辺のうち下辺は直線状である一方、上辺は波状に形成される。この波状の辺の凹部のそれぞれには、接続ピン（１８）が嵌合する。接続ピン（１８）はレバー（１７）と接続し、レバー（１７）により案内される。したがって、図２４に示すごとく、テーブル・プレートの回動可能部分（２３）及び（３３）を、互いに独立して回動させたり、所望の角度位置に一時的にロックすることが可能である。波状の辺はどのような形状を有してもよいが、例えば、被験者の体重が加わったときにもピン（１８）と安定して嵌合する形状とする。
【０１１４】
更に別のロック手段を設けてもよく、様々な種類の機構を当業者の通常の知識の範囲から適宜選択して用いてもよい。
【０１１５】
上記したテーブルを用いて、被験者が更に多くの数の姿勢をとったり、撮影する解剖学的領域の負荷条件の数を増やすことができる。この例を図２５乃至図３４に示す。
【０１１６】
図２５乃至図２８及び図３４に示すように、テーブル（３）或いはテーブル支持フレーム（４）の少なくともいずれか一方が略鉛直の平面上で回転される。これらの例では、テーブル（３）と磁気構造（２）がともに回転することが可能である。図２５乃至図２８及び図３４は、磁気構造（２）がテーブル（３）の略鉛直な位置に対して回転した回転位置を示す。図示のごとく、テーブル・プレートの下半分（３３）のみを回動させること（図２５及び図２６）或いはテーブル・プレートの上半分（２３）のみ回動させること（図２７、図２８、及び図３４）が可能である。更に図２５及び図２６は、テーブル・プレートの下半分を上方に回動させたときの被験者の姿勢の２つの例を示す。図２７及び図２８はテーブル・プレートの上半分（２３）を、下方に且つテーブル・プレートの前面の方向に回動させたときに得られる被験者の姿勢を示す。図２５乃至図２８から明らかなように、２つの回動可能な部分（２３）及び（３３）からなるテーブル・プレートは、アームレスト（１３）とフットレスト（６）を備える。
【０１１７】
図３４は、テーブル・プレートの上半分（２３）を後方に回動させたときに得られる被験者の姿勢を示す。図２４乃至図２８、及び図３４のそれぞれにおいては、被験者は仰臥している。
【０１１８】
上記の姿勢とは異なり、図２９及び図３０において、被験者はテーブルにうつ伏せた姿勢である。テーブル・プレートの上半分（２３）は、図２７及び図２８に示すのと同様に回動されるが、テーブル・プレートの反対側にフットレスト（６）が設けられる。
【０１１９】
図３１乃至図３３は、テーブル（３）及び磁気構造（２）が水平位置にあるときの例を示す。図３１において、テーブル・プレートの下半分（３３）（足が載る部分）は上方に回動されている一方で、上半分（２３）（頭が載る部分）は水平或いは略水平の状態である。図３２においては、テーブル・プレートの上半分（２３）も上方に回動されている。図３３においては、テーブル・プレートの上半分（２３）のみが上方に回動されており、テーブル・プレートの下半分（３３）は水平或いは略水平の状態である。これら３つの例のいずれにおいても、被験者はテーブルにうつ伏せた姿勢である。この他の姿勢においても、２つの回動可能部分（２３）及び（３３）の間の角度に関わらず、被験者はテーブルにうつ伏せた姿勢をとることができる。
【０１２０】
様々な被験者支持及び／又は保持手段を、テーブル或いはテーブル支持フレームに取り付け或いは固定することが可能であるが、上記した被験者支持及び／又は保持手段の少なくとも一部或いは全てが、磁気構造或いは該磁気構造を支持するマシン・フレームと接続するための固定手段を備えてもよい。
【０１２１】
テーブルの長手方向軸を横断する方向の軸回りに回動可能に蝶番接続される２つの部分からなる種類のテーブル・プレートについて説明する。この種のテーブルは、磁気構造とテーブルのいずれもが回転しない磁気共鳴イメージング装置、特にテーブルが略水平に配される磁気共鳴イメージング装置と組み合わせて用いられてもよい。この場合、様々な姿勢において、被験者の位置が被験者支持及び／又は保持手段が必要な位置となるので、テーブル及び／又は磁気構造及び／又はマシン・フレームは、上記した被験者支持及び／又は保持手段の１若しくはそれ以上と組み合わせて用いられる。
【０１２２】
回動可能部分からなるテーブル・プレートについて説明する。テーブルとテーブル支持フレームの２つの回動可能な部分が回動する角度位置は、これら２つの部分の間の角度が１８０°以上、特に２７０°より大きく３６０°より僅かに小さい角度となる位置、及び０°より僅かに大きく９０°より小さい角度となる位置とする。これらの位置は、被験者がテーブルに背面或いは正面のいずれをつけて横たわるか、即ち、仰臥するか或いはうつ伏せるかにしたがって決定する。
【０１２３】
更に別の実施形態において、本発明の装置の磁極片の互いに対向する面を様々な形状に形成することができる。図示例においては、磁極片は、撮影する空間を定義する面として平坦な表面（４０２）を備えるが、本発明の装置は、平坦な表面（４０２）を有さない磁極片を備えるものであってもよい。例えば、磁極片は、撮影する空間を定義する対向する面の縁から直立した領域を備えるか、或いは複数の突起部を備える。これら突起部は、磁場をシム調節するためのエレメントが突起した部分である。この場合、磁極片に対する様々な向きを正確に反映するためには、磁極片の平坦でない表面を取囲む理想的な平均表面或いは理想的な磁極片表面を参照しなければならない。
【０１２４】
上記の説明から明らかなように、本発明の装置は被験者の解剖学的領域を異なる負荷条件下で撮影することができる。本発明の装置によると、被験者が連続した複数の姿勢を取りながら、連続した複数の負荷条件下で、撮影を行うことが可能である。したがって、被験者が様々な姿勢をとりながら撮影した画像を時系列的に表示することが可能である。また、姿勢が異なったり、解剖学的領域に対する負荷が異なるときに、被験者の動きによって病態がどのように変化するかを明らかにすることが可能である。
【０１２５】
この種の分析を、異なる領域及び姿勢、又は負荷で被験者に発生する痛みについて被験者自身が入力した情報と関連付けることも可能である。これにより、被験者の病態をより良く理解できる。
【図面の簡単な説明】
【０１２６】
【図１】本発明による磁気共鳴イメージング装置の好適な実施形態の側面図である。水平方向を向いたテーブルが撮像を行う様子を示す。撮像は特に脊椎、膝、くるぶしを対象とするが、それらに限定しない。
【図２】図１の装置の上面図である。テーブルが長手方向に摺動したときの終端位置が示されている。
【図３】図１及び図２による装置の斜視図である。
【図４】本発明による磁気共鳴イメージング装置を示し、テーブルが鉛直方向を向き、磁気構造の磁極片により定義される撮像ボリュームに対して平行方向を向く図を示す。図４の位置では、限定はしないが特に肩、手、手首、肘を負荷のかからない条件において撮影し、頚椎部及び膝については負荷下で撮影される姿勢であり、腰部についても負荷下で撮影される。
【図５】図５は本発明による磁気共鳴イメージング装置を示し、テーブルが鉛直方向を向き、磁気構造の磁極片により定義される撮像ボリュームに対して直角方向を向く図を示す。
【図６】本発明による撮像装置の側面図を示す。この磁気構造に対する被験者の位置並びに被験者の姿勢により、限定はしないが、特に脊椎のうち腰椎領域を負荷下で撮影可能である。
【図７】本発明による撮像装置の斜視図を示す。この磁気構造に対する被験者の位置並びに被験者の姿勢により、限定はしないが、特に脊椎のうち腰椎領域を負荷下で撮影可能である。
【図８】本発明による装置の側面図を示す。この被験者の位置により、負荷下で限定はしないが特に膝と脊椎のうち腰椎領域を撮影可能とする。
【図９】本発明による装置の斜視図を示す。この被験者の位置により、負荷下で限定はしないが特に膝と脊椎のうち腰椎領域を撮影可能とする。
【図１０】本発明による装置の側面図を示す。テーブルは鉛直方向を向き、フットレスト及び膝支持手段が、被験者に複数の姿勢をとらせるために提供される様子を示す。
【図１１】本発明による装置の側面図を示す。テーブルは鉛直方向を向き、フットレスト及び膝支持手段が、被験者に複数の姿勢をとらせるために提供される様子を示す。更にシート・プレートが提供される。
【図１２】本発明による装置の側面図を示す。テーブルは鉛直方向を向き、フットレスト及び膝支持手段が、被験者に複数の姿勢をとらせるために提供される様子を示す。更にシート・プレートが提供される。
【図１３】本発明による装置の側面図を示す。フットレスト及びシートが提供され、被験者に複数の姿勢をとらせる。図１３、図１４、図１５に姿勢の三つの例を示す。フットレスト及び／又はシートはテーブルに沿ってテーブルの長手方向に摺動可能である。
【図１４】本発明による装置の側面図を示す。フットレスト及びシートが提供され、被験者に複数の姿勢をとらせる。図１３、図１４、図１５に姿勢の三つの例を示す。フットレスト及び／又はシートはテーブルに沿ってテーブルの長手方向に摺動可能である。
【図１５】本発明による装置の側面図を示す。フットレスト及びシートが提供され、被験者に複数の姿勢をとらせる。図１３、図１４、図１５に姿勢の三つの例を示す。フットレスト及び／又はシートはテーブルに沿ってテーブルの長手方向に摺動可能である。
【図１６】テーブル及び被験者支持及び／又は保持手段を示し、被験者が自身の身体を腕の力でテーブルに対して押さえつける様子を示す。
【図１７】テーブル並びに、被験者支持及び／又は保持手段として被験者をテーブルに固定するベルトを示す。
【図１８】本発明による装置の側面図を示す。テーブルを被験者支持及び／又は保持手段を被験者の腋窩に対応させて組み合わせた様子を示す。
【図１９】本発明による装置の前面図を示す。テーブルを被験者支持及び／又は保持手段を被験者の腋窩に対応させて組み合わせた様子を示す。
【図２０】テーブル支持フレームに対して互いに回動可能な２つの部品により形成されたテーブルの平面図を示す。
【図２１】図２０によるテーブルの側面図を示す。
【図２２】テーブル、テーブル支持フレーム、固定手段を備える磁気構造を、テーブルの長手方向に平行な軸に沿って眺めた図を示す。尚、固定手段はテーブルを磁気構造、特に磁気構造の継鉄に固定する。
【図２３】図２２の、テーブル及びテーブル支持フレームを磁気構造に固定する手段の領域を拡大した図である。
【図２４】図２４は、図２０乃至図２２によるテーブルの側面図を示す。テーブルの２つの部品がテーブル支持フレームに対して互いに異なる角度の位置を示す。
【図２５】本発明による装置にしたがって、被験者のとる複数の姿勢の位置を示す。装置は図２０乃至図２４によるテーブルとの組み合わせにより形成される。
【図２６】本発明による装置にしたがって、被験者のとる複数の姿勢の位置を示す。装置は図２０乃至図２４によるテーブルとの組み合わせにより形成される。
【図２７】本発明による装置にしたがって、被験者のとる複数の姿勢の位置を示す。装置は図２０乃至図２４によるテーブルとの組み合わせにより形成される。
【図２８】本発明による装置にしたがって、被験者のとる複数の姿勢の位置を示す。装置は図２０乃至図２４によるテーブルとの組み合わせにより形成される。
【図２９】本発明による装置にしたがって、被験者のとる複数の姿勢の位置を示す。装置は図２０乃至図２４によるテーブルとの組み合わせにより形成される。
【図３０】本発明による装置にしたがって、被験者のとる複数の姿勢の位置を示す。装置は図２０乃至図２４によるテーブルとの組み合わせにより形成される。
【図３１】本発明による装置にしたがって、被験者のとる複数の姿勢の位置を示す。装置は図２０乃至図２４によるテーブルとの組み合わせにより形成される。
【図３２】本発明による装置にしたがって、被験者のとる複数の姿勢の位置を示す。装置は図２０乃至図２４によるテーブルとの組み合わせにより形成される。
【図３３】本発明による装置にしたがって、被験者のとる複数の姿勢の位置を示す。装置は図２０乃至図２４によるテーブルとの組み合わせにより形成される。
【図３４】本発明による装置にしたがって、被験者のとる複数の姿勢の位置を示す。装置は図２０乃至図２４によるテーブルとの組み合わせにより形成される。
【図１】
2007519451.tif 000003
【図２】
2007519451.tif 000004
【図３】
2007519451.tif 000005
【図４】
2007519451.tif 000006
【図５】
2007519451.tif 000007
【図６】
2007519451.tif 000008
【図７】
2007519451.tif 000009
【図８】
2007519451.tif 000010
【図９】
2007519451.tif 000011
【図１０】
2007519451.tif 000012
【図１１】
2007519451.tif 000013
【図１２】
2007519451.tif 000014
【図１３】
2007519451.tif 000015
【図１４】
2007519451.tif 000016
【図１５】
2007519451.tif 000017
【図１６】
2007519451.tif 000018
【図１７】
2007519451.tif 000019
【図１８】
2007519451.tif 000020
【図１９】
2007519451.tif 000021
【図２０】
2007519451.tif 000022
【図２１】
2007519451.tif 000023
【図２２】
2007519451.tif 000024
【図２３】
2007519451.tif 000025
【図２４】
2007519451.tif 000026
【図２５】
2007519451.tif 000027
【図２６】
2007519451.tif 000028
【図２７】
2007519451.tif 000029
【図２８】
2007519451.tif 000030
【図２９】
2007519451.tif 000031
【図３０】
2007519451.tif 000032
【図３１】
2007519451.tif 000033
【図３２】
2007519451.tif 000034
【図３３】
2007519451.tif 000035
【図３４】
2007519451.tif 000036
【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
磁気構造と被験者載置用テーブルと手動又は自動手段とロック手段とを備える磁気共鳴イメージング装置であって、
前記磁気構造は、離間対向して配置される２つの磁極片及び該２つの磁極片を横断するように配されて該２つの磁極片を接続する柱体又は壁面を備え、
前記磁極片は被験者の撮像空間を定める２つの対向する壁面を固定し、該２つの対向する壁面は、鉛直方向平面に略平行であるとともに互いに略平行な平面に沿って延出し、
前記被験者載置用テーブルは、前記２つの磁極片の間の支持フレームに摺動可能に接続されるとともに、
前記テーブルは、長手軸方向が前記磁極片の前記２つの対向する壁面に対して略平行になるように配置され、前記テーブルは、横断軸方向が前記２つの対向する壁面のうち少なくとも一方に対して略直角となるように配置され、
前記テーブルは前記磁気構造に対して、該テーブルの長手軸方向に平行な方向に摺動可能であって、
前記手動又は自動手段は、前記磁気構造に対して長手軸方向に沿って前記テーブルを変位させるために提供され、
前記ロック手段は前記磁気構造に対して前記テーブルを所定の位置にロックし、
前記手動又は自動手段は前記長手方向軸回りにフレームを回転するために提供され、
前記テーブルを備えるフレーム及び少なくとも磁極片又は磁気構造全体は同時に、該テーブルが略水平方向を向く位置から該テーブルが略鉛直方向を向く位置へ、若しくはその逆方向に回転可能であることを特徴とする磁気共鳴イメージング装置。
【請求項２】
前記テーブル支持フレームが更に、磁極片の２つの対向する壁面の少なくとも一方若しくは両方に対して直角な中央の水平方向軸回りに、前記磁極片及び／又は前記磁気構造に対して、少なくとも限られた角度の範囲については回転可能に支持されることを特徴とする請求項１記載の磁気共鳴イメージング装置。
【請求項３】
前記テーブル及び／又は前記テーブル支持フレーム及び／又は少なくとも前記磁極片及び／又は前記磁気構造全体が、略水平方向を向く位置と略鉛直方向を向く位置の間で両方向に回転可能でどの位置でもロック可能であることを特徴とする請求項１又は２記載の装置。
【請求項４】
前記磁気構造が回転可能でない間は、前記テーブル又は前記テーブル支持フレームのみが横断方向軸回りに回転可能に支持されることを特徴とする請求項１記載の磁気共鳴イメージング装置。
【請求項５】
前記磁気構造全体が前記テーブル支持フレームとともに前記テーブル支持フレームと同一の軸回りに回転されることを特徴とする請求項１記載の磁気共鳴イメージング装置。
【請求項６】
前記テーブル支持フレームが前記磁気構造により支持されることを特徴とする請求項１記載の磁気共鳴イメージング装置。
【請求項７】
前記テーブル支持フレーム及び少なくとも前記磁極片又は前記磁気構造全体の回転軸が、前記磁極片の中央軸と一致することを特徴とする請求項１記載の磁気共鳴イメージング装置。
【請求項８】
前記磁極片の前記回転軸において前記磁気構造が回転可能に接続される２つの側面壁を備える磁気構造支持ベースプレートが更に提供されるとともに、
前記磁極片がＵ字状継鉄の対応する自由端に提供され、その中央水平部が水平方向且つ回転軸に対して略平行な方向を向き、前記Ｕ字状磁気構造の中央水平部が前記テーブル支持フレームを前記テーブルの長手方向に沿って摺動可能な方法で支持し、前記Ｕ字状継鉄の２つの対向する側面が、その端部で前記磁極片を支持するとともに、前記磁気構造支持ベースプレートの側面壁に対して前記共通の回転軸回りに蝶番接続されることを特徴とする請求項１乃至７いずれかに記載の磁気共鳴イメージング装置。
【請求項９】
前記テーブルが更に、その中央の長手方向軸回りに又は前記中央の長手方向軸に平行な軸回りに回転可能な方法で、支持フレーム上に支持されるとともに、
ドライブが、該テーブルを前記磁気構造に対して中央の長手軸方向に沿って回転させるために提供され、
ロックが、該テーブルを所定の位置において前記磁気構造に対してロックすることを特徴とする請求項１乃至８いずれかに記載の磁気共鳴イメージング装置。
【請求項１０】
前記テーブル支持フレームが、延出エレメントにより形成されるとともに、前記Ｕ字状磁気継鉄の前記中央水平部に摺動可能に装着され、
前記テーブル支持フレームも同様に中央水平部を備えたＵ字形状を備え、前記テーブル支持フレームの中央水平部がテーブルの長手軸方向に延出するとともに、前記中央水平部から角をなして突出する分岐部は、テーブル幅の半分以上の長さを有し、前記テーブルの長手方向の両端が、前記テーブル支持フレームの分岐部の自由端において共通の回転軸回りに回転可能に固定されることを特徴とする請求項１乃至９いずれかに記載の磁気共鳴イメージング装置。
【請求項１１】
前記テーブルが、Ｕ字形状の第２テーブル支持フレームに固定されるとともに、
前記第２テーブル支持フレームが前記テーブルの後方に直接的に固定された延出した中央水平部を備えるとともに、分岐部は前記テーブルの長手方向の両端において前方へ突出し、
前記第２テーブル支持フレームの前記分岐部は、前記第１テーブル支持フレームの前記分岐部の長さに対して短い長さを有するとともに、その両端を前記第１支持フレームの前記分岐部の両端に固定させて回転可能であることを特徴とする請求項１０記載の磁気共鳴イメージング装置。
【請求項１２】
前記テーブルがテーブル・プレートを備えるとともに、少なくとも１つのシート・プレートが更に提供され、
該シート・プレートは前記テーブル・プレートに対して平行な位置から前記テーブル・プレートに対して直角な位置へ及び逆方向へ回動可能であるとともに、
回動位置では該テーブル・プレートの一部が該シート・プレートの背もたれを形成することを特徴とする請求項１乃至１１いずれかに記載の磁気共鳴イメージング装置。
【請求項１３】
前記シート・プレートは前記テーブル・プレートの一部により形成されるとともに、前記テーブル・プレートが蝶番接続された少なくとも２つの部品により形成されるとともに、該部品のうち少なくとも一方が回動可能なシート・プレートを形成することを特徴とする請求項１２記載の磁気共鳴イメージング装置。
【請求項１４】
前記テーブルの前記２つの部品及び最終的なテーブル支持フレームが前記プレートの横断軸方向に沿って蝶番接続された少なくとも２つの部品により形成されるとともに、前記テーブル及び最終的なテーブル支持フレームの前記２つの部品の少なくとも一方及び／又は両方が角をなす位置に回動可能であることを特徴とする請求項１乃至１３いずれかに記載の磁気共鳴イメージング装置。
【請求項１５】
前記テーブル及び最終的な前記テーブル支持フレームの前記２つの部品が、角をなす位置に回動可能であって、角度幅は前記２つの部品の間が１８０度以上の角度であって特に２７０度以上３６０度以下と、前記２つの部品の間０度以上９０度以下の角度とからなり、該角度幅は、前記被験者のテーブルに横たわる姿勢が背面を接しているか若しくは前面を接しているか、即ち仰向け姿勢か若しくはうつぶせ姿勢かに従って決定されることを特徴とする請求項１４記載の磁気共鳴イメージング装置。
【請求項１６】
前記テーブル及び最終的な前記テーブル支持フレームの前記２つの部品が、角を成す位置に回動可能であって、角度が略２７０度若しくは９０度であって、この角度は特にテーブルが、前記被験者が前傾姿勢をとるときに支持として機能する鉛直方向を向く部分と水平方向を向く部分とを備える位置にあるときに実行され、該角度は、前記被験者のテーブルに横たわる姿勢が背面を接しているか若しくは前面を接しているか、即ち仰向け姿勢か若しくはうつぶせ姿勢かに従って決定されることを特徴とする請求項１５記載の磁気共鳴イメージング装置。
【請求項１７】
前記テーブル及び／又は前記テーブル支持フレーム及び／又は前記磁極片及び／又は前記磁気構造全体を、水平方向を向く位置と鉛直方向を向く位置の中間の角度位置、及び／又は水平方向を越えた位置又は鉛直方向を越えた位置の角度位置にロックするための取り外し可能なロック手段を備えることを特徴とする請求項１乃至１６いずれかに記載の磁気共鳴イメージング装置。
【請求項１８】
前記テーブル及び／又は前記テーブル支持フレームに対して装着される又は結合されるフットレストが提供されることを特徴とする請求項１乃至１７いずれかに記載の磁気共鳴イメージング装置。
【請求項１９】
ガイドによって支持され、該ガイドは、前記フットレスト及び／又は前記シート・プレートが、テーブル上に又はテーブル支持フレーム上に、前記フットレスト及び／又は前記シートを前記テーブル又は前記テーブル支持フレームに沿って、前記テーブル及び／又は前記テーブル支持フレームの長手軸方向に対して平行な両方向に摺動させることを特徴とする請求項１乃至１８いずれかに記載の磁気共鳴イメージング装置。
【請求項２０】
前記フットレスト及び／又は前記シート・プレートが、前記テーブル上で又は前記テーブル支持フレーム上で、横断方向の軸回りに特に前記テーブルの長手方向軸と直角な軸回りに枢動可能に支持されることを特徴とする請求項１乃至１９いずれかに記載の磁気共鳴イメージング装置。
【請求項２１】
前記テーブル及び／又は前記テーブル支持フレーム及び／又は前記磁気構造及び／又は前記機械フレームが前記被験者を前記テーブルに対して異なる姿勢に保持するための手段を備えることを特徴とする請求項１乃至２０いずれかに記載の磁気共鳴イメージング装置。
【請求項２２】
前記被験者保持手段が、前記被験者を前記テーブルに対して固定させるための取り外し可能な固定ベルトを１つ又は複数含むことを特徴とする請求項２１記載の磁気共鳴イメージング装置。
【請求項２３】
前記被験者保持手段は、腋窩支持手段、即ち前記被験者の腋窩に合わせて前記被験者を支持する手段を含むことを特徴とする請求項２１記載の磁気共鳴イメージング装置。
【請求項２４】
前記被験者保持手段が膝保持手段を含み、該膝保持手段に対して前記被験者が膝部及び／又は脚部をもたれさせて、テーブルに密着した姿勢を維持する力を加えられることを特徴とする請求項２１記載の磁気共鳴イメージング装置。
【請求項２５】
前記被験者保持手段がアームレストを備え、該アームレストはハンドル型の形状をなし、該アームレストに対して前記被験者が自分の身体をテーブルに押し付ける力を腕で加えて、姿勢の維持を補助することを特徴とする請求項２１記載の磁気共鳴イメージング装置。
【請求項２６】
前記被験者保持手段が前記テーブル又は前記テーブル支持フレームに沿ってそれらの長手方向及び／又は横断方向に摺動可能に固定されることを特徴とする請求項２１乃至２５いずれかに記載の磁気共鳴イメージング装置。
【請求項２７】
前記テーブル及び／又は前記テーブル支持フレーム及び／又は前記磁極片及び／又は前記磁気構造及び／又は前記機械フレームは、被験者保持手段についての複数の固定点を備え、該固定点は複数の位置の所定の範囲にかけて配置され、被験者保持手段は開放可能な固定手段を用いて固定されることを特徴とする請求項２１乃至２５いずれかに記載の磁気共鳴イメージング装置。
【請求項２８】
前記被験者保持手段が前記テーブル及び／又は前記テーブル支持フレーム及び／又は前記磁極片及び／又は前記磁気構造及び／又は前記機械フレームに対して、前記テーブルの横断方向軸回りに、特に前記テーブルの長手方向に直角な軸回りに角度を変位可能な方法で固定されることを特徴とする請求項２１乃至２７いずれかに記載の磁気共鳴イメージング装置。
【請求項２９】
前記膝保持手段、前記アームレスト、及び前記腋窩支持手段は、前記テーブル及び／又は前記テーブル支持フレームからの距離を調整可能であることを特徴とする請求項２１乃至２８いずれかに記載の磁気共鳴イメージング装置。
【請求項３０】
前記被験者保持手段、前記フットレスト、前記シート・プレート、前記テーブル・プレートの前記回動可能な部分が、開放可能なロック手段を備え、該開放可能なロック手段はこれらの部品を一定位置で開放可能にロックを行うことを特徴とする請求項１乃至２９いずれかに記載の磁気共鳴イメージング装置。
【請求項３１】
磁気構造と被験者載置用テーブルと手動又は自動手段とロック手段とを備える磁気共鳴イメージング装置であって、
前記磁気構造は、離間対向して配置される２つの磁極片及び該２つの磁極片を横断するように配されて該２つの磁極片を接続する柱体又は壁面を備え、
前記磁極片は被験者の撮像空間を定める２つの対向する壁面を固定し、該２つの対向する壁面は、鉛直面と略平行な平面に沿って延出し、
前記被験者載置用テーブルは、前記２つの磁極片の間の支持フレームに摺動可能に接続されるとともに、
前記テーブルは、長手軸方向が前記磁極片の前記２つの対向する壁面に対して略平行になるように配置され、前記テーブルは、横断軸方向が前記２つの対向する壁面のうち少なくとも一方に対して略直角となるように配置され、
前記テーブルは前記磁気構造に対して、該テーブルの長手軸方向に平行な方向に摺動可能であって、
前記手動又は自動手段が、前記磁気構造に対して長手軸方向に沿って前記テーブルを変位させるために提供され、
前記ロック手段は前記磁気構造に対して前記テーブルを所定の位置にロックする磁気共鳴イメージング装置であって、
前記テーブル及び／又は前記テーブル支持フレームが前記柱体又は壁面に固定され、前記柱体又は壁面は、前記磁極片を横断する方向に配されるとともに、前記磁極片の間を接続することを特徴とする磁気共鳴イメージング装置。
【国際調査報告】
2007519451.tif 000037
2007519451.tif 000038
2007519451.tif 000039
2007519451.tif 000040